(57)【要約】  本発明は、創傷/包帯プロテクタに関する。特に、本発明は、伸縮自在な材料から作ることのできるラップ、靴下/ミトン、または包帯として構成された創傷/包帯プロテクタに関する。ラップは、1つまたは複数の固着ストラップと、場合によっては第1の捕捉固着面とを有してもよい。靴下/ミトンは、固着ストラップとシースとを有してもよい。ラップ、靴下/ミトン、および包帯は、開口と開口カバーとを有してもよい。さらに、創傷/包帯プロテクタならびに包帯は、3つまたは4つの主角部を有するガーゼパッドを含むダイヤモンド形ガーゼ付き構成または三角形ガーゼ付き構成を有してもよく、大部分の例におけるガーゼパッドの主角部は、本体部の縁部または本体部の長さ接線もしくは幅接線、好ましくは長さ接線もしくは幅接線または本体部縁部の中点または中央部の方へ向けられる。
2013535238.tif 000002
【特許請求の範囲】
【請求項１】
a.第1の端部、第2の端部、創傷対向側、および非創傷対向側を有するラップとして構成された本体部と、
b.前記本体部の前記非創傷対向側の端部領域上に位置し、前記本体部の前記創傷対向側の少なくとも一部に固着できるように構成され、前記端部領域が前記本体部の第1の端部の近位に位置する第1の捕捉固着面と、
c.前記本体部の前記第2の端部から延びる第1の固着ストラップであって、前記第1の固着ストラップの創傷対向側表面の少なくとも一部が、前記本体部の前記非創傷対向側または前記第1の固着ストラップの非創傷対向側の少なくとも一部に固着できるように構成された第1の固着ストラップと、を備える創傷/包帯プロテクタ。
【請求項２】
前記本体部は、長さ方向に伸縮自在であるように構成され、前記長さ方向は、前記本体部の前記第1の端部および前記本体部の前記第2の端部によって形成される、請求項1に記載の創傷/包帯プロテクタ。
【請求項３】
前記第1の固着ストラップは、伸縮自在な第1のストラップ部と、前記本体部の前記非創傷対向側または前記第1の固着ストラップの前記非創傷対向側の少なくとも一部に固着できる前記第1の固着ストラップの前記部分を含む第2のストラップ部とで構成され、前記第1のストラップ部の弾性係数は、前記本体部の弾性係数よりも大きい、請求項2に記載の創傷/包帯プロテクタ。
【請求項４】
前記本体部の前記第1の端部の近位において前記本体部の前記創傷対向側にガーゼポートをさらに備え、前記ガーゼポートは、ガーゼパッドの1つの辺の近位において前記ガーゼパッドの狭い部分にのみ取り付けられるように構成される、請求項2に記載の創傷/包帯プロテクタ。
【請求項５】
前記ガーゼポートは、前記ガーゼパッドの着脱可能な取付けを繰り返すのを可能にするように構成される、請求項4に記載の創傷/包帯プロテクタ。
【請求項６】
前記ガーゼポートと前記本体部の前記第1の端部との間において前記本体部上に設けられたストリップをさらに備え、前記ストリップは、前記本体部の少なくとも前記創傷対向側に露出されるゴム引き材料で構成される、請求項5に記載の創傷/包帯プロテクタ。
【請求項７】
カバーをさらに備え、前記本体部は開口を含み、前記カバーおよび前記開口は、前記カバーが前記開口を完全に閉鎖するのを可能にするようなサイズを有する、請求項1に記載の創傷/包帯プロテクタ。
【請求項８】
前記本体部は、前記開口を囲む棚部を有するように構成され、前記カバーは、前記開口を閉鎖し、少なくとも一部が前記棚部上に延びるようなサイズを有する、請求項7に記載の創傷/包帯プロテクタ。
【請求項９】
前記本体部の前記創傷対向側は粘着性表面を有するように構成される、請求項3に記載の創傷/包帯プロテクタ。
【請求項１０】
前記本体部の長さに沿って周期的にデッドゾーンが設けられ、前記デッドゾーンは、前記包帯の長さに対して幅方向に延びる、請求項2に記載の創傷/包帯プロテクタ。
【請求項１１】
前記デッドゾーンは、前記本体部の長さに沿って少なくとも3インチ(7.62cm)おきに設けられる、請求項10に記載の創傷/包帯プロテクタ。
【請求項１２】
前記本体部の前記第1の端部の近位において前記本体部上に位置するかまたは前記本体部の前記第1の端部の近位において前記本体部に組み込まれたガーゼパネルをさらに備え、前記ガーゼパネルは、ガーゼパッドを前記本体部の前記創傷対向側に取り付けることおよび/または前記本体部の前記創傷対向側への前記ガーゼパッドの取付けを繰り返すのを可能にするように構成され、前記ガーゼパネルは、ガーゼパッドの全体または実質的に全体を前記ガーゼパネルに取り付けるかまたは着脱可能に取り付けるのを可能にするようなサイズを有する、請求項2に記載の創傷/包帯プロテクタ。
【請求項１３】
前記ガーゼパネルおよび前記ガーゼパネルが位置するかまたは一体化される前記本体部の前記部分は、デッドゾーンである、請求項12に記載の創傷/包帯プロテクタ。
【請求項１４】
a.開放された第1の端部、閉鎖された第2の端部、内部創傷対向側、および外部非創傷対向側を有する靴下/ミトンとして構成された、伸縮自在な材料で構成された本体と、
b.前記本体に連結され、伸縮自在な材料で構成された第1のストラップ部と、
c.前記第1のストラップ部に連結された第2のストラップ部であって、前記第2のストラップ部の創傷対向側の少なくとも一部が、前記本体の前記外部非創傷対向側の少なくとも一部、前記第1のストラップ部の非創傷対向側の少なくとも一部、および前記第2のストラップ部の非創傷対向側の少なくとも一部に固着できるように構成された第2のストラップ部と、
d.前記第1のストラップ部および前記第2のストラップ部で構成された固着ストラップと、
e.第1の開放端部および第2の閉鎖端部を有するシースであって、前記本体全体上に嵌るようなサイズおよび構成を有し、前記シースの長穴またはスリットが、前記長穴またはスリットに前記固着ストラップを嵌めるのを可能にするようなサイズおよび位置を有し、前記固着ストラップが、前記シースの外側の周囲を延び、前記第2のストラップ部の前記創傷対向側を前記固着ストラップの非創傷対向側に固着することによって、包帯が巻かれている付属肢に前記本体と前記シースの両方を固定するのを可能にするようなサイズを有するシースとを備える創傷/包帯プロテクタ。
【請求項１５】
a.前記第1のストラップ部を前記本体の前記外部非創傷対向側に連結するデッドゾーンとして構成される第3のストラップ部と、
b.前記第1のストラップ部と前記第2のストラップ部を連結するデッドゾーンとして構成される第4のストラップ部とを備え、前記固着ストラップは、前記第3のストラップ部および前記第4のストラップ部をさらに備える、請求項14に記載の創傷/包帯プロテクタ。
【請求項１６】
前記第3のストラップ部および前記第4のストラップ部は、前記固着ストラップの少なくとも前記創傷対向側に露出されるゴム引き表面または粘着性表面を有する、請求項15に記載の創傷/包帯プロテクタ。
【請求項１７】
前記本体は、ほとんどまたはまったく伸縮しないように構成されるパネルを有する、請求項14に記載の創傷/包帯プロテクタ。
【請求項１８】
前記本体部の前記非創傷対向側表面上に設けられ前記開口を囲む伸縮不能または実質的に伸縮不能なリムをさらに備え、前記リムの表面は、前記カバーを着脱可能に取り付けるのを可能にするようなサイズおよび構成を有する、請求項7に記載の創傷/包帯プロテクタ。
【請求項１９】
前記本体部および前記第1の固着ストラップは、同一の一体的な材料片で構成される、請求項1に記載の創傷/包帯プロテクタ。
【請求項２０】
前記本体部の前記第2の端部から延びる第2の固着ストラップをさらに備え、前記第2の固着ストラップの創傷対向側表面の少なくとも一部は、前記本体部の前記非創傷対向側および/または前記第2の固着ストラップの非創傷対向側の少なくとも一部に固着できるように構成される、請求項3に記載の創傷/包帯プロテクタ。
【請求項２１】
前記本体部の前記第1の端部の近位において前記本体部上に設けられ、前記本体部の少なくとも前記創傷対向側に露出されるゴム引き材料で構成されるストリップをさらに備える、請求項2に記載の創傷/包帯プロテクタ。
【請求項２２】
本体部とカバーとを備え、前記本体部は開口を含み、前記カバーおよび前記開口は、前記カバーが前記開口を完全に閉鎖するのを可能にするようなサイズを有し、前記本体部は、前記開口を囲む棚部を有するように構成され、前記カバーは、前記開口を閉鎖しかつ少なくとも一部が棚部上に延びるようなサイズを有する包帯。
【請求項２３】
本体部と、カバーと、伸縮不能または実質的に伸縮不能なリムとを備え、前記本体部は開口を含み、前記カバーおよび前記開口は、前記カバーが前記開口を完全に閉鎖するのを可能にするようなサイズを有し、前記伸縮不能または実質的に伸縮不能なリムは、前記本体部の非創傷対向側表面上に設けられ前記開口を囲み、前記リムの表面は、前記カバーを着脱可能に取り付けるのを可能にするようなサイズおよび構成を有する包帯。
【請求項２４】
前記本体部の前記第2の端部から延びる第2の固着ストラップをさらに備え、前記第2の固着ストラップの創傷対向側表面の少なくとも一部は、前記本体部の前記非創傷対向側および/または前記第2の固着ストラップの非創傷対向側の少なくとも一部に固着できるように構成される、請求項1に記載の創傷/包帯プロテクタ。
【請求項２５】
前記本体部の前記第2の端部から延びる第2の固着ストラップをさらに備え、前記第2の固着ストラップは、伸縮自在な第2の固着ストラップの第1のストラップ部と、少なくとも一部が、前記本体部の前記非創傷対向側または前記第2の固着ストラップの非創傷対向側の少なくとも一部に固着できる第2の固着ストラップの第2のストラップ部とで構成され、前記第2の固着ストラップの第1のストラップ部の弾性係数は、前記本体部の弾性係数よりも大きい、請求項3に記載の創傷/包帯プロテクタ。
【請求項２６】
方形、菱形、または平行四辺形として形作られ、各角部が粘着包帯の異なる長さ接線または幅接線の方に向けられた開口と、前記開口を完全に閉鎖するようなサイズを有するカバーとを含む本体部を備える包帯。
【請求項２７】
前記本体部の前記非創傷対向側に隣接するが取り付けられないガーゼパッドをさらに備え、前記ガーゼパッドは、前記ガーゼパッドの創傷対向側および/または非創傷対向側にゴム引きフレームまたは粘着性フレームを有する、請求項1に記載の創傷/包帯プロテクタ。
【請求項２８】
a.第1の端部、第2の端部、創傷対向側、および非創傷対向側を有するラップとして構成された本体部と、
b.前記本体部の前記非創傷対向側の端部領域上に位置し、前記端部領域が前記本体部の前記第1の端部の近位に位置する第1の捕捉固着面と、
c.前記本体部の前記第2の端部から延びる第1の固着ストラップであって、前記第1の固着ストラップの創傷対向側表面の少なくとも一部が、前記本体部の前記非創傷対向側または前記第1の固着ストラップの非創傷対向側の少なくとも一部に固着できるように構成された第1の固着ストラップと、
d.前記本体部の前記第1の端部の近位において前記本体部の前記創傷対向側に位置し、ガーゼパッドの1つの辺の近位において前記ガーゼパッドの狭い部分にのみ取り付けられ、かつ前記ガーゼパッドの着脱可能な取付けを繰り返すのを可能にするように構成されるガーゼポートと、
e.前記ガーゼポートと前記本体部の前記第1の端部との間に設けられ、前記本体部の少なくとも前記創傷対向側に露出されるゴム引き材料で構成されたストリップとを備え、
i.前記本体部は、長さ方向に伸縮自在であるように構成され、前記長さ方向は、前記本体部の前記第1の端部および前記本体部の前記第2の端部によって形成され、
ii.前記第1の固着ストラップは、伸縮自在な第1のストラップ部と、前記本体部の前記非創傷対向側または前記第1の固着ストラップの前記非創傷対向側の少なくとも一部に固着できる前記第1の固着ストラップの前記部分を含む第2のストラップ部とで構成され、
iii.前記第1のストラップ部の弾性係数は、前記本体部の弾性係数よりも大きい創傷/包帯プロテクタ。
【請求項２９】
創傷を保護する方法において、
a.開口を有する包帯を前記開口が開放状態になるように前記創傷を囲む領域に巻くステップと、
b.ガーゼパッドおよび/または薬剤を創傷上に配置するステップと、
c.前記包帯の前記開口をカバーによって閉鎖するステップとを含む方法。
【請求項３０】
a.本体部と、
b.包帯がダイヤモンド形ガーゼ付き粘着包帯として構成されるような形状および位置を有する、前記本体部の創傷対向側にガーゼパッドとを備える包帯。
【請求項３１】
前記ガーゼパッドは、方形、菱形、または平行四辺形として形作られ、前記ガーゼパッドの各角部が前記本体部の異なる長さ接線または幅接線の方に向けられように前記本体部の前記創傷対向側に位置する、請求項30に記載の包帯。
【請求項３２】
a.本体部と、
b.前記本体部の創傷対向側で向きを定められた3つの主角部を有するガーゼパッドとを備える包帯。
【請求項３３】
a.前記本体部は、周囲が3つの縁部によって形成された三角形であり、
b.前記ガーゼパッドは、前記ガーゼパッドの前記3つの主角部の各々が前記本体部の異なる縁部の方へ向けられるように前記本体部の創傷対向側で向きを定められる、請求項32に記載の包帯。
【請求項３４】
前記三角形のガーゼパッドは、前記ガーゼパッドの前記各主角部が前記本体部の異なる縁部の中点または中央部の方へ向けられるように前記本体部の前記創傷対向側で向きを定められ、前記中央部は、対応する縁部の、前記対応する縁部の長さの2分の1に等しい部分であり、中心が前記対応する縁部の前記中点に位置する、請求項33に記載の包帯。
【請求項３５】
前記ガーゼパッドは、前記本体部の創傷対向側の非ガーゼ部上に4つの等しい象限を形成するかまたは実質的に形成するようなサイズおよび位置を有する、請求項30に記載の包帯。
【請求項３６】
前記本体部は、創傷対向側の少なくとも一部上に接着剤を有する、請求項31に記載の包帯。
【請求項３７】
前記本体部は、創傷対向側の少なくとも一部上に接着剤を有する、請求項33に記載の包帯。
【請求項３８】
前記ガーゼパッドは、前記本体部の前記創傷対向側の非ガーゼ部上に2つの等しい象限を形成するかまたは実質的に形成するようなサイズおよび位置を有し、前記ガーゼパッドの4つの辺のうちの2つの辺が、前記2つの象限の第1の象限の縁部を形成し、前記ガーゼパッドの前記4つの辺のうちの別の2つの辺が、前記2つの象限の縁部の第2の象限を形成する、請求項30に記載の包帯。
【請求項３９】
前記本体部は4つの接線を有し、前記4つの接線のうちの第1の幅接線および第2の幅接線は、前記本体部の互いに向かい合う端部に接し、前記4つの接線のうちの第1の長さ接線および第2の長さ接線は、前記本体部の前記縁部に接し、前記4つの接線の各々は中央部を有し、前記中央部は、中心が前記接線の中点に位置する前記接線の長さの2分の1に等しく、前記ガーゼパッドは、前記本体部の前記創傷対向側上に位置する4つの主角部を有し、前記4つの主角部の第1の主角部が前記本体部の前記4つの接線の第1の接線の中央部の方へ向けられ、前記第1の主角部と向かい合う前記4つの主角部の第2の主角部は、前記本体部の前記4つの接線の第2の接線の中央部の方へ向けられる、請求項30に記載の包帯。
【請求項４０】
前記本体部は円形である、請求項32に記載の包帯。
【請求項４１】
前記ガーゼパッドの前記4つの主角部の第3の主角部は、前記本体部の前記4つの接線の第3の接線の中央部の方へ向けられ、前記ガーゼパッドの前記4つの主角部の第4の主角部は、前記本体部の前記4つの接線の第4の接線の中央部の方へ向けられる、請求項39に記載の包帯。
【請求項４２】
前記本体部は、幅が狭くなる幅の狭い中央部と2つの側部領域とを有し、前記2つの側部領域の各々は第1の辺を有し、前記2つの側部領域の前記第1の辺は、前記幅の狭い中央部の互いに向かい合う隣接する辺上に位置し、前記2つの側部領域の各々は、第2の辺を有し、前記2つの側部領域の前記第2の辺は、前記本体部の互いに向かい合う端部に位置し、前記各側部領域は、前記側部領域の前記第1の辺から前記側部領域の前記第2の辺の方へ延びる第1の側部領域を有し、前記各側部領域の前記第1の側部領域の幅は、前記側部領域の前記第1の辺から前記側部領域の前記第2の辺の方へ延びるにつれて前記幅の狭い中央部の幅に対して大きくなる、請求項39に記載の包帯。
【請求項４３】
前記各側部領域は、前記各側部領域の前記第1の側部領域部分から前記第2の辺まで延びる第2の側部領域部分を有し、前記第2の側部領域部分の幅は、前記第1の側部領域部分から前記側部領域の前記第2の辺まで延びるにつれて小さくなる、請求項42に記載の包帯。
【請求項４４】
前記長さ接線の方へ向けられる前記ガーゼパッドの前記主角部は、前記幅の狭い中央部内に配置される、請求項42に記載の包帯。
【請求項４５】
前記幅の狭い中央部の中点は、前記長さ接線の中点に対応しない、請求項44に記載の包帯。
【請求項４６】
前記ガーゼパッドは凧形に構成される、請求項45に記載の包帯。
【請求項４７】
前記本体部は、中央部と、前記中央部から同じ幅接線の方へ長さ方向に延びる2つの脚部とを有する、請求項39に記載の包帯。
【請求項４８】
前記本体部は、前記中央部の遠位に位置するそれぞれの近位端の所で互いに連結された平行な2つの弧または放物線によって形成されるアーチ形を形成する、請求項47に記載の包帯。
【請求項４９】
a.創傷対向側を有するちょうネクタイ形本体部と、
b.各辺が前記本体部の長さ接線または幅接線に平行になるように前記本体部の創傷対向側に位置する矩形または方形のガーゼパッドとを備える包帯。
【請求項５０】
前記本体部の前記互いに向かい合う端部の所の前記縁部は、前記本体部の角部から前記互いに向かい合う端部の各々に沿って変曲点に向かって延びるにつれて前記本体部の長さにテーパを施すように向きを定められた端部線によって形成される、請求項42に記載の包帯。
【請求項５１】
前記本体部は、中央のアーモンド形部分または卵形部分と、前記中央のアーモンド形部分または卵形部分の互いに向かい合う辺から延びる球状部分とを有する、請求項39に記載の包帯。
【請求項５２】
前記各側部領域の縁部は、単一の円弧または楕円弧によって形成される、請求項42に記載の包帯。
【請求項５３】
前記各側部領域の縁部は、前記幅の狭い中央部の互いに向かい合う辺から延びて変曲点の所で接触する2つの円弧または楕円弧によって形成される、請求項42に記載の包帯。
【請求項５４】
前記本体部は、平らな上縁部および平らな下縁部によって形成される一様な幅または実質的に一様な幅を有する中央部と、前記中央部の互いに向かい合う辺から前記本体部の互いに向かい合う端部まで延びる2つの側部領域とを有し、前記側部領域の幅は、前記側部領域が前記中央部から前記本体部の前記端部まで延びるにつれて小さくなる、請求項39に記載の包帯。
【請求項５５】
前記本体部は方形または矩形である、請求項41に記載の包帯。
【請求項５６】
前記ガーゼパッドの中心点が、前記本体部の中心点と一致し、前記ガーゼパッドの互いに向かい合う2つの主角部が前記本体部の前記縁部まで延びる、請求項41に記載の包帯。
【請求項５７】
前記本体部は、丸い角部を有する方形または矩形であり、ガーゼパッドは、方形、菱形、または平行四辺形として形作られる、請求項41に記載の包帯。
【請求項５８】
前記本体部はアーモンド形または卵形である、請求項41に記載の包帯。
【請求項５９】
前記本体部は、ヘッド部とテール部とで構成され、前記ヘッド部は、切り取られた卵形、切り取られたダイヤモンド形、または切り取られたアーモンド形を有し、前記テール部は、末広がりであり、前記ヘッド部に凹部を形成する前記ヘッド部の第1の辺から前記本体部の上縁部および下縁部に沿って長さ方向に延びるにつれて大きくなる幅を有する、請求項39に記載の包帯。
【請求項６０】
前記本体部の第1の端部領域は、前記本体部の前記第1の幅接線に近接した前記本体部の第1の端部まで延び、前記本体部の第2の端部領域は、前記第2の幅接線に近接した前記本体部の第2の端部まで延び、前記第2の端部領域は、幅が前記第1の端部領域よりも小さい、請求項39に記載の包帯。
【請求項６１】
前記本体部の幅は、前記本体部が前記第1の端部領域から前記第2の領域まで延びるにつれて小さくなるかまたは変化しない、請求項60に記載の包帯。
【請求項６２】
前記第2の側部領域は、前記第1の側部領域よりも長く、前記本体部の上縁部および下縁部の各々は、連続的な凸状曲線として構成される、請求項61に記載の包帯。
【請求項６３】
a.ヘッド部およびテール部を有する本体部であって、前記ヘッド部が、切り取られた卵形、切り取られたダイヤモンド形、または切り取られたアーモンド形を有し、前記テール部が、末広がりであり、前記ヘッド部に凹部を形成する前記ヘッド部の第1の辺から前記本体部の上縁部および下縁部に沿って長さ方向に延びるにつれて大きくなる幅を有する、本体部と、
b.前記本体部の長さ接線または幅接線にそれぞれ平行であるように前記本体部の創傷対向側に位置する4つの辺を有するガーゼパッドとを備える包帯。
【請求項６４】
前記本体部は、中央部と、前記中央部の互いに向かい合う辺から延びる卵形側部領域とを有する、請求項39に記載の包帯。
【請求項６５】
前記中央部は、平らな上縁部および平らな下縁部によって形成される一様な幅または実質的に一様な幅を有する、請求項64に記載の包帯。
【請求項６６】
前記本体部は、前記中央部を前記各卵形側部領域に連結する幅の狭い部分を有する、請求項65に記載の包帯。
【請求項６７】
前記中央部は、凹状の上縁部および下縁部を有し、したがって、前記中央部の中央から前記卵形端部まで幅が広くなる、請求項64に記載の包帯。
【請求項６８】
前記ガーゼパッドは、前記ガーゼパッドの互いに隣接する任意の2つの主角部間に引かれた任意の線が前記本体部の任意の長さ接線または幅接線に平行にならないように前記本体部の前記創傷対向側に位置する4つの主角部を有する、請求項30に記載の包帯。
【請求項６９】
各主角部の半直線が、前記本体部の前記長さ接線または幅接線の1つと55°から90°の間の角度で交差する、請求項68に記載の包帯。
【請求項７０】
各主角部の半直線が、前記本体部の前記長さ接線または幅接線の1つと65°から90°の間の角度で交差する、請求項68に記載の包帯。
【請求項７１】
少なくとも2つの主角部の各々の半直線が、前記本体部の長さ接線または幅接線と前記長さ接線または幅接線の中央部の点で交差し、前記中央部は、対応する長さ接線または幅接線の、前記対応する長さ接線または幅接線の長さの2分の1に等しい部分であり、中心が前記対応する長さ接線または幅接線の中点に位置する、請求項68に記載の包帯。
【請求項７２】
a.創傷対向側および非創傷対向側を有するラップとして構成される本体部であって、前記本体部の長さが、第1の端部から第2の端部まで延び、前記本体部の第1の端部領域が、前記本体部の長さに沿って前記第1の端部から中央領域まで延び、前記中央領域が、前記本体部の長さに沿って前記第1の端部領域から第2の端部領域まで延び、前記第2の端部領域が、前記本体部の長さに沿って前記中央領域から前記第2の端部まで延びる本体部と、
b.前記本体部の前記創傷対向側の少なくとも一部に固着できるように構成された前記本体部の前記第2の端部領域の前記非創傷対向側の第1の捕捉固着面と、
c.前記本体部の前記非創傷対向側の少なくとも一部に固着できるように構成された前記本体部の前記第1の端部領域上の固着部と、
d.前記本体部の前記第2の端部領域の前記創傷対向側に設けられ、ゴム引き材料または前記本体部の少なくとも前記創傷対向側に露出される摩擦面を構成するその他の材料で構成された摩擦部とを備える創傷/包帯プロテクタ。
【請求項７３】
前記第1の端部領域に近接または隣接する位置で前記本体部の前記創傷対向側に設けられたガーゼポートをさらに備える、請求項72に記載の創傷/包帯プロテクタ。
【請求項７４】
前記第2の端部領域に近接または隣接する位置で前記本体部の前記創傷対向側に設けられたガーゼポートをさらに備える、請求項72に記載の創傷/包帯プロテクタ。
【請求項７５】
前記第1の端部領域および第2の端部領域は、前記端部領域が長さ方向において前記中央領域から離れる方向へ延びるにつれて前記本体部の前記幅が徐々に小さくなるようにテーパが施される、請求項72に記載の創傷/包帯プロテクタ。
【請求項７６】
前記摩擦部は、前記本体部の前記第2の端部領域の創傷対向側全体に設けられる、請求項72に記載の創傷/包帯プロテクタ。
【請求項７７】
a.創傷対向側、非創傷対向側、第1の端部、および第2の端部を有する伸縮自在な材料の本体部と、
b.前記本体部の前記第1の端部に近接または隣接する位置で前記本体部の前記創傷対向側に設けられ、Velcro型ファスナのフック部として構成された第1の固着部と、
c.前記本体部の前記第2の端部に近接または隣接する位置で前記本体部の前記創傷対向側に設けられ、Velcro型ファスナのフック部として構成された第2の固着部とを備える包帯ラッププロテクタ/ホルダ。
【請求項７８】
a.創傷対向側、非創傷対向側、第1の端部、および第2の端部を有する伸縮自在な材料の本体部、
前記本体部の前記第1の端部に近接または隣接する位置で前記本体部の前記創傷対向側に設けられ、Velcro型ファスナのフック部として構成された第1の固着部、および
前記本体部の前記第2の端部に近接または隣接する位置で前記本体部の前記創傷対向側に設けられ、Velcro型ファスナのフック部として構成された第2の固着部で構成された包帯ラッププロテクタ/ホルダと、
b.創傷/肢対向側および非創傷/肢対向側を有する固着ベース本体、
Velcro型ファスナのループ部として構成された前記固着ベース本体の前記非創傷/肢対向側の固着面、および
前記固着ベース本体の前記創傷/肢対向側の粘着性表面で構成された固着ベースとを備える包帯システム。
【請求項７９】
c.創傷対向側、非創傷対向側、第1の端部、および第2の端部を有する伸縮自在な材料の本体部、
前記本体部の前記第1の端部に近接または隣接する位置で前記本体部の前記創傷対向側に設けられ、Velcro型ファスナのフック部として構成された第1の固着部、および
前記本体部の前記第2の端部に近接または隣接する位置で前記本体部の前記創傷対向側に設けられ、Velcro型ファスナのフック部として構成された第2の固着部で構成された包帯ラッププロテクタ/ホルダと、
d.肢を完全に覆うように構成され、外部端部/露出端部を有する包帯材料ラップとを備え、
包帯ラッププロテクタ/ホルダが前記第1または第2の固着部の一方を介して前記外部端部/露出端部上で前記包帯材料ラップの前記非創傷対向側に取り付けられ、次いで前記包帯材料ラップを完全に覆い、前記第1または第2の固着部の他方を介して前記包帯ラッププロテクタ/ホルダの非創傷対向側に固着されるように構成される包帯システム。
【請求項８０】
請求項72の前記創傷/包帯プロテクタによって創傷に包帯を巻く方法であって、
a.前記本体部の前記第2の端部の前記創傷対向側を肢に接触させて保持するステップと、
b.前記本体部の前記創傷対向側が前記肢と向かい合うように、前記本体部を前記肢の周囲において巻付け方向に回転させながら延ばすステップと、
c.前記第1の捕捉ファスナを前記本体部の前記創傷対向側に固定するステップと、
d.前記第1の捕捉ファスナが前記本体部に取り付けられる場所から前記本体部の残りの部分を前記巻付け方向に回転させながら延ばすステップと、
e.前記固着部を前記本体部の前記非創傷対向側に固定するステップとを含む方法。
【請求項８１】
請求項77の前記包帯ラッププロテクタ/ホルダによって包帯材料ラップを保持する方法であって、
a.前記第1または第2の固着部の一方を前記包帯材料ラップの外側端部/露出端部の非創傷対向側に取り付けるステップと、
b.前記本体部の前記創傷対向側が前記肢と向かい合うように、前記本体部を前記肢の周囲において巻付け方向に回転させながら延ばすステップと、
c.前記第1または第2の固着部の他方を包帯材料ラップの前記非創傷対向側または前記本体部の前記非創傷対向側のいずれかに固定するステップとを含む方法。
【請求項８２】
請求項77の前記包帯ラッププロテクタ/ホルダによって包帯材料ラップを保持する方法であって、
a.前記第1または第2の固着部の一方を前記包帯材料ラップの内側端部/被覆端部の創傷対向側に取り付けるステップと、
b.前記本体部の前記創傷対向側が前記肢と向かい合わないように、前記本体部を前記肢の周囲において巻付け方向と逆方向に回転させながら延ばすステップと、
c.前記包帯材料ラップを前記肢の周囲において前記巻付け方向に回転させながら延ばすステップと、
d.前記第1または第2の固着部の他方を前記包帯材料ラップの前記創傷対向側に固定するステップとを含む方法。
【請求項８３】
a.第1の端部、第2の端部、上側、下側、創傷対向側、および非創傷対向側を有するラップとして構成された本体部と、
b.前記本体部の前記第1の端部から前記下側に接する線に沿って延びるかまたは前記線に近接する位置を前記線と実質的に一緒に延びる第1の固着ストラップであって、前記第1の固着ストラップの創傷対向側表面の少なくとも一部が前記本体部の前記非創傷対向側または前記第1の固着ストラップの非創傷対向側の少なくとも一部に固着できるように構成された第1の固着ストラップと、
c.前記本体部の前記第2の端部から前記下側に接する線に沿って延びるかまたは前記線に近接する位置を前記線と実質的に一緒に延びる第2の固着ストラップであって、前記第2の固着ストラップの創傷対向側表面の少なくとも一部が前記本体部の前記非創傷対向側または前記第2の固着ストラップの非創傷対向側の少なくとも一部に固着できるように構成された第2の固着ストラップと、
d.前記本体部の前記第1の端部に近接または隣接する位置で前記創傷/包帯プロテクタの前記上部非創傷対向側に設けられた第1の捕捉固着面であって、前記第2のストラップと向かい合う部分に少なくとも沿って前記上側と前記下側との間を延び、したがって、前記創傷/包帯プロテクタが巻き付けられたときに、前記第2のストラップの前記創傷対向側の一部が前記第1の捕捉固着面に固着することができる第1の捕捉固着面とを備える創傷/包帯プロテクタ。
【請求項８４】
a.開放された第1の端部、閉鎖された第2の端部、内部創傷対向側、および外部非創傷対向側を有する靴下/ミトンとして構成された、伸縮自在な材料で構成された本体と、
b.前記本体に連結され、伸縮自在な材料で構成された第1のストラップ部と、
c.前記第1のストラップ部に連結された第2のストラップ部であって、前記本体に巻き付けられたときに前記第2のストラップ部がそれ自体に固着できるように粘着材料で構成された第2のストラップ部と、
d.前記第1のストラップ部および前記第2のストラップ部で構成された固着ストラップと、
e.第1の開放端部および第2の閉鎖端部を有するシースであって、前記本体全体上に嵌るようなサイズおよび構成を有し、前記シースの長穴またはスリットが、前記長穴またはスリットに前記固着ストラップを嵌めるのを可能にするようなサイズおよび位置を有し、前記固着ストラップが、前記シースの外側の周囲を延び、前記第2のストラップ部の前記創傷対向側を前記固着ストラップの非創傷対向側に固着することによって、包帯が巻かれている付属肢に前記本体と前記シースの両方を固定するのを可能にするようなサイズを有するシースとを備える創傷/包帯プロテクタ。
【請求項８５】
前記第2のストラップ部は粘着性材料で構成される、請求項14に記載の創傷/包帯プロテクタ。
【請求項８６】
前記第1のストラップ部は粘着性材料で構成される、請求項84または85に記載の創傷/包帯プロテクタ。
【請求項８７】
a.開放された第1の端部、閉鎖された第2の端部、内部創傷対向側、外部非創傷対向側、および前記第1の端部に近接したスリットを有する靴下/ミトンとして構成された、伸縮自在な材料で構成された本体と、
b.前記本体の前記内部創傷対向側に取り付けられた粘着性材料で構成され、前記スリットを貫通して延びる固着ストラップとを備える創傷/包帯プロテクタ。
【請求項８８】
前記固着ストラップは、前記本体部の前記外部非創傷対向側の円周全体の周囲にわたって延びて前記固着ストラップ自体に固着するのに十分な長さを有する、請求項87に記載の創傷/包帯プロテクタ。
【発明の詳細な説明】
【技術分野】
【０００１】
（関連出願に対する相互参照）
本出願は、2010年7月1日に出願された、「Bandage」という名称を有するDiGraziaの同時係属米国仮出願第61/360873号、2010年6月29日に出願された、「Wound and Bandage Protection System」という名称を有するDiGraziaの米国特許出願第12/826644号、2011年1月11日に出願された、「Bandaging System」という名称を有するDiGraziaの米国特許出願第13/004866号、および2011年3月16日に出願された、「Wound and Bandage Protection System and Method」という名称を有するDiGraziaの米国仮出願第61/453341号を参照により組み込み、かつこれらの優先権を主張する。本出願は、2010年6月29日に出願された、「Wound and Bandage Protection System」という名称を有するDiGraziaの米国特許出願第12/826644号の一部継続出願でもある。
【０００２】
本発明は概して、現在の創傷および包帯保護システムでは適切に解決されない耐久性、快適さ、および使いやすさに関する多数の問題を解消するように設計された創傷および包帯保護システムに関する。本発明は、創傷および包帯保護システムを創傷処置に使用する方法にも関する。
【背景技術】
【０００３】
創傷処置に関する従来の解決策では、皮膚に接着剤によって固定され、創傷に対して巻き直すときには完全に交換する必要のあるガーゼおよび包帯が使用される。この種の創傷用包帯は、特に毛皮を有する動物の場合に多数の欠点がある。接着剤によって固定される包帯は、患者の動きを制限し、不快である。接着剤を皮膚から除去するときに痛みを伴うことがあり、接着剤を毛皮から除去するのは動物にとって不快であるだけでなく、時間もかかり、したがって、非常に非実用的である。しかし、獣医およびペットショップでは現在、ほぼ、人間用に設計された包帯のみをペットの創傷処置のために販売または使用している。
【０００４】
創傷処置の代替手段として、皮膚または毛皮にくっつかずにラップ材料の粘着性によって互いに付着する自着性ラップがある。しかし、このような包帯の主な欠点は、濡れるかまたは汚れたときに粘着性を失うことである。ラップは、舐められるかまたはいじられると数秒で解けて使用不能になることがある。したがって、このようなラップは、人間の創傷処置には良好な解決策であるが、ペットの創傷処置には依然として非実用的である。
【０００５】
動物にとって快適な包帯が必要なさらなる理由は、創傷の位置を舐める動物の本能によって、創傷に細菌および病原菌が侵入するので、創傷から治癒するときに非常に感染しやすいことである。動物は、包帯も舐め、場合によってはかじる。たとえば、犬は、接着剤の味が好きである。獣医による現在の解決手段として、動物の首の周りにコーンカラーを配置している。しかし、このコーンは、ペットと所有者の両方にとって大きく、煩わしく、厄介である。犬は、首を激しく振ってカラーを外そうとする。そうするうちに犬が怪我をすることがあり、また、散歩させるときに導くのが困難になる。物に衝突したり、取り付けられていないあらゆるものを倒したりすることもある。コーンは非常に不快な解決手段である。
【０００６】
したがって、皮膚および毛皮に対する引張りを軽減し、迅速にかつ簡単に取り付けることができ、しっかり固定することができ、痛みを伴わずに取外しおよび交換が可能な包帯システムが必要である。
【０００７】
さらに、包帯が生まれてからずっと、粘着包帯産業を悩ませている共通の問題がある。創傷を適切に保護するには、創傷を覆って外部の感染源から絶縁する必要がある。しかし、大部分の粘着包帯は、巻かれたときに創傷を適切に保護しない。旧式の包帯の製造業者は、ガーゼパッドの周りの薄い接着剤ストリップが創傷の周りの皮膚に付着できるようにガーゼパッドの大きさを定めようとした。しかし、ガーゼパッドの周りの接着剤ストリップは、捩れるかまたは完全に剥がれることが多く、創傷を適切に密封せず、場合によっては不快感を生じさせる。最近、他の解決手段を試している会社がある。Band-Aid(登録商標)ブランドは、創傷を密封することを諦め、ガーゼを接着剤の縁部まで延ばし、創傷を覆うのに利用できるガーゼの量を最大にした。Nexcare(登録商標)は、包帯に対してガーゼが極端に小さい包帯を作製し、より優れたシールを可能にしたが、交換できるガーゼの量が少なくなった。さらに、このような包帯は、関節に対してうまく作用しない傾向があり、接着剤の各領域を肢の屈曲に合わせると必ずガーゼが大きく捩れる。したがって、特に関節に包帯を巻くことに関して粘着包帯のガーゼパッドの周りの接着剤の捩れおよび剥がれを防止し、同時に創傷を覆うのに利用できるガーゼの量を最大にする包帯システムが必要である。
【先行技術文献】
【特許文献】
【０００８】
【特許文献１】米国仮出願第61/360873号
【特許文献２】米国特許出願第12/826644号
【特許文献３】米国特許出願第13/004866号
【特許文献４】米国仮出願第61/453341号
【特許文献５】米国特許出願第12/826644号
【発明の概要】
【課題を解決するための手段】
【０００９】
本発明は、創傷/包帯保護システムおよびその使用方法を提供する。本発明によるスーパーストレッチチューブの例示的な実施形態を開示する。このスーパーストレッチチューブは、少なくともスーパーストレッチチューブ自体の内面に沿った第1の開放端部から第2の開放端部までの長さだけスーパーストレッチチューブ自体の長さに沿って延びるストリップを有する。スーパーストレッチチューブは、スーパーストレッチ可能な弾性不織材料で作られることが好ましい。
【００１０】
本発明による創傷/包帯プロテクタの第1の例示的な実施形態において、創傷/包帯プロテクタは、本体部と、第1の捕捉固着面と、第1の固着ストリップとで構成されてもよい。本体部は、第1の端部と、第2の端部と、創傷対向側と、非創傷対向側とを有するラップとして構成される。第1の捕捉固着面は、本体部の第1の端部に近接した、本体部の創傷対向側の端部領域上に位置する。第1の捕捉固着面は、本体部の非創傷対向側の少なくとも一部に固着できるように構成される。代替として、創傷/包帯プロテクタは、第1の捕捉固着面を有さないように構成されてもよい。
【００１１】
第1の固着ストラップは、本体部の第2の端部から延び、第1の固着ストラップの創傷対向側表面の少なくとも一部は、本体部の非創傷対向側または第1の固着ストラップの非創傷対向側の少なくとも一部に固着できるように構成される。一代替実施形態において、本体部および第1の固着ストラップは、同一の一体的な材料片で構成されてもよい。
【００１２】
本発明による創傷/包帯プロテクタは、本体部の第1の端部および本体部の第2の端部によって形成される長さ方向に伸縮自在であるように構成されてもよい。創傷/包帯プロテクタの第1の固着ストラップは、伸縮自在な第1のストラップ部と、第2のストラップ部とを有してもよい。本発明による創傷/包帯プロテクタのそのような実施形態において、第2のストラップ部は、本体部の非創傷対向側または第1の固着ストラップの非創傷対向側の少なくとも一部に固着できる第1の固着ストラップの部分を含んでもよい。第1のストラップ部の弾性係数は、本体部の弾性係数より大きくてもよい。
【００１３】
さらに、本発明による創傷/包帯プロテクタは、本体部の第2の端部から延びる第2の固着ストラップを有してもよい。第2の固着ストラップの創傷対向側表面の少なくとも一部は、本体部の非創傷対向側および/または第2の固着ストラップの非創傷対向側の少なくとも一部に固着できるように構成される。第2の固着ストラップは、上記に第1の固着ストラップを参照して説明したように構成された第1のストラップ部と第2のストラップ部とを有してもよい。第2の固着ストラップの第１のストラップ部の弾性係数は、本体部の弾性係数よりも大きくなるように構成されてもよい。
【００１４】
本発明による創傷/包帯プロテクタは、ストリップを有してもよい。ストリップは、第1の端部の近位において本体部上に位置し、幅方向に延びる。代替として、ストリップは、本体部の上縁部または下縁部の近位において本体の長さに沿って延びてもよい。さらに、本体部の上縁部と下縁部の両方に沿ったストリップのような複数のストリップを設けてもよい。ストリップは、少なくとも本体部の創傷対向側に露出されるゴム引き材料で構成されてもよい。
【００１５】
本発明による創傷/包帯プロテクタは、本体部の第1の端部の近位において本体部の創傷対向側にガーゼポートを有してもよい。ガーゼポートは、ガーゼパッドの1つの辺の近位においてガーゼパッドの狭い部分のみに取り付けられるように構成されてもよい。ガーゼポートは、ガーゼパッドの着脱可能な取付けを繰り返すのを可能にするように構成されてもよい。創傷/包帯プロテクタは、ガーゼパッドを含んでもよい。ガーゼパッドは、ガーゼポートに取り付けられるように構成されてもよい。代替として、ガーゼパッドは、本体部の非創傷対向側に隣接するが取り付けられないままになるように構成されてもよい。そのような例示的な代替実施形態において、ガーゼパッドは、ガーゼパッドの創傷対向側および/または非創傷対向側にゴム引きフレームまたは粘着性フレームを有してもよい。
【００１６】
本発明による創傷/包帯プロテクタは、好ましくはガーゼポートと本体部の第1の端部との間において本体部上に設けられたストリップを有してもよい。ガーゼポートがない場合、ストリップは、本体部の第1の端部の近位に配置されることが好ましい。ストリップは、本体部の少なくとも創傷対向側に露出されるゴム引き材料で構成されてもよい。代替として、本体部の創傷対向側の全体または一部が粘着性表面を有してもよい。
【００１７】
本発明による創傷/包帯プロテクタはカバーを有してもよい。本発明による創傷/包帯プロテクタのそのような実施形態において、本体部は開口を有し、カバーおよび開口は、カバーが開口を完全に閉鎖するのを可能にするようなサイズを有する。本体部は、開口を囲む棚部を有するように構成されてもよく、カバーは、少なくとも一部が棚部上に延びることによって開口を閉鎖するようなサイズを有する。この例示的な実施形態による創傷/包帯プロテクタは、本体部の非創傷対向側表面上に設けられ開口を囲む伸縮不能または実質的に伸縮不能なリムをさらに備えてもよい。リムの表面は、カバーを着脱可能に取り付けるのを可能にするようなサイズおよび構成を有する。
【００１８】
本発明による創傷/包帯プロテクタは、本体部の長さに沿って周期的に設けられたデッドゾーンを有してもよい。デッドゾーンは、包帯の長さに対して幅方向に延びるように構成され、好ましくは本体部の長さに沿って少なくとも3インチ(7.62cm)おきに設けられてもよい。
【００１９】
本発明による創傷/包帯プロテクタは、本体部の第1の端部の近位において本体部上に位置するかまたは本体部の第1の端部の近位において本体部に組み込まれたガーゼパネルを有してもよい。ガーゼパネルは、本体部の創傷対向側へのガーゼパッドの取付けおよび/または本体部の創傷対向側へのガーゼパッドの取付けの繰返しを可能にするように構成されてもよい。ガーゼパネルは、ガーゼパッドの全体または実質的に全体をガーゼパネルに取り付けるかまたは着脱可能に取り付けるのを可能にするようなサイズを有してもよい。ガーゼパネルおよびガーゼパネルが位置するかまたは一体化された本体部の部分は、デッドゾーンとして構成されてもよい。代替として、ガーゼパッドおよびガーゼパネルは伸縮自在な材料で構成されてもよい。
【００２０】
本発明による包帯の例示的な一実施形態において、包帯は、本体部の創傷対向側に固定された伸縮自在なガーゼパッドを有する伸縮自在な本体部で構成される。この本体部は、創傷対向側の少なくとも一部上に接着剤を有するか、または代替として、Coban(商標)のような自着性材料で構成される。
【００２１】
本発明による包帯の別の例示的な実施形態において、包帯は、本体部と、本体部の創傷対向側のガーゼパッドとを有する。ガーゼパッドは、包帯が「ダイヤモンド形ガーゼ付き」粘着包帯として構成されるような本体部上の形状および位置を有する。本体部は、創傷対向側の少なくとも一部上に接着剤を有するかまたは代替として、自着性材料で構成される。
【００２２】
本発明による包帯の別の例示的な実施形態において、包帯は、本体部とガーゼパッドとを有する「ダイヤモンド形ガーゼ付き」包帯である。本体部は、創傷対向側の少なくとも一部上に接着剤を有するかまたは代替として、自着性材料で構成される。ガーゼパッドは、方形、菱形、または平行四辺形として形作られ、ガーゼパッドの各角部が粘着包帯の異なる長さ接線または幅接線の方へ向けられるように本体部の創傷対向側で向きを定められる。
【００２３】
本発明による包帯の別の例示的な実施形態において、包帯は、カバーをさらに含む。本体部は開口を有し、カバーおよび開口は、カバーが開口を完全に閉鎖するのを可能にするようなサイズを有する。本体部は、開口を囲む棚部を有するように構成されてもよい。そのような実施形態において、カバーは、少なくとも一部が棚部上に延びることによって開口を閉鎖するようなサイズを有する。
【００２４】
本発明による創傷/包帯プロテクタの別の例示的な実施形態において、創傷/包帯プロテクタは、本体と、固着ストラップと、カバーとで構成されてもよい。本体は、伸縮自在な材料で構成され、かつ開放された第1の端部と、閉鎖された第2の端部と、内部創傷対向側と、外部非創傷対向側とを有する靴下/ミトンとして構成される。本体は、ほとんどまたはまったく伸縮しないパネルを有してもよい。固着ストラップは、第1のストラップ部と第2のストラップ部とで構成される。第1のストラップ部は、本体に連結され、かつ伸縮自在な材料で構成される。第2のストラップ部は、第1のストラップ部に連結される。第2のストラップ部の創傷対向側の少なくとも一部は、本体の外部非創傷対向側の少なくとも一部、第1のストラップ部の非創傷対向側の少なくとも一部、および第2のストラップ部の非創傷対向側の少なくとも一部に固着できるように構成される。固着ストラップは、第1のストラップ部を本体の外部非創傷対向側に連結するデッドゾーンとして構成された第3のストラップ部を有してもよい。固着ストラップは、第1のストラップ部と第2のストラップ部を連結するデッドゾーンとして構成された第4のストラップ部を有してもよい。第3のストラップ部と第4のストラップ部はどちらも、固着ストラップの少なくとも創傷対向側に露出されるゴム引き表面または粘着性表面を有する。
【００２５】
この例示的な実施形態による創傷/包帯プロテクタは、第1の開放端部と第2の閉鎖端部とを有するシースを含んでもよく、シースは、創傷/包帯プロテクタの本体全体上に嵌るようなサイズおよび構成を有する。シースの長穴またはスリットは、固着ストラップが長穴またはストリップに嵌るのを可能にするようなサイズおよび位置を有する。固着ストラップは、シースの外側の周囲を延び、第2のストラップ部の創傷対向側を固着ストラップの非創傷対向側に固着することによって、包帯が巻かれている付属肢に本体とシースの両方を固定するのを可能にするようなサイズを有する。
【００２６】
本発明による包帯の別の例示的な実施形態において、包帯はカバーをさらに含む。本体部は開口を有し、カバーおよび開口は、カバーが開口を完全に閉鎖するのを可能にするようなサイズを有する。本体部は、開口を囲む棚部を有するように構成されてもよい。そのような実施形態において、カバーは、少なくとも一部が棚部上に延びることによって開口を閉鎖するようなサイズを有する。
【００２７】
本発明による包帯の別の例示的な実施形態において、包帯は、本体部と、カバーと、リムとを有する。本体部は開口を有し、カバーおよび開口は、カバーが開口を完全に閉鎖するのを可能にするようなサイズを有する。リムは、本体部の非創傷対向側表面上に位置して開口を囲み、好ましくは、伸縮不能または実質的に伸縮不能である。リムの表面は、カバーを着脱可能に取り付けるのを可能にするようなサイズおよび構成を有する。
【００２８】
本発明による包帯の別の例示的な実施形態において、包帯は本体部とカバーとを有する。本体部は、開口の各角部が粘着包帯の異なる長さ接線または幅接線の方へ向けられるように方形、菱形、または平行四辺形として形作られた開口を有する。カバーは、開口を完全に閉鎖するようなサイズを有する。
【００２９】
本発明による包帯の別の例示的な実施形態において、包帯は、三角形の本体部と三角形のガーゼパッドとを有する「三角形ガーゼ付き」包帯である。三角形の本体部は、創傷対向側の少なくとも一部上に接着剤を有する。三角形のガーゼパッドは、ガーゼパッドの各角部が粘着包帯の異なる辺の方へ向けられるように本体部の創傷対向側で向きを定められる。三角形のガーゼパッドは、ガーゼパッドの各角部が粘着包帯の異なる辺の中点または中央部の方へ向けられるように本体部の創傷対向側で向きを定められる。
【００３０】
本発明による包帯の別の例示的な実施形態において、包帯は、円形の本体部と三角形のガーゼパッドとを有する「三角形ガーゼ付き」包帯である。円形の本体部は、創傷対向側の少なくとも一部上に接着剤を有する。三角形のガーゼパッドは、本体部の創傷対向側に設けられる。
【００３１】
さらに、本発明は、本明細書で開示する包帯のすべてまたは一部を含むキットにも関する。
【００３２】
本発明は、本明細書で開示する創傷/包帯プロテクタ、包帯、およびスーパーストレッチチューブの例示的な実施形態のような創傷/包帯プロテクタ、包帯、およびスーパーストレッチチューブを使用して創傷を保護する方法も開示する。したがって、たとえば、開口を有する包帯を使用して、開口が開放された包帯を巻き付け、ガーゼおよび薬剤を創傷上に配置し、包帯の開口を閉鎖することによって創傷を保護してもよい。この方法は、開口を有する創傷/包帯プロテクタに適用されてもよい。さらに、創傷/包帯プロテクタまたはスーパーストレッチチューブは、開口を有する包帯または創傷/包帯プロテクタの上方に位置してもよい。本明細書で開示するすべての包帯および創傷/包帯プロテクタと同様に、まず、創傷の上方に包帯または創傷/包帯プロテクタを配置し、次に、包帯または創傷/包帯プロテクタの上方に創傷/包帯プロテクタまたはスーパーストレッチチューブを位置させてもよい。さらに、本発明は、本明細書で開示するような創傷/包帯プロテクタ、包帯、および/またはスーパーストレッチチューブのすべてまたは一部を含むキットにも関する。
【図面の簡単な説明】
【００３３】
【図１（ａ）】本発明によるスーパーストレッチチューブの例示的な実施形態の斜視側面図である。
【図１（ｂ）】図1(a)の線I-I'に沿ったスーパーストレッチチューブの例示的な実施形態の断面図である。
【図２（ａ）】本発明による創傷/包帯プロテクタの例示的な実施形態の側面図である。
【図２（ｂ）】図2(a)に示す創傷/包帯プロテクタ用の保護シースの例示的な実施形態の側面図である。
【図２（ｃ）】創傷/包帯プロテクタを固定するプロセスを示す、図2(a)に示す創傷/包帯プロテクタの例示的な実施形態の側面図である。
【図２（ｄ）】本発明による創傷/包帯プロテクタの例示的な実施形態の側面図である。
【図２（ｅ）】ストラップが開放位置にある、線2e-2e'に沿った、図2(d)に示す創傷/包帯プロテクタの上面断面図である。
【図２（ｆ）】ストラップ部が閉鎖位置にある、図2(d)に示す創傷/包帯プロテクタの上面断面図である。
【図３（ａ）】本発明による創傷/包帯プロテクタの例示的な実施形態の側面図である。
【図３（ｂ）】図3(a)に示す創傷/包帯プロテクタ用の保護シースの例示的な実施形態の側面図である。
【図４】本発明による創傷/包帯プロテクタの例示的な実施形態の側面図である。
【図５】本発明による創傷/包帯プロテクタの例示的な実施形態の側面図である。
【図６（ａ）】本発明による創傷/包帯プロテクタの例示的な実施形態の非創傷対向側上面図である。
【図６（ｂ）】図6(a)に示す創傷/包帯プロテクタの例示的な実施形態の創傷対向側底面図である。
【図６（ｃ）】図6(b)の線II-II'に沿った、図6(a)および図6(b)に示す創傷/包帯プロテクタの例示的な実施形態の側面断面図である。
【図７（ａ）】本発明による創傷/包帯プロテクタの例示的な実施形態の非創傷対向側上面図である。
【図７（ｂ）】図7(a)に示す創傷/包帯プロテクタの例示的な実施形態の創傷対向側底面図である。
【図７（ｃ）】図7(b)の線III-III'に沿った、図7(a)および図7(b)に示す創傷/包帯プロテクタの例示的な実施形態の側面断面図である。
【図８（ａ）】本発明による創傷/包帯プロテクタの例示的な実施形態の非創傷対向側上面図である。
【図８（ｂ）】図8(a)に示す創傷/包帯プロテクタの例示的な実施形態の創傷対向側底面図である。
【図８（ｃ）】図8(b)の線IV-IV'に沿った、図8(a)および図8(b)に示す創傷/包帯プロテクタの例示的な実施形態の側面断面図である。
【図９（ａ）】本発明による創傷/包帯プロテクタの例示的な実施形態の非創傷対向側上面図である。
【図９（ｂ）】図9(a)に示す創傷/包帯プロテクタの例示的な実施形態の創傷対向側底面図である。
【図９（ｃ）】図9(b)の線V-V'に沿った、図9(a)および図9(b)に示す創傷/包帯プロテクタの例示的な実施形態の側面断面図である。
【図１０（ａ）】本発明による創傷/包帯プロテクタの例示的な実施形態の非創傷対向側上面図である。
【図１０（ｂ）】図10(a)に示す創傷/包帯プロテクタの例示的な実施形態の創傷対向側底面図である。
【図１０（ｃ）】図10(b)の線VI-VI'に沿った、図10(a)および図10(b)に示す創傷/包帯プロテクタの例示的な実施形態の側面断面図である。
【図１１（ａ）】本発明による創傷/包帯プロテクタの例示的な実施形態の非創傷対向側上面図である。
【図１１（ｂ）】図11(a)に示す創傷/包帯プロテクタの例示的な実施形態の創傷対向側底面図である。
【図１１（ｃ）】図11(b)の線VII-VII'に沿った、図11(a)および図11(b)に示す創傷/包帯プロテクタの例示的な実施形態の側面断面図である。
【図１２（ａ）】本発明による「ダイヤモンド形ガーゼ付き」粘着包帯の例示的な実施形態の創傷対向側底面図である。
【図１２（ｂ）】図12(a)に示す「ダイヤモンド形ガーゼ付き」粘着包帯の例示的な実施形態の非創傷対向側上面図である。
【図１２（ｃ）】図12(a)および図12(b)に示す「ダイヤモンド形ガーゼ付き」粘着包帯の例示的な実施形態の側面図である(反対側からの図は鏡像である)。
【図１２（ｄ）】図12(a)および図12(b)に示す「ダイヤモンド形ガーゼ付き」粘着包帯の例示的な実施形態の端面図である(反対側からの図は鏡像である)。
【図１２（ｅ）】図12(a)および図12(b)に示す「ダイヤモンド形ガーゼ付き」粘着包帯の例示的な実施形態の斜視図である。
【図１２（ｆ）】図12(a)および図12(b)に示す「ダイヤモンド形ガーゼ付き」粘着包帯の例示的な実施形態の第2の斜視図である。
【図１３（ａ）】本発明による「ダイヤモンド形ガーゼ付き」粘着包帯の例示的な実施形態の創傷対向側底面図である。
【図１３（ｂ）】図13(a)に示す「ダイヤモンド形ガーゼ付き」粘着包帯の例示的な実施形態の非創傷対向側上面図である。
【図１３（ｃ）】図13(a)および図13(b)に示す「ダイヤモンド形ガーゼ付き」粘着包帯の例示的な実施形態の側面図である(反対側からの図は鏡像である)。
【図１３（ｄ）】図13(a)および図13(b)に示す「ダイヤモンド形ガーゼ付き」粘着包帯の例示的な実施形態の端面図である(反対側からの図は鏡像である)。
【図１３（ｅ）】図13(a)および図13(b)に示す「ダイヤモンド形ガーゼ付き」粘着包帯の例示的な実施形態の斜視図である。
【図１３（ｆ）】図13(a)および図13(b)に示す「ダイヤモンド形ガーゼ付き」粘着包帯の例示的な実施形態の第2の斜視図である。
【図１４（ａ）】本発明による「ダイヤモンド形ガーゼ付き」粘着包帯の例示的な実施形態の創傷対向側底面図である。
【図１４（ｂ）】図14(a)に示す「ダイヤモンド形ガーゼ付き」粘着包帯の例示的な実施形態の非創傷対向側上面図である。
【図１４（ｃ）】図14(a)および図14(b)に示す「ダイヤモンド形ガーゼ付き」粘着包帯の例示的な実施形態の側面図である(反対側からの図は鏡像である)。
【図１４（ｄ）】図14(a)および図14(b)に示す「ダイヤモンド形ガーゼ付き」粘着包帯の例示的な実施形態の端面図である(反対側からの図は鏡像である)。
【図１４（ｅ）】図14(a)および図14(b)に示す「ダイヤモンド形ガーゼ付き」粘着包帯の例示的な実施形態の斜視図である。
【図１５（ａ）】本発明による「ダイヤモンド形ガーゼ付き」粘着包帯の例示的な実施形態の創傷対向側底面図である。
【図１５（ｂ）】図15(a)に示す「ダイヤモンド形ガーゼ付き」粘着包帯の例示的な実施形態の非創傷対向側上面図である。
【図１５（ｃ）】図15(a)および図15(b)に示す「ダイヤモンド形ガーゼ付き」粘着包帯の例示的な実施形態の側面図である(反対側からの図は鏡像である)。
【図１５（ｄ）】図15(a)および図15(b)に示す「ダイヤモンド形ガーゼ付き」粘着包帯の例示的な実施形態の端面図である(反対側からの図は鏡像である)。
【図１５（ｅ）】図15(a)および図15(b)に示す「ダイヤモンド形ガーゼ付き」粘着包帯の例示的な実施形態の斜視図である。
【図１６（ａ）】本発明による「ダイヤモンド形ガーゼ付き」粘着包帯の例示的な実施形態の創傷対向側底面図である。
【図１６（ｂ）】図16(a)に示す「ダイヤモンド形ガーゼ付き」粘着包帯の例示的な実施形態の非創傷対向側上面図である。
【図１６（ｃ）】図16(a)および図16(b)に示す「ダイヤモンド形ガーゼ付き」粘着包帯の例示的な実施形態の側面図である(反対側からの図は鏡像である)。
【図１６（ｄ）】図16(a)および図16(b)に示す「ダイヤモンド形ガーゼ付き」粘着包帯の例示的な実施形態の端面図である(反対側からの図は鏡像である)。
【図１６（ｅ）】図16(a)および図16(b)に示す「ダイヤモンド形ガーゼ付き」粘着包帯の例示的な実施形態の斜視図である。
【図１７（ａ）】本発明による「ダイヤモンド形ガーゼ付き」粘着包帯の例示的な実施形態の創傷対向側底面図である。
【図１７（ｂ）】図17(a)に示す「ダイヤモンド形ガーゼ付き」粘着包帯の例示的な実施形態の非創傷対向側上面図である。
【図１７（ｃ）】図17(a)および図17(b)に示す「ダイヤモンド形ガーゼ付き」粘着包帯の例示的な実施形態の側面図である(反対側からの図は鏡像である)。
【図１７（ｄ）】図17(a)および図17(b)に示す「ダイヤモンド形ガーゼ付き」粘着包帯の例示的な実施形態の端面図である(反対側からの図は鏡像である)。
【図１７（ｅ）】図17(a)および図17(b)に示す「ダイヤモンド形ガーゼ付き」粘着包帯の例示的な実施形態の斜視図である。
【図１８（ａ）】本発明による「ダイヤモンド形ガーゼ付き」粘着包帯の例示的な実施形態の創傷対向側底面図である。
【図１８（ｂ）】図18(a)に示す「ダイヤモンド形ガーゼ付き」粘着包帯の例示的な実施形態の非創傷対向側上面図である。
【図１８（ｃ）】図18(a)および図18(b)に示す「ダイヤモンド形ガーゼ付き」粘着包帯の例示的な実施形態の側面図である(反対側からの図は鏡像である)。
【図１８（ｄ）】図18(a)および図18(b)に示す「ダイヤモンド形ガーゼ付き」粘着包帯の例示的な実施形態の端面図である(反対側からの図は鏡像である)。
【図１８（ｅ）】図18(a)および図18(b)に示す「ダイヤモンド形ガーゼ付き」粘着包帯の例示的な実施形態の斜視図である。
【図１９（ａ）】本発明による「ダイヤモンド形ガーゼ付き」粘着包帯の例示的な実施形態の創傷対向側底面図である。
【図１９（ｂ）】図19(a)に示す「ダイヤモンド形ガーゼ付き」粘着包帯の例示的な実施形態の非創傷対向側上面図である。
【図１９（ｃ）】図19(a)および図19(b)に示す「ダイヤモンド形ガーゼ付き」粘着包帯の例示的な実施形態の第1の側面図である。
【図１９（ｄ）】図19(a)および図19(b)に示す「ダイヤモンド形ガーゼ付き」粘着包帯の例示的な実施形態の第2の側面図である。
【図１９（ｅ）】図19(a)および図19(b)に示す「ダイヤモンド形ガーゼ付き」粘着包帯の例示的な実施形態の第1の端面図である。
【図１９（ｆ）】図19(a)および図19(b)に示す「ダイヤモンド形ガーゼ付き」粘着包帯の例示的な実施形態の第2の端面図である。
【図１９（ｇ）】図19(a)および図19(b)に示す「ダイヤモンド形ガーゼ付き」粘着包帯の例示的な実施形態の斜視図である。
【図２０（ａ）】本発明による「ダイヤモンド形ガーゼ付き」粘着包帯の例示的な実施形態の創傷対向側底面図である。
【図２０（ｂ）】図20(a)に示す「ダイヤモンド形ガーゼ付き」粘着包帯の例示的な実施形態の非創傷対向側上面図である。
【図２０（ｃ）】図20(a)および図20(b)に示す「ダイヤモンド形ガーゼ付き」粘着包帯の例示的な実施形態の第1の側面図である。
【図２０（ｄ）】図20(a)および図20(b)に示す「ダイヤモンド形ガーゼ付き」粘着包帯の例示的な実施形態の第2の側面図である。
【図２０（ｅ）】図20(a)および図20(b)に示す「ダイヤモンド形ガーゼ付き」粘着包帯の例示的な実施形態の第1の端面図である。
【図２０（ｆ）】図20(a)および図20(b)に示す「ダイヤモンド形ガーゼ付き」粘着包帯の例示的な実施形態の第2の端面図である。
【図２０（ｇ）】図20(a)および図20(b)に示す「ダイヤモンド形ガーゼ付き」粘着包帯の例示的な実施形態の斜視図である。
【図２１（ａ）】本発明による「ダイヤモンド形ガーゼ付き」粘着包帯の例示的な実施形態の創傷対向側底面図である。
【図２１（ｂ）】図21(a)に示す「ダイヤモンド形ガーゼ付き」粘着包帯の例示的な実施形態の非創傷対向側上面図である。
【図２１（ｃ）】図21(a)および図21(b)に示す「ダイヤモンド形ガーゼ付き」粘着包帯の例示的な実施形態の側面図である(反対側からの図は鏡像である)。
【図２１（ｄ）】図21(a)および図21(b)に示す「ダイヤモンド形ガーゼ付き」粘着包帯の例示的な実施形態の端面図である(反対側からの図は鏡像である)。
【図２１（ｅ）】図21(a)および図21(b)に示す「ダイヤモンド形ガーゼ付き」粘着包帯の例示的な実施形態の斜視図である。
【図２２（ａ）】本発明による「三角形ガーゼ付き」粘着包帯の例示的な実施形態の創傷対向側底面図である。
【図２２（ｂ）】図22(a)に示す「三角形ガーゼ付き」粘着包帯の例示的な実施形態の非創傷対向側上面図である。
【図２２（ｃ）】図22(a)および図22(b)に示す「三角形ガーゼ付き」粘着包帯の例示的な実施形態の第1の側面図である。
【図２２（ｄ）】図22(a)および図22(b)に示す「三角形ガーゼ付き」粘着包帯の例示的な実施形態の第2の側面図である。
【図２２（ｅ）】図22(a)および図22(b)に示す「三角形ガーゼ付き」粘着包帯の例示的な実施形態の第1の端面図である。
【図２２（ｆ）】図22(a)および図22(b)に示す「三角形ガーゼ付き」粘着包帯の例示的な実施形態の第2の端面図である。
【図２２（ｇ）】図22(a)および図22(b)に示す「三角形ガーゼ付き」粘着包帯の例示的な実施形態の斜視図である。
【図２３（ａ）】本発明による「三角形ガーゼ付き」粘着包帯の例示的な実施形態の創傷対向側底面図である。
【図２３（ｂ）】図23(a)に示す「三角形ガーゼ付き」粘着包帯の例示的な実施形態の非創傷対向側上面図である。
【図２３（ｃ）】図23(a)および図23(b)に示す「三角形ガーゼ付き」粘着包帯の例示的な実施形態の第1の側面図である。
【図２３（ｄ）】図23(a)および図23(b)に示す「三角形ガーゼ付き」粘着包帯の例示的な実施形態の第2の側面図である。
【図２３（ｅ）】図23(a)および図23(b)に示す「三角形ガーゼ付き」粘着包帯の例示的な実施形態の第1の端面図である。
【図２３（ｆ）】図23(a)および図23(b)に示す「三角形ガーゼ付き」粘着包帯の例示的な実施形態の第2の端面図である。
【図２３（ｇ）】図23(a)および図23(b)に示す「三角形ガーゼ付き」粘着包帯の例示的な実施形態の斜視図である。
【図２４（ａ）】本発明による「ダイヤモンド形ガーゼ付き」包帯の例示的な実施形態の創傷対向側底面図である。
【図２４（ｂ）】図24(a)および図24(c)に示す「ダイヤモンド形ガーゼ付き」包帯の例示的な実施形態の斜視図である。
【図２４（ｃ）】図24(a)に示す「ダイヤモンド形ガーゼ付き」包帯の例示的な実施形態の非創傷対向側上面図である。
【図２４（ｄ）】図24(a)および図24(b)に示す「ダイヤモンド形ガーゼ付き」包帯の例示的な実施形態の、長さ接線249Cに沿った側面図である(反対側の長さ接線249Aからの図は鏡像である)。
【図２４（ｅ）】図24(a)および図24(b)に示す「ダイヤモンド形ガーゼ付き」包帯の例示的な実施形態の、幅接線249Bに沿った側面図である。
【図２４（ｆ）】図24(a)および図24(b)に示す「ダイヤモンド形ガーゼ付き」包帯の例示的な実施形態の、幅接線249Dに沿った側面図である。
【図２５（ａ）】本発明による「ダイヤモンド形ガーゼ付き」包帯用の凸状側面を有する例示的なガーゼパッド構成の上面図である。
【図２５（ｂ）】本発明による「ダイヤモンド形ガーゼ付き」包帯用の凹状側面を有する例示的なガーゼパッド構成の上面図である。
【図２５（ｃ）】本発明による「ダイヤモンド形ガーゼ付き」包帯用の波状側面を有する例示的なガーゼパッド構成の上面図である。
【図２５（ｄ）】本発明による「ダイヤモンド形ガーゼ付き」包帯用の丸い角部を有する例示的なガーゼパッド構成の上面図である。
【図２５（ｅ）】本発明による「ダイヤモンド形ガーゼ付き」包帯用の方形を有する例示的なガーゼパッド構成の上面図である。
【図２５（ｆ）】本発明による「ダイヤモンド形ガーゼ付き」包帯用のオフセットダイヤモンド形を有する例示的なガーゼパッド構成の上面図である。
【図２５（ｇ）】本発明による「ダイヤモンド形ガーゼ付き」包帯用のダイヤモンド形または菱形を有する例示的なガーゼパッド構成の上面図である。
【図２５（ｈ）】本発明による「ダイヤモンド形ガーゼ付き」包帯用の凧形を有する例示的なガーゼパッド構成の上面図である。
【図２５（ｉ）】本発明による「ダイヤモンド形ガーゼ付き」包帯用の矩形を有する例示的なガーゼパッド構成の上面図である。
【図２５（ｊ）】本発明による「ダイヤモンド形ガーゼ付き」包帯用の、互いに向かい合う2つの角部が切り取られた例示的なガーゼパッド構成の上面図である。
【図２５（ｋ）】本発明による「ダイヤモンド形ガーゼ付き」包帯用の、切り取られた4つの角部を有する例示的なガーゼパッド構成の上面図である。
【図２５（ｌ）】本発明による「ダイヤモンド形ガーゼ付き」包帯用の水平軸および垂直軸に関する長さおよび幅の定義を示す図である。
【図２５（ｍ）】本発明による「ダイヤモンド形ガーゼ付き」包帯用のガーゼパッドの向きの例示的な好ましい範囲を示す図である。
【図２６（ａ）】本発明による「ダイヤモンド形ガーゼ付き」包帯の例示的な実施形態の創傷対向側底面図である。
【図２６（ｂ）】図26(a)に示す「ダイヤモンド形ガーゼ付き」包帯の例示的な実施形態の非創傷対向側上面図である。
【図２６（ｃ）】図26(a)および図26(b)に示す「ダイヤモンド形ガーゼ付き」包帯の例示的な実施形態の、長さ接線269Cに沿った側面図である(反対側の長さ接線269Aからの図は鏡像である)。
【図２６（ｄ）】図26(a)および図26(b)に示す「ダイヤモンド形ガーゼ付き」包帯の例示的な実施形態の、幅接線269Bに沿った側面図である。
【図２６（ｅ）】図26(a)および図26(b)に示す「ダイヤモンド形ガーゼ付き」包帯の例示的な実施形態の、幅接線269Dに沿った側面図である。
【図２６（ｆ）】図26(a)および図26(b)に示す「ダイヤモンド形ガーゼ付き」包帯の例示的な実施形態の斜視図である。
【図２７（ａ）】本発明による「ダイヤモンド形ガーゼ付き」包帯の例示的な実施形態の創傷対向側底面図である。
【図２７（ｂ）】図27(a)に示す「ダイヤモンド形ガーゼ付き」包帯の例示的な実施形態の非創傷対向側上面図である。
【図２７（ｃ）】図27(a)および図27(b)に示す「ダイヤモンド形ガーゼ付き」包帯の例示的な実施形態の、長さ接線279Aに沿った側面図である(反対側の長さ接線279Cからの図は鏡像である)。
【図２７（ｄ）】図27(a)および図27(b)に示す「ダイヤモンド形ガーゼ付き」包帯の例示的な実施形態の、幅接線279Bに沿った側面図である(反対側の幅接線279Dからの図は鏡像である)。
【図２７（ｅ）】図27(a)および図27(b)に示す「ダイヤモンド形ガーゼ付き」包帯の例示的な実施形態の斜視図である。
【図２８（ａ）】本発明による「ダイヤモンド形ガーゼ付き」包帯の例示的な実施形態の創傷対向側底面図である。
【図２８（ｂ）】図28(a)に示す「ダイヤモンド形ガーゼ付き」包帯の例示的な実施形態の非創傷対向側上面図である。
【図２８（ｃ）】図28(a)および図28(b)に示す「ダイヤモンド形ガーゼ付き」包帯の例示的な実施形態の、長さ接線289Aに沿った側面図である(反対側の長さ接線289Cからの図は鏡像である)。
【図２８（ｄ）】図28(a)および図28(b)に示す「ダイヤモンド形ガーゼ付き」包帯の例示的な実施形態の、幅接線289Bに沿った側面図である(反対側の幅接線289Dからの図は鏡像である)。
【図２８（ｅ）】図28(a)および図28(b)に示す「ダイヤモンド形ガーゼ付き」包帯の例示的な実施形態の斜視図である。
【図２９（ａ）】本発明による「ダイヤモンド形ガーゼ付き」包帯の例示的な実施形態の創傷対向側底面図である。
【図２９（ｂ）】図29(a)に示す「ダイヤモンド形ガーゼ付き」包帯の例示的な実施形態の非創傷対向側上面図である。
【図２９（ｃ）】図29(a)および図29(b)に示す「ダイヤモンド形ガーゼ付き」包帯の例示的な実施形態の、長さ接線299Cに沿った側面図である(反対側の長さ接線299Aからの図は鏡像である)。
【図２９（ｄ）】図29(a)および図29(b)に示す「ダイヤモンド形ガーゼ付き」包帯の例示的な実施形態の、幅接線299Dに沿った側面図である。
【図２９（ｅ）】図29(a)および図29(b)に示す「ダイヤモンド形ガーゼ付き」包帯の例示的な実施形態の、幅接線299Bに沿った側面図である。
【図２９（ｆ）】図29(a)および図29(b)に示す「ダイヤモンド形ガーゼ付き」包帯の例示的な実施形態の斜視図である。
【図３０（ａ）】本発明による「ダイヤモンド形ガーゼ付き」包帯の例示的な実施形態の創傷対向側底面図である。
【図３０（ｂ）】図30(a)に示す「ダイヤモンド形ガーゼ付き」包帯の例示的な実施形態の非創傷対向側上面図である。
【図３０（ｃ）】図30(a)および図30(b)に示す「ダイヤモンド形ガーゼ付き」包帯の例示的な実施形態の、長さ接線309Aに沿った側面図である(反対側の長さ接線309Cからの図は鏡像である)。
【図３０（ｄ）】図30(a)および図30(b)に示す「ダイヤモンド形ガーゼ付き」包帯の例示的な実施形態の、幅接線309Bに沿った側面図である(反対側の幅接線309Dからの図は鏡像である)。
【図３０（ｅ）】図30(a)および図30(b)に示す「ダイヤモンド形ガーゼ付き」包帯の例示的な実施形態の斜視図である。
【図３１（ａ）】本発明による「ダイヤモンド形ガーゼ付き」包帯の例示的な実施形態の創傷対向側底面図である。
【図３１（ｂ）】図31(a)に示す「ダイヤモンド形ガーゼ付き」包帯の例示的な実施形態の非創傷対向側上面図である。
【図３１（ｃ）】図31(a)および図31(b)に示す「ダイヤモンド形ガーゼ付き」包帯の例示的な実施形態の、長さ接線319Aに沿った側面図である(反対側の長さ接線319Cからの図は鏡像である)。
【図３１（ｄ）】図31(a)および図31(b)に示す「ダイヤモンド形ガーゼ付き」包帯の例示的な実施形態の、幅接線319Bに沿った側面図である(反対側の幅接線319Dからの図は鏡像である)。
【図３１（ｅ）】図31(a)および図31(b)に示す「ダイヤモンド形ガーゼ付き」包帯の例示的な実施形態の斜視図である。
【図３２（ａ）】本発明による「ダイヤモンド形ガーゼ付き」包帯の例示的な実施形態の創傷対向側底面図である。
【図３２（ｂ）】図32(a)に示す「ダイヤモンド形ガーゼ付き」包帯の例示的な実施形態の非創傷対向側上面図である。
【図３２（ｃ）】図32(a)および図32(b)に示す「ダイヤモンド形ガーゼ付き」包帯の例示的な実施形態の、長さ接線329Aに沿った側面図である(反対側の長さ接線329Cからの図は鏡像である)。
【図３２（ｄ）】図32(a)および図32(b)に示す「ダイヤモンド形ガーゼ付き」包帯の例示的な実施形態の、幅接線329Bに沿った側面図である(反対側の幅接線329Dからの図は鏡像である)。
【図３２（ｅ）】図32(a)および図32(b)に示す「ダイヤモンド形ガーゼ付き」包帯の例示的な実施形態の斜視図である。
【図３３（ａ）】本発明による「ダイヤモンド形ガーゼ付き」包帯の例示的な実施形態の創傷対向側底面図である。
【図３３（ｂ）】図33(a)に示す「ダイヤモンド形ガーゼ付き」包帯の例示的な実施形態の非創傷対向側上面図である。
【図３３（ｃ）】図33(a)および図33(b)に示す「ダイヤモンド形ガーゼ付き」包帯の例示的な実施形態の、長さ接線339Aに沿った側面図である(反対側の長さ接線339Cからの図は鏡像である)。
【図３３（ｄ）】図33(a)および図33(b)に示す「ダイヤモンド形ガーゼ付き」包帯の例示的な実施形態の、幅接線339Bに沿った側面図である(反対側の幅接線339Dからの図は鏡像である)。
【図３３（ｅ）】図33(a)および図33(b)に示す「ダイヤモンド形ガーゼ付き」包帯の例示的な実施形態の斜視図である。
【図３４（ａ）】本発明による「ダイヤモンド形ガーゼ付き」包帯の例示的な実施形態の創傷対向側底面図である。
【図３４（ｂ）】図34(a)に示す「ダイヤモンド形ガーゼ付き」包帯の例示的な実施形態の非創傷対向側上面図である。
【図３４（ｃ）】図34(a)および図34(b)に示す「ダイヤモンド形ガーゼ付き」包帯の例示的な実施形態の、長さ接線349Aに沿った側面図である(反対側の長さ接線349Cからの図は鏡像である)。
【図３４（ｄ）】図34(a)および図34(b)に示す「ダイヤモンド形ガーゼ付き」包帯の例示的な実施形態の、幅接線349Bに沿った側面図である(反対側の接線349Dからの図は鏡像である)。
【図３４（ｅ）】図34(a)および図34(b)に示す「ダイヤモンド形ガーゼ付き」包帯の例示的な実施形態の斜視図である。
【図３５（ａ）】本発明による「ダイヤモンド形ガーゼ付き」包帯の例示的な実施形態の創傷対向側底面図である。
【図３５（ｂ）】図35(a)に示す「ダイヤモンド形ガーゼ付き」包帯の例示的な実施形態の非創傷対向側上面図である。
【図３５（ｃ）】図35(a)および図35(b)に示す「ダイヤモンド形ガーゼ付き」包帯の例示的な実施形態の、長さ接線359Aに沿った側面図である(反対側の長さ接線359Cからの図は鏡像である)。
【図３５（ｄ）】図35(a)および図35(b)に示す「ダイヤモンド形ガーゼ付き」包帯の例示的な実施形態の、幅接線359Bに沿った側面図である(反対側の幅接線359Dからの図は鏡像である)。
【図３５（ｅ）】図35(a)および図35(b)に示す「ダイヤモンド形ガーゼ付き」包帯の例示的な実施形態の斜視図である。
【図３６（ａ）】本発明による「ダイヤモンド形ガーゼ付き」包帯の例示的な実施形態の創傷対向側底面図である。
【図３６（ｂ）】図36(a)に示す「ダイヤモンド形ガーゼ付き」包帯の例示的な実施形態の非創傷対向側上面図である。
【図３６（ｃ）】図36(a)および図36(b)に示す「ダイヤモンド形ガーゼ付き」包帯の例示的な実施形態の、長さ接線369Aに沿った側面図である(反対側の長さ接線369Cからの図は鏡像である)。
【図３６（ｄ）】図36(a)および図36(b)に示す「ダイヤモンド形ガーゼ付き」包帯の例示的な実施形態の、幅接線369Bに沿った側面図である(反対側の幅接線369Dからの図は鏡像である)。
【図３６（ｅ）】図36(a)および図36(b)に示す「ダイヤモンド形ガーゼ付き」包帯の例示的な実施形態の斜視図である。
【図３７（ａ）】本発明による「ダイヤモンド形ガーゼ付き」包帯の例示的な実施形態の創傷対向側底面図である。
【図３７（ｂ）】図37(a)に示す「ダイヤモンド形ガーゼ付き」包帯の例示的な実施形態の非創傷対向側上面図である。
【図３７（ｃ）】図37(a)および図37(b)に示す「ダイヤモンド形ガーゼ付き」包帯の例示的な実施形態の、長さ接線379Aに沿った側面図である(反対側の長さ接線379Cからの図は鏡像である)。
【図３７（ｄ）】図37(a)および図37(b)に示す「ダイヤモンド形ガーゼ付き」包帯の例示的な実施形態の、幅接線379Bに沿った側面図である(反対側の幅接線379Dからの図は鏡像である)。
【図３７（ｅ）】図37(a)および図37(b)に示す「ダイヤモンド形ガーゼ付き」包帯の例示的な実施形態の斜視図である。
【図３８（ａ）】本発明による「ダイヤモンド形ガーゼ付き」包帯の例示的な実施形態の創傷対向側底面図である。
【図３８（ｂ）】図38(a)に示す「ダイヤモンド形ガーゼ付き」包帯の例示的な実施形態の非創傷対向側上面図である。
【図３８（ｃ）】図38(a)および図38(b)に示す「ダイヤモンド形ガーゼ付き」包帯の例示的な実施形態の、長さ接線389Aに沿った側面図である(反対側の長さ接線389Cからの図は鏡像である)。
【図３８（ｄ）】図38(a)および図38(b)に示す「ダイヤモンド形ガーゼ付き」包帯の例示的な実施形態の、幅接線389Bに沿った側面図である(反対側の幅接線389Dからの図は鏡像である)。
【図３８（ｅ）】図38(a)および図38(b)に示す「ダイヤモンド形ガーゼ付き」包帯の例示的な実施形態の斜視図である。
【図３９（ａ）】本発明による「ダイヤモンド形ガーゼ付き」包帯の例示的な実施形態の創傷対向側底面図である。
【図３９（ｂ）】図39(a)に示す「ダイヤモンド形ガーゼ付き」包帯の例示的な実施形態の非創傷対向側上面図である。
【図３９（ｃ）】図39(a)および図39(b)に示す「ダイヤモンド形ガーゼ付き」包帯の例示的な実施形態の、長さ接線399Aに沿った側面図である(反対側の長さ接線399Cからの図は鏡像である)。
【図３９（ｄ）】図39(a)および図39(b)に示す「ダイヤモンド形ガーゼ付き」包帯の例示的な実施形態の、幅接線399Bに沿った側面図である(反対側の幅接線399Dからの図は鏡像である)。
【図３９（ｅ）】図39(a)および図39(b)に示す「ダイヤモンド形ガーゼ付き」包帯の例示的な実施形態の斜視図である。
【図４０（ａ）】本発明による「ダイヤモンド形ガーゼ付き」包帯の例示的な実施形態の創傷対向側底面図である。
【図４０（ｂ）】図40(a)に示す「ダイヤモンド形ガーゼ付き」包帯の例示的な実施形態の非創傷対向側上面図である。
【図４０（ｃ）】図40(a)および図40(b)に示す「ダイヤモンド形ガーゼ付き」包帯の例示的な実施形態の、長さ接線409Aに沿った側面図である(反対側の長さ接線409Cからの図は鏡像である)。
【図４０（ｄ）】図40(a)および図40(b)に示す「ダイヤモンド形ガーゼ付き」包帯の例示的な実施形態の、幅接線409Bに沿った側面図である(反対側の幅接線409Dからの図は鏡像である)。
【図４０（ｅ）】図40(a)および図40(b)に示す「ダイヤモンド形ガーゼ付き」包帯の例示的な実施形態の斜視図である。
【図４１（ａ）】本発明による「ダイヤモンド形ガーゼ付き」包帯の例示的な実施形態の創傷対向側底面図である。
【図４１（ｂ）】本発明による「ダイヤモンド形ガーゼ付き」包帯の分解創傷対向側底面図である。
【図４１（ｃ）】図41(a)に示す「ダイヤモンド形ガーゼ付き」包帯の例示的な実施形態の非創傷対向側上面図である。
【図４１（ｄ）】図41(a)および図41(b)に示す「ダイヤモンド形ガーゼ付き」包帯の例示的な実施形態の、長さ接線419Aに沿った側面図である(反対側の長さ接線419Cからの図は鏡像である)。
【図４１（ｅ）】図41(a)および図41(b)に示す「ダイヤモンド形ガーゼ付き」包帯の例示的な実施形態の、幅接線419Bに沿った側面図である(反対側の幅接線419Dからの図は鏡像である)。
【図４１（ｆ）】図41(a)および図41(b)に示す「ダイヤモンド形ガーゼ付き」包帯の例示的な実施形態の斜視図である。
【図４２（ａ）】本発明による「ダイヤモンド形ガーゼ付き」包帯の例示的な実施形態の創傷対向側底面図である。
【図４２（ｂ）】図42(a)に示す「ダイヤモンド形ガーゼ付き」包帯の例示的な実施形態の非創傷対向側上面図である。
【図４２（ｃ）】図42(a)および図42(b)に示す「ダイヤモンド形ガーゼ付き」包帯の例示的な実施形態の、長さ接線429Aに沿った側面図である(反対側の長さ接線429Cからの図は鏡像である)。
【図４２（ｄ）】図42(a)および図42(b)に示す「ダイヤモンド形ガーゼ付き」包帯の例示的な実施形態の、幅接線429Bに沿った側面図である(反対側の幅接線429Dからの図は鏡像である)。
【図４２（ｅ）】図42(a)および図42(b)に示す「ダイヤモンド形ガーゼ付き」包帯の例示的な実施形態の斜視図である。
【図４３（ａ）】本発明による「ダイヤモンド形ガーゼ付き」包帯の例示的な実施形態の創傷対向側底面図である。
【図４３（ｂ）】図43(a)に示す「ダイヤモンド形ガーゼ付き」包帯の例示的な実施形態の非創傷対向側上面図である。
【図４３（ｃ）】図43(a)および図43(b)に示す「ダイヤモンド形ガーゼ付き」包帯の例示的な実施形態の、長さ接線439Aに沿った側面図である(反対側の長さ接線439Cからの図は鏡像である)。
【図４３（ｄ）】図43(a)および図43(b)に示す「ダイヤモンド形ガーゼ付き」包帯の例示的な実施形態の、幅接線439Bに沿った側面図である(反対側の幅接線439Dからの図は鏡像である)。
【図４３（ｅ）】図43(a)および図43(b)に示す「ダイヤモンド形ガーゼ付き」包帯の例示的な実施形態の斜視図である。
【図４４（ａ）】本発明による「ダイヤモンド形ガーゼ付き」包帯の例示的な実施形態の創傷対向側底面図である。
【図４４（ｂ）】図44(a)に示す「ダイヤモンド形ガーゼ付き」包帯の例示的な実施形態の非創傷対向側上面図である。
【図４４（ｃ）】図44(a)および図44(b)に示す「ダイヤモンド形ガーゼ付き」包帯の例示的な実施形態の、長さ接線449Aに沿った側面図である(反対側の長さ接線449Cからの図は鏡像である)。
【図４４（ｄ）】図44(a)および図44(b)に示す「ダイヤモンド形ガーゼ付き」包帯の例示的な実施形態の、幅接線449Bに沿った側面図である(反対側の幅接線449Dからの図は鏡像である)。
【図４４（ｅ）】図44(a)および図44(b)に示す「ダイヤモンド形ガーゼ付き」包帯の例示的な実施形態の斜視図である。
【図４５（ａ）】本発明による「ダイヤモンド形ガーゼ付き」包帯の例示的な実施形態の創傷対向側底面図である。
【図４５（ｂ）】図45(a)に示す「ダイヤモンド形ガーゼ付き」包帯の例示的な実施形態の非創傷対向側上面図である。
【図４５（ｃ）】図45(a)および図45(b)に示す「ダイヤモンド形ガーゼ付き」包帯の例示的な実施形態の、長さ接線459Aに沿った側面図である(反対側の長さ接線459Cからの図は鏡像である)。
【図４５（ｄ）】図45(a)および図45(b)に示す「ダイヤモンド形ガーゼ付き」包帯の例示的な実施形態の、幅接線459Bに沿った側面図である(反対側の幅接線459Dからの図は鏡像である)。
【図４５（ｅ）】図45(a)および図45(b)に示す「ダイヤモンド形ガーゼ付き」包帯の例示的な実施形態の斜視図である。
【図４６（ａ）】本発明による「ダイヤモンド形ガーゼ付き」包帯の例示的な実施形態の創傷対向側底面図である。
【図４６（ｂ）】図46(a)に示す「ダイヤモンド形ガーゼ付き」包帯の例示的な実施形態の非創傷対向側上面図である。
【図４６（ｃ）】図46(a)および図46(b)に示す「ダイヤモンド形ガーゼ付き」包帯の例示的な実施形態の、長さ接線469Aに沿った側面図である(反対側の長さ接線469Cからの図ならびに幅接線469Bおよび469Dからの図は同一である)。
【図４６（ｄ）】図46(a)および図46(b)に示す「ダイヤモンド形ガーゼ付き」包帯の例示的な実施形態の斜視図である。
【図４７（ａ）】本発明による「ダイヤモンド形ガーゼ付き」包帯の例示的な実施形態の創傷対向側底面図である。
【図４７（ｂ）】図47(a)に示す「ダイヤモンド形ガーゼ付き」包帯の例示的な実施形態の非創傷対向側上面図である。
【図４７（ｃ）】図47(a)および図47(b)に示す「ダイヤモンド形ガーゼ付き」包帯の例示的な実施形態の、長さ接線479Aに沿った側面図である(反対側の長さ接線479Cからの図は鏡像である)。
【図４７（ｄ）】図47(a)および図47(b)に示す「ダイヤモンド形ガーゼ付き」包帯の例示的な実施形態の、幅接線479Bに沿った側面図である(反対側の幅接線479Dからの図は鏡像である)。
【図４７（ｅ）】図47(a)および図47(b)に示す「ダイヤモンド形ガーゼ付き」包帯の例示的な実施形態の斜視図である。
【図４８（ａ）】本発明による「ダイヤモンド形ガーゼ付き」包帯の例示的な実施形態の創傷対向側底面図である。
【図４８（ｂ）】図48(a)に示す「ダイヤモンド形ガーゼ付き」包帯の例示的な実施形態の非創傷対向側上面図である。
【図４８（ｃ）】図48(a)および図48(b)に示す「ダイヤモンド形ガーゼ付き」包帯の例示的な実施形態の、長さ接線489Aに沿った側面図である(反対側の長さ接線489Cからの図は鏡像である)。
【図４８（ｄ）】図48(a)および図48(b)に示す「ダイヤモンド形ガーゼ付き」包帯の例示的な実施形態の、幅接線489Bに沿った側面図である(反対側の幅接線489Dからの図は鏡像である)。
【図４８（ｅ）】図48(a)および図48(b)に示す「ダイヤモンド形ガーゼ付き」包帯の例示的な実施形態の斜視図である。
【図４９（ａ）】本発明による「ダイヤモンド形ガーゼ付き」包帯の例示的な実施形態の創傷対向側底面図である。
【図４９（ｂ）】本発明による「ダイヤモンド形ガーゼ付き」包帯の分解創傷対向側底面図である。
【図４９（ｃ）】図49(a)に示す「ダイヤモンド形ガーゼ付き」包帯の例示的な実施形態の非創傷対向側上面図である。
【図４９（ｄ）】図49(a)および図49(b)に示す「ダイヤモンド形ガーゼ付き」包帯の例示的な実施形態の、長さ接線499Aに沿った側面図である(反対側の長さ接線499Cからの図ならびに幅接線499Bおよび499Dからの図は長さ接線499Aからの図と同一である)。
【図４９（ｅ）】図49(a)および図49(b)に示す「ダイヤモンド形ガーゼ付き」包帯の例示的な実施形態の斜視図である。
【図５０（ａ）】本発明による「ダイヤモンド形ガーゼ付き」包帯の例示的な実施形態の創傷対向側底面図である。
【図５０（ｂ）】図50(a)に示す「ダイヤモンド形ガーゼ付き」包帯の例示的な実施形態の非創傷対向側上面図である。
【図５０（ｃ）】図50(a)および図50(b)に示す「ダイヤモンド形ガーゼ付き」包帯の例示的な実施形態の、長さに沿った側面図である(反対側の長さ側からの図は鏡像である)。
【図５０（ｄ）】図50(a)および図50(b)に示す「ダイヤモンド形ガーゼ付き」包帯の例示的な実施形態の、幅に沿った側面図である(反対側の幅側からの図は鏡像である)。
【図５０（ｅ）】図50(a)および図50(b)に示す「ダイヤモンド形ガーゼ付き」包帯の例示的な実施形態の斜視図である。
【図５１（ａ）】本発明による「ダイヤモンド形ガーゼ付き」包帯の例示的な実施形態の創傷対向側底面図である。
【図５１（ｂ）】図51(a)に示す「ダイヤモンド形ガーゼ付き」包帯の例示的な実施形態の非創傷対向側上面図である。
【図５１（ｃ）】図51(a)および図51(b)に示す「ダイヤモンド形ガーゼ付き」包帯の例示的な実施形態の、長さ接線519Cに沿った側面図である(反対側の長さ接線519Aからの図は鏡像である)。
【図５１（ｄ）】図51(a)および図51(b)に示す「ダイヤモンド形ガーゼ付き」包帯の例示的な実施形態の、幅接線519Bに沿った側面図である。
【図５１（ｅ）】図51(a)および図51(b)に示す「ダイヤモンド形ガーゼ付き」包帯の例示的な実施形態の、幅接線519Dに沿った側面図である。
【図５１（ｆ）】図51(a)および図51(b)に示す「ダイヤモンド形ガーゼ付き」包帯の例示的な実施形態の斜視図である。
【図５２（ａ）】本発明による「ダイヤモンド形ガーゼ付き」包帯の例示的な実施形態の創傷対向側底面図である。
【図５２（ｂ）】図52(a)に示す「ダイヤモンド形ガーゼ付き」包帯の例示的な実施形態の非創傷対向側上面図である。
【図５２（ｃ）】図52(a)および図52(b)に示す「ダイヤモンド形ガーゼ付き」包帯の例示的な実施形態の、長さ接線529Cに沿った側面図である(反対側の長さ接線529Aからの図は鏡像である)。
【図５２（ｄ）】図52(a)および図52(b)に示す「ダイヤモンド形ガーゼ付き」包帯の例示的な実施形態の、幅接線529Bに沿った側面図である。
【図５２（ｅ）】図52(a)および図52(b)に示す「ダイヤモンド形ガーゼ付き」包帯の例示的な実施形態の、幅接線529Dに沿った側面図である。
【図５２（ｆ）】図52(a)および図52(b)に示す「ダイヤモンド形ガーゼ付き」包帯の例示的な実施形態の斜視図である
【図５３（ａ）】本発明による創傷ポータルを有する包帯の例示的な実施形態の非創傷対向側上面図である。
【図５３（ｂ）】線VIII-VIII'に沿った、図53(a)に示す包帯の側面断面図である。
【図５３（ｃ）】図53(a)に示す創傷ポータルを有する包帯の例示的な実施形態の代替構成の側面断面図である。
【図５３（ｄ）】図53(a)に示す創傷ポータルを有する包帯の例示的な実施形態の代替構成の側面断面図である。
【図５３（ｅ）】フラップが開放位置にある、本発明による創傷ポータルを有する包帯の別の例示的な実施形態の側面断面図である。
【図５３（ｆ）】フラップが閉鎖位置にある、図53(e)に示す創傷ポータルを有する包帯の例示的な実施形態の側面断面図である。
【図５４（ａ）】本発明による創傷ポータルを有する包帯の例示的な実施形態の非創傷対向側上面図である。
【図５４（ｂ）】線IX-IX'に沿った、図54(a)に示す包帯の側面断面図である。
【図５５（ａ）】本発明による創傷ポータルを有する包帯の例示的な実施形態の非創傷対向側上面図である。
【図５５（ｂ）】線X-X'に沿った、図55(a)に示す包帯の側面断面図である。
【図５６（ａ）】本発明による創傷ポータルを有する「ダイヤモンド形ガーゼ付き」包帯の例示的な実施形態の非創傷対向側上面図である。
【図５６（ｂ）】線XI-XI'に沿った、図56(a)に示す「ダイヤモンド形ガーゼ付き」包帯の側面断面図である。
【図５７】本発明による創傷ポータルおよび「ダイヤモンド形ガーゼ付き」構成を有する創傷/包帯プロテクタの例示的な実施形態の非創傷対向側上面図である。
【図５８（ａ）】本発明による摩擦ガーゼパッドの例示的な実施形態の上面図である。
【図５８（ｂ）】線XII-XII'に沿った、図58(a)に示す摩擦ガーゼパッドの側面断面図である。
【図５９（ａ）】本発明による摩擦ガーゼパッドの例示的な実施形態の上面図である。
【図５９（ｂ）】線XIII-XIII'に沿った、図59(a)に示す摩擦ガーゼパッドの第1の例示的な側面断面図である。
【図５９（ｃ）】線XIII-XIII'に沿った、図59(a)に示す摩擦ガーゼパッドの第2の例示的な側面断面図である。
【図５９（ｄ）】線XIII-XIII'に沿った、図59(a)に示す摩擦ガーゼパッドの第3の例示的な側面断面図である。
【図５９（ｅ）】本発明による摩擦ガーゼパッドの例示的な代替断面図である。
【図６０】図6(a)に示す創傷/包帯プロテクタの例示的な実施形態の代替創傷対向側底面図である。
【図６１（ａ）】本発明による創傷/包帯プロテクタの例示的な実施形態の非創傷対向側上面図である。
【図６１（ｂ）】図61(a)に示す創傷/包帯プロテクタの例示的な実施形態の創傷対向側底面図である。
【図６１（ｃ）】図61(b)の線XIV-XIV'に沿った、図61(a)および図61(b)に示す創傷/包帯プロテクタの例示的な実施形態の側面断面図である。
【図６２（ａ）】本発明による包帯ラッププロテクタ/ホルダの例示的な実施形態の非創傷対向側上面図である。
【図６２（ｂ）】図62(b)に示す包帯ラッププロテクタ/ホルダの例示的な実施形態の創傷対向側底面図である。
【図６２（ｃ）】図62(b)の線XV-XV'に沿った、図62(a)および図62(b)に示す包帯ラッププロテクタ/ホルダの例示的な実施形態の側面断面図である。
【図６３（ａ）】本発明による固着ベースの例示的な実施形態の非創傷対向側上面図である。
【図６３（ｂ）】図63(a)に示す固着ベースの例示的な実施形態の創傷対向側底面図である。
【図６３（ｃ）】図63(b)の線XVI-XVI'に沿った、図63(a)および図63(b)に示す固着ベースの例示的な実施形態の側面断面図である。
【図６４（ａ）】本発明による「ダイヤモンド形ガーゼ付き構成」を有する図6の創傷/包帯プロテクタの例示的な代替実施形態の創傷対向側底面図である。
【図６４（ｂ）】図64(a)に示す創傷/包帯プロテクタの例示的な実施形態の側面図である。
【図６５（ａ）】図61(a)〜図61(c)に示す創傷/包帯プロテクタ用の本発明による代替構成の例示的な実施形態の非創傷対向側上面図である。
【図６５（ｂ）】図61(a)〜図61(c)に示す創傷/包帯プロテクタ用の本発明による代替構成の例示的な実施形態の創傷対向側底面図である。
【図６５（ｃ）】図65(b)の線XVII-XVII'に沿った、図65(a)および図65(b)に示す創傷/包帯プロテクタの例示的な実施形態の側面断面図である。
【図６６（ａ）】本発明による創傷/包帯プロテクタの例示的な実施形態の非創傷対向側上面図である。
【図６６（ｂ）】図66(a)に示す創傷/包帯プロテクタの例示的な実施形態の創傷対向側底面図である。
【図６６（ｃ）】図66(a)および図66(b)に示す創傷/包帯プロテクタの例示的な実施形態の側面図である。
【発明を実施するための形態】
【００３４】
図1は、本発明による包帯システムの一部であるスーパーストレッチチューブ1を示す。スーパーストレッチチューブ1を使用して創傷を保護するかまたは後述の包帯の1つを覆うことができる。スーパーストレッチチューブ1は、Huggies(登録商標)ブランドのLittle Swimmers(登録商標)およびPull-Ups(登録商標)またはPampers(登録商標)のEasy Ups(登録商標)およびCruisers(登録商標)の側部に使用されている弾性不織布のような伸縮自在材料で作ることのできるチューブ本体部2を有する。代替として、チューブ本体部2は、同程度の伸縮性および張力をもたらす同様の弾性を有する他の材料で作られてもよい。
【００３５】
本発明の例示的な一実施形態によれば、チューブ本体部2の伸縮自在な材料は、その能力の限界まで延ばされると、チューブ本体部2が延ばされていないときのサイズの2倍を超えるサイズまで伸びることができる。本出願の文脈において、「スーパーストレッチ可能な」材料は、張力を受けていないときの材料の長さの1.5倍以上の長さまで弾性的に伸びることのできる材料を指す。本出願の文脈において、「伸縮自在な」材料は、張力を受けていないときの材料の長さよりも少なくとも10%だけ長い長さまで弾性的に伸びることのできる材料を指す。「ほとんどまたはまったく伸縮しない」材料は、スーパーストレッチ可能ではない材料である。「まったく伸縮しない」材料は、伸縮自在ではない材料である。「デッドゾーン」は、ほとんどまたはまったく伸縮せず、場合によっては伸縮自在な材料の不可欠な一部であってもよいが必ずしもそうである必要のない、材料の領域である。デッドゾーン領域は、2つの不織材料に対して打抜きを行い、圧力を加え、次いで高周波数振動を加え、それによって不織材料を融解させ、2つの不織材料に重なり合う連結部を形成することによって2つの不織材料を結合するときに一般に使用される超音波シールによって弾性不織材料で形成されてもよい。代替として、特に1枚の不織布にデッドゾーンを形成する際、打抜きを行わず単に圧力および高周波数を加えることによってデッドゾーンを形成してもよい。「引張り抵抗」、「弾性係数」、またはヤング率は、加えられた伸縮力による特定の軸に沿った材料の長さの変化率に対する特定の軸に沿った特定の領域上の伸縮力の割合を指す。したがって、「容易に」伸縮することのできる材料は、伸縮が「困難な」材料よりも弾性係数が低い。チューブ本体部2の伸縮自在な材料は少なくとも、スーパーストレッチチューブ1の円周を変化させるような伸縮能力をもたらす。代替として、チューブ本体部2の伸縮自在な材料は、チューブ本体部2の円周と長さの両方を変化させる伸縮能力をもたらしてもよい。チューブ本体部2のスーパーストレッチ材料は非常に薄く、延ばされていない位置のときに16分の1インチ(1.59mm)未満であり、ある程度の通気性および良好な水力抵抗をもたらすことが好ましい。
【００３６】
スーパーストレッチチューブ1は、少なくともスーパーストレッチチューブ1の内面3に沿ったスーパーストレッチチューブ1の第1の開放端部6からスーパーストレッチチューブ1の第2の開放端部8までのスーパーストレッチチューブ1の長さ7に沿って延びるストリップ4を有する。ストリップ4は、スーパーストレッチチューブ1の長さにわたって延び得るシーム5に沿ってまたはシーム5の上方に位置してもよい。ストリップ4は、スーパーストレッチチューブ1の少なくとも内側に露出されるように設けられたゴム引き材料で作られた1本または複数の糸を有する。ストリップ4は、より大きいある種のヘアバンドに使用され、ゴム引き材料の糸を含む弾性材料から作られてもよい。ゴム引き材料は、必ずしもストレッチチューブ1の外側9に露出されるとは限らない。代替として、ストリップ4は、伸縮性ノンスリップ医療用シリコーンまたは好ましくはラテックスを含まない同様の材料で構成されてもよい。ストリップ4を形成するうえでノンスリップシリコーンを連続的に塗布しても断続的に塗布してもよい。代替として、チューブの内側全体をノンスリップシリコーンまたは好ましくはラテックスを含まない同様の材料で覆ってもよい。
【００３７】
スーパーストレッチチューブ1の図1(a)および図1(b)には示されていないが、本発明によるスーパーストレッチチューブ1の例示的な代替実施形態では、スーパーストレッチチューブ1の外面9に1つまたは複数のスーパーストレッチチューブ固着ストラップが取り付けられてもよい。1つまたは複数のスーパーストレッチチューブ固着ストラップは、図2(a)および図2(b)に示し以下に説明する固着ストラップ23と同様に構成されてもよい。好ましくは、1つまたは複数のスーパーストレッチチューブ固着ストラップの第1の固着ストラップがスーパーストレッチチューブ1の第1の開放端部6に近接して設けられ得、1つまたは複数のスーパーストレッチチューブ固着ストラップの第2の固着ストラップがスーパーストレッチチューブ1の第2の開放端部8に近接して設けられ得る。
【００３８】
図2(a)は、本発明による創傷/包帯プロテクタ20の例示的な実施形態を示す。創傷/包帯プロテクタ20は、「靴下/ミトン」として構成され、開放された第1の端部21Aと閉鎖された第2の端部21Bとを有する本体21を含む。本体21は、上記に説明しかつ図1に示すように、スーパーストレッチチューブ1の材料と同様のスーパーストレッチ可能な材料または伸縮自在な材料で作られてもよく、本体21の非創傷対向側の少なくとも一部は、Velcro(登録商標)ループ型ファスナとして構成されてもよい。創傷/包帯プロテクタ20の本体21の伸縮自在な材料は、本体21の円周を変化させるような伸縮能力を少なくとももたらす。代替として、本体21の伸縮自在な材料は、本体21の円周と長さの両方を変化させるような伸縮能力をもたらしてもよい。
【００３９】
本体21は、ほとんどまたはまったく伸縮しない材料で作られてもよいパネル22を有する。パネル22は、創傷/包帯プロテクタ20の外部非創傷対向面の一部を示す外側側面図を示す図2(a)に示されている。しかし、パネル22は、本体21の残りの部分、特に創傷/包帯プロテクタ20の外部非創傷対向面の部分と、必ずしも見た目で区別できるわけではない。パネル22の内部創傷対向側にガーゼパッド(図2(a)には具体的に示されていない)を固定してもよい。代替として、ガーゼパッドは、Velcro(登録商標)型固着システムまたはPost-it(登録商標)付箋に使用されているような再利用可能感圧接着剤を使用することなどによってパネル22に一時的に取り付けられてもよい。別の代替実施形態において、パネル22およびガーゼパッドは伸縮自在な材料またはスーパーストレッチ可能な材料で作られる。この実施形態では、本体21全体がパネル22として機能するように構成されてもよい。
【００４０】
本明細書の文脈において、ガーゼまたはガーゼパッドは、創傷に対するパッドとして治療に使用することのできる任意の材料または材料の複合材料を指す。たとえば、ガーゼパッドは、綿またはポリエステルを混合した布で作られてもよい。この布は、創傷の付着を防止するかまたは最低限に抑えるTelfa(登録商標)のようなプラスチック製多孔質膜で覆われてもよい。さらに、ガーゼパッドは、体液がガーゼパッドを貫通して包帯に達するのを防止する膜で裏打ちされてもよい。
【００４１】
本体21は、外部非創傷対向面と内部創傷対向面とを有する。第1の端部21Aの近位において本体21の外部非創傷対向面に固着ストラップ23Aが取り付けられている。図2(a)に示されているような固着ストラップ23Aは、第1の取付け領域24を介して本体21に取り付けることのできる第1のストラップ部23を有する。第1のストラップ部23は、スーパーストレッチチューブ1に使用される材料と同様の伸縮自在またはスーパーストレッチ可能な材料で構成されてもよい。第1のストラップ部23の材料は、本体21の引張り抵抗よりも強い引張り抵抗をもたらすことが好ましい。第1のストラップ部23の材料は、固着ストラップ23Aの長さを変化させるような伸縮能力を少なくとももたらす。第1の取付け領域24は、伸縮しないようにデッドゾーンとして構成されることが好ましく、創傷/包帯プロテクタ20の第1のストラップ部23および本体21の材料の複合材料で構成され、かつパンチおよびメルトヒートシールによって取り付けられてもよい。代替として、第1のストラップ部23は、本体21に、間に第1の取付け領域24を介在させることなく直接取り付けられる。
【００４２】
第2のストラップ部27が第2の取付け領域25を介して第1のストラップ部23に取り付けられている。第2の取付け領域25は、伸縮しないようにデッドゾーンとして構成されることが好ましく、第1のストラップ部23および第2のストラップ部27の材料の複合材料で構成されてもよく、パンチおよびメルトヒートシールによって取り付けられてもよい。代替として、第2のストラップ部27は、第1のストラップ部23に、間に第2の取付け領域25を介在させることなく直接取り付けられる。固着ストラップ23Aは、図2(a)を示されている創傷対向側を有する。第2のストラップ部27は、固着ストラップ23Aの創傷対向側に、Velcro USA HTH 819ナチュラルのようなVelcro(登録商標)フック型材料を含む部分26を有する。代替として、固着ストラップ23Aが巻き付けられるときに固着ストラップ23A自体に固着されるように、第2のストラップ部27または固着ストラップ23A全体をCoban(商標)のような粘着性材料で構成してもよい。
【００４３】
スーパーストレッチチューブ1のストリップ4と同様の構成を有してよく、ゴム引き材料の糸が露出されるように適度な摩擦織り合わせをストリップ21C自体にもたらすゴム引き材料で作られた1本または複数の糸を有するストリップ21Cが、第1の端部21Aの近位において本体21の内部創傷対向面上に位置している。代替として、ストリップ21Cは、摩擦面を形成する伸縮性ノンスリップシリコーンまたは好ましくはラテックスを含まない同様の材料で作られてもよい。ストリップ21Cを形成するうえでノンスリップシリコーンを連続的に塗布しても断続的に塗布してしてもよい。ストリップ21Cの摩擦面によって実現される摩擦の程度は、創傷/包帯プロテクタ20が摩耗したときに不快感を生じさせない程度であることが好ましい。本出願では、「ゴム引き材料」が示される場合、ノンスリップシリコーンおよびCoban(商標)を含む、摩擦面を実現する任意の材料をさらなる制限なしに指す。
【００４４】
図2(c)は、固着ストラップ23Aが創傷/包帯プロテクタ20の外部非創傷対向面の周りを矢印27Aによって示される方向に延ばされる中間位置にある固着ストラップ23Aを示すことによって、図2(a)の創傷/包帯プロテクタ20を固定するプロセスを示す。固着ストラップ23Aは、図2(c)に示されている非創傷対向側を有する。第1のストラップ部23は、第1のストラップ部23の非創傷対向側でVelcro(登録商標)型ファスナのループ部として働くように構成されてもよい。第2のストラップ部27は、固着ストラップ部23Aの非創傷対向側でVelcro(登録商標)型ファスナのループ部として構成されてもよい。
【００４５】
創傷/包帯プロテクタ20を本体21の第1の端部21A上の開口部を通して付属肢上に滑らせてもよく、それによって、創傷/包帯プロテクタ20のパネル22に固定されたガーゼパッドが付属肢上の創傷を覆い、創傷/包帯プロテクタ20は次いで、創傷/包帯プロテクタ20の外側に固着ストラップ23Aを巻き付け、第2のストラップ部27のVelcroフックファスナ部26を第1のストラップ部23のループ部、本体21、または第2のストラップ部27のループ部に固定することによって所定の位置に固定される。
【００４６】
図2(d)は、「靴下/ミトン」として構成された、本発明による創傷/包帯プロテクタ20Dの別の例示的な実施形態を示す。創傷/包帯プロテクタ20Dは、上記に本体21に関して説明したように構成することのできる本体21Dを有する。本体21Dは、開放された第1の端部21DAと、閉鎖された第2の端部21DBと、ガーゼパッドを永久的にまたは着脱可能に固定することのできるパネル22Dとを有する。しかし、創傷/包帯プロテクタ20Dでは、Coban(商標)などの粘着性材料で構成されたストラップ23Dが第1の端部21DAの近位に配置されている。ストラップ23Dは、本体21Dの外部非創傷対向面に取り付けられるのではなく、ストラップ23D自体が本体21Dの内部創傷対向面上に延びるのを可能にするスリット24Dを貫通して延びている。図2(e)は、どのようにストラップ23Dが本体21Dの内部創傷対向面に取り付けられ、かつ本体21Dの円周全体の周囲にわたって延びるかまたは代替として円周の一部の周りを延びるかを示す、線2e-2e'に沿った上面断面図である。図2(d)および図2(e)は、ストラップ23Dが開放位置にある創傷/包帯プロテクタ20Dを示す。図2(f)は、閉鎖位置にある創傷/包帯プロテクタ20Dの上面断面図を示す。図示のように、本体21Dの内部創傷対向側に取り付けられないストラップ23Dの部分は、創傷/包帯プロテクタ20Dの外周の周りを延び、ストラップ23Dをそれ自体にしっかりと固定するようにストラップ23D自体と重なり合うのに十分な長さを有する。代替として、創傷/包帯プロテクタ20Dの外周の一部は、粘着性材料で覆われてもよく、したがって、ストラップ23Dをそれ自体の周りに延ばすのではなく、創傷/包帯プロテクタ20Dの外周にしっかりと固定することができる。
【００４７】
図3(a)は、本発明による創傷/包帯プロテクタ30の例示的な実施形態を示す。創傷/包帯プロテクタ30は、図2(a)の創傷/包帯プロテクタ20と同様に靴下/ミトンとして構成される。創傷/包帯プロテクタ30は、開放された第1の端部31Aと閉鎖された第2の端部31Bとを有する本体31を有する。しかし、創傷/包帯プロテクタ20の本体21は、開放端部21Aから閉鎖端部21Bおよび一様な幅を有するパネル22まで一様な円周を有する。これに対して、創傷/包帯プロテクタ30の本体31は、開放端部31Aから閉鎖端部31Bまでテーパが施されており、したがって、一方の端部が他方の端部よりも大きく、パネル32にもテーパが施されている。代替として、パネル32は、本体31の形状または円周にかかわらず一様な幅を有してもよい。本体31およびパネル32は、場合によっては本体21およびパネル22と同様に構成される。
【００４８】
本体31は、外部非創傷対向面と内部創傷対向面とを有する。第1の端部31Aの近位において本体31の外部非創傷対向面に固着ストラップ33Aが取り付けられている。固着ストラップ33Aは、図2(a)の固着ストラップ23Aの対応する構成部材と同様に構成された第1のストラップ部33と、第2のストラップ部37と、第2のストラップ部37の一部36と、第1の取付け領域34と、第2の取付け領域35とを有する。
【００４９】
図2(b)は、保護シース28の第1の代替実施形態を示し、図3(b)は、保護シース38の第2の代替実施形態を示す。保護シース28と保護シース38はどちらも、その各々が創傷/包帯プロテクタ20または創傷/包帯プロテクタ30のいずれかと一緒に使用されてもよい。保護シース28、38の各々は、第1の端部28B、38B上に開口部を含み、かつ閉鎖された第2の端部28C、38Cを含む本体28A、38Aを有する。本体28A、38Aは、創傷/包帯プロテクタ20、30の外側にぴったりと嵌るように構成されている。本体28A、38Aは、Playtex(登録商標)ボトルライナに使用されているプラスチック材料またはビニルのような防水性材料または水力抵抗不織材料で構成されてもよく、プラスチック製の裏打ちを有しかつ/あるいは伸縮自在またはスーパーストレッチ可能であるように構成されてもよい。代替として、本体28A、38Aは、各材料の複合材料、好ましくは防水性障壁または水力抵抗障壁を構成する複合材料で構成されてもよい。保護シース28はスリット29を有し、保護シース38は長穴39を有する。スリット29と長穴39はどちらも、創傷/包帯プロテクタ20、30の固着ストラップ23A、33Aが嵌るのを可能にするようなサイズおよび位置を有し、それによって、固着ストラップ23A、33Aは、シースの外側の周囲を延び、創傷/包帯プロテクタ20、30とシースの両方を包帯が巻かれている付属肢に固定することができる。固着ストラップ23A、33Aの創傷対向側に、感圧接着剤、またはゴム引き面、または保護シース28、38上に対応する自着性面材料を有する自着性面材料で構成され得る粘着性表面であってもよい。固着ストラップ23A、33Aの粘着性表面は第1の取付け領域24、34および/または第2の取付け領域25、35上に位置することが好ましい。
【００５０】
図4は、本発明による創傷/包帯プロテクタ40の例示的な実施形態を示す。創傷/包帯プロテクタ40は、図3(a)の創傷/包帯プロテクタ30と同様な靴下/ミトンとして構成される。創傷/包帯プロテクタ40は、開放された第1の端部41Aと閉鎖された第2の端部41Bとを有する本体41を有する。しかし、創傷/包帯プロテクタ30はパネル32を有するが、創傷/包帯プロテクタ40はパネルを有さない。
【００５１】
本体41は場合によっては本体31と同様に構成される。本体41は、外部非創傷対向面と内部創傷対向面とを有する。第1の端部41Aの近位において本体41の外部非創傷対向面に固着ストラップ43Aが取り付けられている。固着ストラップ43Aは、図3(a)の固着ストラップ33Aの対応する構成部材と同様に構成された第1のストラップ部43と、第2のストラップ部47と、第2のストラップ部47の一部46と、第1の取付け領域44と、第2の取付け領域45とを有する。
【００５２】
創傷/包帯プロテクタ40を創傷/包帯プロテクタ開口部41Aを通して付属肢上に滑らせてもよく、それによって、創傷/包帯プロテクタ40は、付属肢上の創傷または包帯、あるいは図2(a)および図3(a)の例示的な実施形態のような別の創傷/包帯プロテクタを覆う。創傷/包帯プロテクタ40は次いで、創傷/包帯プロテクタ40の外側に固着ストラップ43Aを巻き付け、第2のストラップ部47のVelcroフックファスナ部46を第1のストラップ部43のループ部、本体41、または第2のストラップ部47のループ部に固定することによって所定の位置に固定される。
【００５３】
図5は、本発明による創傷/包帯プロテクタ50の例示的な実施形態を示す。創傷/包帯プロテクタ50は、図2(a)の創傷/包帯プロテクタ20と同様な靴下/ミトンとして構成される。創傷/包帯プロテクタ50は、開放された第1の端部51Aと閉鎖された第2の端部51Bとを有する本体51を有する。しかし、創傷/包帯プロテクタ20はパネル22を有するが、創傷/包帯プロテクタ50はパネルを有さない。
【００５４】
本体51は場合によっては本体21と同様に構成される。本体51は、外部非創傷対向面と内部創傷対向面とを有する。第1の端部51Aの近位において本体51の外部非創傷対向面に固着ストラップ53Aが取り付けられている。固着ストラップ53Aは、図2(a)の固着ストラップ23Aの対応する構成部材と同様に構成された第1のストラップ部53と、第2のストラップ部57と、第2のストラップ部57の一部56と、第1の取付け領域54と、第2の取付け領域55とを有する。
【００５５】
創傷/包帯プロテクタ50を創傷/包帯プロテクタ開口部51Aを通して付属肢上に滑らせてもよく、それによって、創傷/包帯プロテクタ50は、付属肢上の創傷または包帯、あるいは図2(a)および図3(a)の例示的な実施形態のような別の創傷/包帯プロテクタを覆う。創傷/包帯プロテクタ50は次いで、創傷/包帯プロテクタ50の外側にVelcro伸縮性ストラップを巻き付け、第2のストラップ部57のVelcroフックファスナ部56を第1のストラップ部53のループ部、本体51、または第2のストラップ部57のループ部に固定することによって所定の位置に固定される。
【００５６】
図6(a)〜図6(c)はそれぞれ、本発明による創傷/包帯プロテクタ60の非創傷対向側上面図、創傷対向側底面図、および線II-II'に沿った断面図である。創傷/包帯プロテクタ60の例示的な実施形態は、包帯ミトン/靴下20、30の本体21、31に使用されるスーパーストレッチ材料と同様なスーパーストレッチ材料で構成することのできるラップとして構成された本体部61を有する。本体部61は、創傷/包帯プロテクタ60の下部創傷対向側と創傷/包帯プロテクタ60の上部非創傷対向側の両方でVelcro(登録商標)型ファスナのループ部として働くように構成されている。本体部61は、第1の端部61Aから第2の端部61Bまで延びる長さを有する。本体部61の伸縮自在な材料は、本体部61の長さを変化させるような伸縮能力を少なくとももたらす。代替として、本体部61の伸縮自在な材料は、本体部61の長さと本体部61の長さに垂直な本体部61の幅の両方を変化させるような伸縮能力をもたらしてもよい。
【００５７】
ガーゼポート62Aが、本体部61の第1の端部61Aの近位において本体部61上に位置するか、または本体部61の第1の端部61Aの近位において本体部61に組み込まれている。ガーゼポート62Aは、ガーゼパッド69を本体部61の創傷対向側に取り付けるかまたは着脱可能に取り付けることのできる領域である。ガーゼポート62Aは、伸縮不能な材料で構成されてもよく、フックVelcro(登録商標)型固着面またはループVelcro(登録商標)型固着面のいずれかを有することによってガーゼの取外しおよび取付けを繰り返すのを可能にするように構成された表面あるいはPost-it(登録商標)付箋に使用されているような再接着可能な接着剤との良好な結合を実現する表面を有してもよい。代替として、ガーゼポート62Aとガーゼパッド69はどちらも、低粘着性シリコーン接着剤のような低粘着性接着剤を有してもよい。低粘着性接着剤は、ガーゼパッド69の非創傷対向側全体上に位置しても、あるいはガーゼパッド69の非創傷対向側の一部上にのみ位置してもよい。ガーゼパッド69を永久的に取り付けるのを可能にする接着剤でガーゼポート62Aの表面を構成することも可能である。ガーゼポート62Aを使用して、様々なサイズのガーゼパッド69を取り付けるとともに、この実施形態に示されている創傷/包帯プロテクタ60のガーゼパッド69を定期的に交換してもよい。ガーゼポート62Aは、ガーゼパッド69の全体に取り付けられるか、ガーゼパッド69の大部分に取り付けられるか、またはガーゼパッド69の1つの辺など、図6(b)および図6(c)に示すような狭い部分に取り付けられるようなサイズおよび/または構成を有してもよい。
【００５８】
第1の実施形態のストリップ4の構成と同様の構成を有してもよく、ゴム引き材料の糸が露出されるように適度な摩擦織り合わせをストリップ62自体にもたらすゴム引き材料で作られた1本または複数の糸を有するストリップ62が、ガーゼポート62Aよりも創傷/包帯プロテクタ60の本体部61の第1の端部61Aに近接した位置に配置されている。代替として、ストリップ62は、摩擦面を形成する伸縮性ノンスリップシリコーンまたは好ましくはラテックスを含まない同様の材料で作られてもよい。ストリップ62を形成するうえでノンスリップシリコーンを連続的に塗布しても断続的に塗布してしてもよい。好ましくは、ストリップ62の摩擦面によって実現される摩擦の程度は、創傷/包帯プロテクタ60が摩耗したときに不快感を生じさせない程度であるべきである。ストリップ62は、長さ方向と幅方向の一方または両方のいずれかにおいて伸縮不能になるように構成されてもよい。ストリップ62は、創傷/包帯プロテクタ60の上部非創傷対向側および/または創傷/包帯プロテクタ60の下部創傷対向側に沿って設けられてもよい。さらに、ストリップ62は、創傷/包帯プロテクタ60の各側の周囲を、創傷/包帯プロテクタ60の上部非創傷対向側と創傷/包帯プロテクタ60の下部創傷対向側の両方に沿って延びて環状を形成してもよい。
【００５９】
本体部61の領域63Aは、ストリップ62から本体部61の第1の端部まで延びている。必ずしも端部領域63A全体とは限らないが、本体部61Aの第1の端部の端部領域63A上に、創傷/包帯プロテクタ60の上部非創傷対向側の第1の捕捉固着面63が位置している。本体部61Aの第1の端部は、図4(a)および図4(b)に示すように湾曲していても、あるいは直線状または他の任意の構成を有してもよい。
【００６０】
本体部61Bの第2の端部に2つの固着ストラップ64Aが取り付けられている。各固着ストラップ64Aは、2つの部分で構成されてもよい。第1のストラップ部64が、創傷/包帯プロテクタ本体61Bの第2の端部に取り付けられており、創傷/包帯プロテクタ60の上部非創傷対向側と下部創傷対向側の両方でVelcro(登録商標)型ファスナのループ部として働くように構成することのできるスーパーストレッチ材料から作られている。第1のストラップ部64のスーパーストレッチ材料は、本体部61の引張り抵抗よりも強い引張り抵抗をもたらすことが好ましい。第1のストラップ部64は、好ましくは伸縮しないようにデッドゾーンとして構成される取付け領域65を介して創傷/包帯プロテクタの本体部61Bの第2の端部に取り付けられてもよい。取付け領域65は、創傷/包帯プロテクタ60の第1のストラップ部64および本体部61の材料の複合材料で構成されてもよく、パンチおよびメルトヒートシールによって取り付けられてもよい。代替として、第1のストラップ部64は、本体部61に、間に取付け領域65を介在させることなく直接取り付けられる。
【００６１】
第2のストラップ部68が取付け領域66を介して第1のストラップ部64に取り付けられている。取付け領域66は、好ましくは伸縮しないデッドゾーンとして構成され、第1のストラップ部64および第2のストラップ部68の材料の複合材料で構成されてもよく、パンチおよびメルトヒートシールによって取り付けられてもよい。第2のストラップ部68は、各固着ストラップ64Aの下部創傷対向側上にVelcro(登録商標)フック型材料を含む部分67を有する。代替として、第2のストラップ部68は、第1のストラップ部64に、間に取付け領域66を介在させることなく直接取り付けられる。創傷/包帯プロテクタ本体部61Bの第2の端部の、2つの固着ストラップ64Aの内側の辺同士の間に間隔64Bがあってもよい。2つの固着ストラップ64Aの内側の辺の形状は、弧、弧と直線の組合せ、斜線、または2つの固着ストラップ64Aの内側の2辺間に距離を確保する他の任意の実施形態で構成されてもよい。間隔64Bの大きさは、第1のストラップ部64から第2のストラップ部68まで延びる固着ストラップ64Aの長さに沿って大きくなってもよい。2つの固着ストラップ64Aは、創傷/包帯プロテクタ本体部61Bの第2の端部から第2のストラップ部68まで延び、互いに平行に延びてもよい長さ64Cを有する。2つの固着ストラップ64Aの外側の辺は、互いに平行に延びてもよく、創傷/包帯プロテクタ60の本体部61の各辺によって形成される直線を連続させてもよい。
【００６２】
図60は、本発明による創傷/包帯プロテクタ60の例示的な代替構成の底面図を示す。この構成では、垂直ストリップ62の代わりに、創傷/包帯プロテクタ60の上縁部に沿ってまたは上縁部の近位に水平ストリップ62Bが位置してもよく、創傷/包帯プロテクタ60の下縁部に沿ってまたは下縁部の近位に水平ストリップ62Dが位置してもよく、創傷/包帯プロテクタ60のストリップ62Bとストリップ62Dとの間の別の位置に水平ストリップ62Cが位置してもよい。これらのストリップの任意の組合せ、すなわちストリップ62Bとストリップ62Dのみ、またはストリップ62Bとストリップ62Cのみ、またはストリップ62Cとストリップ62Dのみ、あるいはストリップ62B、62C、または62Dのいずれか1つを設けてもよい。図示していない代替実施形態では、水平ストリップではなく、創傷/包帯60の下部創傷対向側に沿った1つまたは複数の垂直ストリップを設けてもよい。図示していない別の代替実施形態では、垂直ストリップまたは水平ストリップではなく、低粘着性ノンスリップシリコーンコーティングまたは同様の材料を本体部61の創傷対向側全体に設けてもよい。この例示的な実施形態によれば、第1の端部61Aの所または第1の端部61Aの近位にデッドゾーン65Bが位置してもよく、第2の端部61Bの所または第2の端部61Bの近位にデッドゾーン65Dが位置してもよく、好ましくは、本体部61の中央または中央の近位あるいはデッドゾーン65Bとデッドゾーン65Dとの間の他のある位置にデッドゾーン65Cが位置してもよい。代替として、ストリップ62B、62Cおよび62Dの代わりにまたはストリップ62B、62Cおよび62Dに加えて、デッドゾーン65B、65Cおよび65Dをストリップと同様の構成にしてもよい。
【００６３】
図7(a)〜図7(c)はそれぞれ、本発明による創傷/包帯プロテクタ70の非創傷対向側上面図、創傷対向側底面図、および線III-III'に沿った断面図である。創傷/包帯プロテクタ70の例示的な実施形態は、包帯ミトン/靴下20、30の本体21、31に使用されるスーパーストレッチ材料と同様なスーパーストレッチ材料で構成することのできるラップとして構成された本体部71を有する。本体部71は、創傷/包帯プロテクタ70の下部創傷対向側と創傷/包帯プロテクタ70の上部非創傷対向側の両方でVelcro(登録商標)型ファスナのループ部として働くように構成されている。本体部71は、第1の端部71Aから第2の端部71Bまで延びる長さを有する。本体部71の伸縮自在な材料は、本体部71の長さを変化させるような伸縮能力を少なくとももたらす。代替として、本体部71の伸縮自在な材料は、本体部71の長さと本体部71の長さに垂直な本体部71の幅の両方を変化させるような伸縮能力をもたらしてもよい。
【００６４】
ガーゼポート72Aが、本体部71の第1の端部71Aの近位において本体部71上に位置するか、または本体部71の第1の端部71Aの近位において本体部71に組み込まれている。ガーゼポート72Aは、ガーゼパッド79を本体部71の創傷対向側に取り付けるかまたは着脱可能に取り付けることのできる領域である。ガーゼポート72Aは、伸縮不能な材料で構成されてもよく、フックVelcro(登録商標)型固着面またはループVelcro(登録商標)型固着面のいずれかを有することによってガーゼの取外しおよび取付けを繰り返すのを可能にするように構成された表面あるいはPost-it(登録商標)付箋に使用されているような再接着可能な接着剤との良好な結合を実現する表面を有してもよい。代替として、ガーゼポート72Aの表面は、ガーゼパッド79を永久的に取り付けるのを可能にする接着剤で構成されてもよい。ガーゼポート72Aを使用して、様々なサイズのガーゼパッド79を取り付けるとともに、この実施形態に示されている創傷/包帯プロテクタ70のガーゼパッド79を定期的に交換してもよい。ガーゼポート72Aは、ガーゼパッド79の全体に取り付けられるか、ガーゼパッド79の大部分に取り付けられるか、またはガーゼパッド79の1つの辺のような狭い部分に取り付けられるようなサイズおよび/または構成を有してもよい。
【００６５】
第1の実施形態のストリップ4の構成と同様の構成を有してもよく、ゴム引き材料の糸が露出されるように適度な摩擦織り合わせをストリップ72自体にもたらすゴム引き材料で作られた1本または複数の糸を有するストリップ72が、ガーゼポート72Aよりも創傷/包帯プロテクタ70の本体部71の第1の端部71Aに近接した位置に配置されている。代替として、ストリップ72は、摩擦面を形成する他の材料で作られてもよい。好ましくは、ストリップ72の摩擦面によって実現される摩擦の程度は、創傷/包帯プロテクタ70が摩耗したときに不快感を生じさせない程度であるべきである。ストリップ72は、長さ方向と幅方向の一方または両方のいずれかにおいて伸縮不能になるように構成されてもよい。ストリップ72は、創傷/包帯プロテクタ70の上部非創傷対向側および/または創傷/包帯プロテクタ70の下部創傷対向側に沿って設けられてもよい。さらに、ストリップ72は、創傷/包帯プロテクタ70の各側の周囲を、創傷/包帯プロテクタ70の上部非創傷対向側と創傷/包帯プロテクタ70の下部創傷対向側の両方に沿って延びて環状を形成してもよい。
【００６６】
本体部71の端部領域73Aは、ストリップ72から本体部71の第1の端部71Aまで延びている。端部領域73Aの一部は、第1の端部71Aに向かって本体部71の幅が徐々に小さくなるようにテーパが施されてもよい。タブ75が本体部71の第1の端部71Aから延びている。タブ75は、第1の端部71Aの外縁部に沿った位置に中心が位置してもよい。タブ75上における、創傷/包帯プロテクタ70の上部非創傷対向側上に第1の捕捉固着面73が位置している。第1の捕捉固着面73は端部領域73A上に延びてもよい。
【００６７】
本体部71Bの第2の端部上に2つの固着ストラップ74が位置している。2つの固着ストラップ74は、本体部71と同じスーパーストレッチ材料片が連続する部分である。創傷/包帯プロテクタ本体部71Bの第2の端部の、2つの固着ストラップ74Aの内側の辺同士の間に間隔74Bがあってもよい。2つの固着ストラップ74の内側の辺の形状は、図7(a)および図7(b)に示すような斜線、弧、弧と直線の組合せ、または2つの固着ストラップ74の内側の2辺間に距離を確保する他の任意の実施形態で構成されてもよい。間隔74Bの大きさは、固着ストラップ74の長さに沿って大きくなってもよい。2つの固着ストラップ74は、創傷/包帯プロテクタ本体部71Bの第2の端部から第2のストラップ部78まで延び、互いに平行に延びてもよい長さ74Cを有する。2つの固着ストラップ74Aの外側の辺は、図7(a)および図7(b)に示すように、互いに平行に延びてもよく、創傷/包帯プロテクタ70の本体部71の各辺によって形成される直線を連続させてもよい。代替として、2つの固着ストラップ74の外側の辺は、固着ストラップ74Aの内側の辺の方へ内側にテーパが施されるかまたは固着ストラップ74Aの内側の辺から離れる方へ外側にテーパが施された形状をとってもよい。2つの固着ストラップ74の各々の端部77は、創傷/包帯プロテクタ70の下部創傷対向側上にVelcro(登録商標)フック型材を有する。
【００６８】
図8(a)〜図8(c)はそれぞれ、本発明による創傷/包帯プロテクタ80の非創傷対向側上面図、創傷対向側底面図、および線IV-IV'に沿った断面図である。創傷/包帯プロテクタ80の例示的な実施形態は、包帯ミトン/靴下20、30の本体21、31に使用されるスーパーストレッチ材料と同様なスーパーストレッチ材料で構成することのできるラップとして構成された本体部81を有する。本体部81は、創傷/包帯プロテクタ80の下部創傷対向側と創傷/包帯プロテクタ80の上部非創傷対向側の両方でVelcro(登録商標)型ファスナのループ部として働くように構成されている。本体部81は、第1の端部81Aから第2の端部81Bまで延びる長さを有する。本体部81の伸縮自在な材料は、本体部81の長さを変化させるような伸縮能力を少なくとももたらす。代替として、本体部81の伸縮自在な材料は、本体部81の長さと本体部81の長さに垂直な本体部81の幅の両方を変化させるような伸縮能力をもたらしてもよい。
【００６９】
ガーゼポート82Aが、本体部81の第1の端部81Aの近位において本体部81上に位置するか、または本体部81の第1の端部81Aの近位において本体部81に組み込まれている。ガーゼポート82Aは、ガーゼパッド89の一部を本体部81の創傷対向側に取り付けるかまたは着脱可能に取り付けることのできる領域である。ガーゼポート82Aは、伸縮不能な材料で構成されてもよく、フックVelcro(登録商標)型固着面またはループVelcro(登録商標)型固着面のいずれかを有することによってガーゼの取外しおよび取付けを繰り返すのを可能にするように構成された表面あるいはPost-it(登録商標)付箋に使用されているような再接着可能な接着剤との良好な結合を実現する表面を有してもよい。代替として、ガーゼポート82Aの表面は、ガーゼパッド89を永久的に取り付けるのを可能にする接着剤で構成されてもよい。ガーゼポート82Aを使用して、様々なサイズのガーゼパッド89を取り付けるとともに、この実施形態に示されている創傷/包帯プロテクタ80のガーゼパッド89を定期的に交換してもよい。ガーゼポート82Aは、ガーゼパッド89の全体に取り付けられるか、ガーゼパッド89の大部分に取り付けられるか、またはガーゼパッド89の1つの辺のような狭い部分に取り付けられるようなサイズおよび/または構成を有してもよい。
【００７０】
第1の実施形態のストリップ4の構成と同様の構成を有してもよく、ゴム引き材料の糸が露出されるように適度な摩擦織り合わせをストリップ82自体にもたらすゴム引き材料で作られた1本または複数の糸を有するストリップ82が、ガーゼポート82Aよりも創傷/包帯プロテクタ80の本体部81の第1の端部81Aに近接した位置に配置されている。代替として、ストリップ82は、摩擦面を形成する他の材料で作られてもよい。好ましくは、ストリップ82の摩擦面によって実現される摩擦の程度は、創傷/包帯プロテクタ80が摩耗したときに不快感を生じさせない程度であるべきである。ストリップ82は、長さ方向と幅方向の一方または両方のいずれかにおいて伸縮不能になるように構成されてもよい。ストリップ82は、創傷/包帯プロテクタ80の上部非創傷対向側および/または創傷/包帯プロテクタ80の下部創傷対向側に沿って設けられてもよい。さらに、ストリップ82は、創傷/包帯プロテクタ80の各側の周囲を、創傷/包帯プロテクタ80の上部非創傷対向側と創傷/包帯プロテクタ80の下部創傷対向側の両方に沿って延びて環状を形成してもよい。
【００７１】
本体部81の端部領域83Aは、ストリップ82から本体部81の第1の端部81Aまで延びている。端部領域83Aの一部は、第1の端部81Aに向かって本体部81の幅が徐々に小さくなるようにテーパが施されてもよい。タブ85が本体部81の第1の端部81Aから延びている。タブ85は、第1の端部81Aの外縁部に沿った位置に中心が位置してもよい。タブ85上における、創傷/包帯プロテクタ80の上部非創傷対向側上に第1の捕捉固着面83が位置している。第1の捕捉固着面83は端部領域83A上に延びてもよい。
【００７２】
第2の端部領域88が、本体部81の第2の端部81Bに近接した本体部81の長さに沿った点から第2の端部81Bまで本体部81に沿って延びている。端部領域88の一部は、第2の端部81Bに向かって本体部81の幅が徐々に小さくなるようにテーパが施されてもよい。必ずしも第2の端部領域88全体とは限らないが、第2の端部領域88上に、創傷/包帯プロテクタ80の上部非創傷対向側またはその一部上で本体部81に係合させて固定することのできる固着部84が位置している。固着部84は、創傷/包帯プロテクタ80の下部創傷対向側に設けられたVelcro(登録商標)フック型材料で作られてもよい。
【００７３】
図9(a)〜図9(c)はそれぞれ、本発明による創傷/包帯プロテクタ90の非創傷対向側上面図、創傷対向側底面図、および線V-V'に沿った断面図である。創傷/包帯プロテクタ90の例示的な実施形態は、包帯ミトン/靴下20、30の本体21、31に使用されるスーパーストレッチ材料と同様なスーパーストレッチ材料で構成することのできるラップとして構成された本体部91を有する。本体部91は、創傷/包帯プロテクタ90の下部創傷対向側と創傷/包帯プロテクタ90の上部非創傷対向側の両方でVelcro(登録商標)型ファスナのループ部として働くように構成されている。本体部91は、第1の端部91Aから第2の端部91Bまで延びる長さを有する。本体部91の伸縮自在な材料は、本体部91の長さを変化させるような伸縮能力を少なくとももたらす。代替として、本体部91の伸縮自在な材料は、本体部91の長さと本体部91の長さに垂直な本体部91の幅の両方を変化させるような伸縮能力をもたらしてもよい。
【００７４】
ガーゼパネル92Aが、本体部91の第1の端部91Aの近位において本体部91上に位置するか、または本体部91の第1の端部91Aの近位において本体部91に組み込まれている。ガーゼパネル92Aは、ガーゼパッド99の全体または実質的に全体を本体部91の創傷対向側に取り付けるかまたは着脱可能に取り付けることのできる領域である。ガーゼパネル92Aは、伸縮不能な材料で構成されてもよく、フックVelcro(登録商標)型固着面またはループVelcro(登録商標)型固着面のいずれかを有することによってガーゼの取外しおよび取付けを繰り返すのを可能にするように構成された表面あるいはPost-it(登録商標)付箋に使用されているような再接着可能な接着剤との良好な結合を実現する表面を有してもよい。代替として、ガーゼパネル92Aの表面は、ガーゼパッド99を永久的に取り付けるのを可能にする接着剤で構成されてもよい。ガーゼパネル92Aを使用して、様々なサイズのガーゼパッド99を取り付けるとともに、この実施形態に示されている創傷/包帯プロテクタ90のガーゼパッド99を定期的に交換してもよい。
【００７５】
第1の実施形態のストリップ4の構成と同様の構成を有してもよく、ゴム引き材料の糸が露出されるように適度な摩擦織り合わせをストリップ92自体にもたらすゴム引き材料で作られた1本または複数の糸を有するストリップ92が、ガーゼパネル92Aよりも創傷/包帯プロテクタ90の本体部91の第1の端部91Aに近接した位置に配置されている。代替として、ストリップ92は、摩擦面を形成する他の材料で作られてもよい。好ましくは、ストリップ92の摩擦面によって実現される摩擦の程度は、創傷/包帯プロテクタ90が摩耗したときに不快感を生じさせない程度であるべきである。ストリップ92は、長さ方向と幅方向の一方または両方のいずれかにおいて伸縮不能になるように構成されてもよい。ストリップ92は、創傷/包帯プロテクタ90の上部非創傷対向側および/または創傷/包帯プロテクタ90の下部創傷対向側に沿って設けられてもよい。さらに、ストリップ92は、創傷/包帯プロテクタ90の各側の周囲を、創傷/包帯プロテクタ90の上部非創傷対向側と創傷/包帯プロテクタ90の下部創傷対向側の両方に沿って延びて環状を形成してもよい。
【００７６】
本体部91の端部領域93Aは、ストリップ92から本体部91の第1の端部91Aまで延びている。端部領域93Aの一部は、第1の端部91Aに向かって本体部91の幅が徐々に小さくなるようにテーパが施されてもよい。タブ95が本体部91の第1の端部91Aから延びている。タブ95は、第1の端部91Aの外縁部に沿った位置に中心が位置してもよい。タブ95上における、創傷/包帯プロテクタ90の上部非創傷対向側上に第1の捕捉固着面93が位置している。第1の捕捉固着面93は端部領域93A上に延びてもよい。
【００７７】
第2の端部領域98が、本体部91の第2の端部91Bに近接した本体部91の長さに沿った点から第2の端部91Bまで本体部91に沿って延びている。端部領域98の一部は、第2の端部91Bに向かって本体部91の幅が徐々に小さくなるようにテーパが施されてもよい。必ずしも第2の端部領域98全体とは限らないが、第2の端部領域98上に、創傷/包帯プロテクタ90の上部非創傷対向側またはその一部上で本体部91に係合させて固定することのできる固着部94が位置している。固着部94は、創傷/包帯プロテクタ90の下部創傷対向側に設けられたVelcro(登録商標)フック型材料で作られてもよい。
【００７８】
図10(a)〜図10(c)はそれぞれ、本発明による創傷/包帯プロテクタ100の非創傷対向側上面図、創傷対向側底面図、および線VI-VI'に沿った断面図である。創傷/包帯プロテクタ100の例示的な実施形態は、包帯ミトン/靴下20、30の本体21、31に使用されるスーパーストレッチ材料と同様なスーパーストレッチ材料で構成することのできるラップとして構成された本体部101を有する。本体部101は、創傷/包帯プロテクタ100の下部創傷対向側と創傷/包帯プロテクタ100の上部非創傷対向側の両方でVelcro(登録商標)型ファスナのループ部として働くように構成されている。本体部101は、第1の端部101Aから第2の端部101Bまで延びる長さを有する。本体部101の伸縮自在な材料は、本体部101の長さを変化させるような伸縮能力を少なくとももたらす。代替として、本体部101の伸縮自在な材料は、本体部101の長さと本体部101の長さに垂直な本体部101の幅の両方を変化させるような伸縮能力をもたらしてもよい。
【００７９】
ガーゼパネル102Aが、本体部101の第1の端部101Aの近位において本体部101上に位置するか、または本体部101の第1の端部101Aの近位において本体部101に組み込まれている。ガーゼパネル102Aは、ガーゼパッド109の全体または実質的に全体を本体部101の創傷対向側に取り付けるかまたは着脱可能に取り付けることのできる領域である。ガーゼパネル102Aは、伸縮不能な材料で構成されてもよく、フックVelcro(登録商標)型固着面またはループVelcro(登録商標)型固着面のいずれかを有することによってガーゼの取外しおよび取付けを繰り返すのを可能にするように構成された表面あるいはPost-it(登録商標)付箋に使用されているような再接着可能な接着剤との良好な結合を実現する表面を有してもよい。代替として、ガーゼパネル102Aの表面は、ガーゼパッド109を永久的に取り付けるのを可能にする接着剤で構成されてもよい。ガーゼパネル102Aを使用して、様々なサイズのガーゼパッド109を取り付けるとともに、この実施形態に示されている創傷/包帯プロテクタ100のガーゼパッド109を定期的に交換してもよい。
【００８０】
第1の実施形態のストリップ4の構成と同様の構成を有してもよく、ゴム引き材料の糸が露出されるように適度な摩擦織り合わせをストリップ102自体にもたらすゴム引き材料で作られた1本または複数の糸を有するストリップ102が、ガーゼパネル102Aよりも創傷/包帯プロテクタ100の本体部101の第1の端部101Aに近接した位置に配置されている。代替として、ストリップ102は、摩擦面を形成する他の材料で作られてもよい。好ましくは、ストリップ102の摩擦面によって実現される摩擦の程度は、創傷/包帯プロテクタ100が摩耗したときに不快感を生じさせない程度であるべきである。ストリップ102は、長さ方向と幅方向の一方または両方のいずれかにおいて伸縮不能になるように構成されてもよい。ストリップ102は、創傷/包帯プロテクタ100の上部非創傷対向側および/または創傷/包帯プロテクタ100の下部創傷対向側に沿って設けられてもよい。さらに、ストリップ102は、創傷/包帯プロテクタ100の各側の周囲を、創傷/包帯プロテクタ100の上部非創傷対向側と創傷/包帯プロテクタ100の下部創傷対向側の両方に沿って延びて環状を形成してもよい。
【００８１】
本体部101の端部領域103Aは、ストリップ102から本体部101の第1の端部101Aまで延びている。端部領域103Aの一部は、第1の端部101Aに向かって本体部101の幅が徐々に小さくなるようにテーパが施されてもよい。タブ105が本体部101の第1の端部101Aから延びている。タブ105は、第1の端部101Aの外縁部に沿った位置に中心が位置してもよい。タブ105上における、創傷/包帯プロテクタ100の上部非創傷対向側上に第1の捕捉固着面103が位置している。第1の捕捉固着面103は端部領域103A上に延びてもよい。
【００８２】
本体部101Bの第2の端部に固着ストラップ104Aが取り付けられている。固着ストラップ104Aは2つの部分で構成されている。第1のストラップ部104は、創傷/包帯プロテクタ本体部101Bの第2の端部に取り付けられており、創傷/包帯プロテクタ100の上部非創傷対向側と下部創傷対向側の両方でVelcro(登録商標)型ファスナのループ部として働くように構成することのできるスーパーストレッチ材料から作られている。第1のストラップ部104のスーパーストレッチ材料は、本体部101の引張り抵抗よりも強い引張り抵抗をもたらすことが好ましい。第1のストラップ部104は、好ましくは伸縮しないように構成される取付け領域105を介して創傷/包帯プロテクタ本体部101Bの第2の端部に取り付けられてもよい。取付け領域105は、創傷/包帯プロテクタ100の第1のストラップ部104および本体部101の材料の複合材料で構成されてもよく、パンチおよびメルトヒートシールによって取り付けられてもよい。代替として、第1のストラップ部104は、本体部101に、間に取付け領域105を介在させることなく直接取り付けられる。第2のストラップ部108が取付け領域106を介して第1のストラップ部104に取り付けられている。取付け領域106は、第1のストラップ部104および第2のストラップ部108の材料の複合材料で構成されてもよく、パンチおよびメルトヒートシールによって取り付けられてもよい。第2のストラップ部108は、固着ストラップ104Aの下部創傷対向側上にVelcro(登録商標)フック型材料を含む部分107を有する。代替として、第2のストラップ部108は、第1のストラップ部104に、間に取付け領域106を介在させることなく直接取り付けられる。
【００８３】
図11(a)〜図11(c)はそれぞれ、本発明による創傷/包帯プロテクタ110の非創傷対向側上面図、創傷対向側底面図、および線VII-VII'に沿った断面図である。創傷/包帯プロテクタ110の例示的な実施形態は、包帯ミトン/靴下20、30の本体21、31に使用されるスーパーストレッチ材料と同様なスーパーストレッチ材料で構成することのできるラップとして構成された本体部111を有する。本体部111は、創傷/包帯プロテクタ110の下部創傷対向側と創傷/包帯プロテクタ110の上部非創傷対向側の両方でVelcro(登録商標)型ファスナのループ部として働くように構成されている。本体部111は、第1の端部111Aから第2の端部111Bまで延びる長さを有する。本体部111の伸縮自在な材料は、本体部111の長さを変化させるような伸縮能力を少なくとももたらす。代替として、本体部111の伸縮自在な材料は、本体部111の長さと本体部111の長さに垂直な本体部111の幅の両方を変化させるような伸縮能力をもたらしてもよい。
【００８４】
ガーゼポート112Aが、本体部111の第1の端部111Aの近位において本体部111に取り付けられている。ガーゼポート112Aは、ガーゼパッド119の一部を本体部111の創傷対向側に取り付けるかまたは着脱可能に取り付けることのできる領域である。ガーゼポート112Aは、伸縮不能な材料で構成されてもよく、フックVelcro(登録商標)型固着面またはループVelcro(登録商標)型固着面のいずれかを有することによってガーゼの取外しおよび取付けを繰り返すのを可能にするように構成された表面あるいはPost-it(登録商標)付箋に使用されているような再接着可能な接着剤との良好な結合を実現する表面を有してもよい。代替として、ガーゼポート112Aの表面は、ガーゼパッド119を永久的に取り付けるのを可能にする接着剤で構成されてもよい。ガーゼポート112Aを使用して、様々なサイズのガーゼパッド119を取り付けるとともに、この実施形態に示されている創傷/包帯プロテクタ110のガーゼパッド119を定期的に交換してもよい。ガーゼポート112Aは、ガーゼパッド119の全体に取り付けられるか、ガーゼパッド119の大部分に取り付けられるか、またはガーゼパッド119の1つの辺のような狭い部分に取り付けられるようなサイズおよび/または構成を有してもよい。
【００８５】
第1の実施形態のストリップ4の構成と同様の構成を有してもよく、ゴム引き材料の糸が露出されるように適度な摩擦織り合わせをストリップ112自体にもたらすゴム引き材料で作られた1本または複数の糸を有するストリップ112が、ガーゼポート112Aよりも創傷/包帯プロテクタ110の本体部111の第1の端部111Aに近接した位置に配置されている。代替として、ストリップ112は、摩擦面を形成する他の材料で作られてもよい。好ましくは、ストリップ112の摩擦面によって実現される摩擦の程度は、創傷/包帯プロテクタ110が摩耗したときに不快感を生じさせない程度であるべきである。ストリップ112は、長さ方向と幅方向の一方または両方のいずれかにおいて伸縮不能になるように構成されてもよい。ストリップ112は、創傷/包帯プロテクタ110の上部非創傷対向側および/または創傷/包帯プロテクタ110の下部創傷対向側に沿って設けられてもよい。さらに、ストリップ112は、創傷/包帯プロテクタ110の各側の周囲を、創傷/包帯プロテクタ110の上部非創傷対向側と創傷/包帯プロテクタ110の下部創傷対向側の両方に沿って延びて環状を形成してもよい。
【００８６】
本体部111の端部領域113Aは、ストリップ112から本体部111の第1の端部111Aまで延びている。端部領域113Aの一部は、第1の端部111Aに向かって本体部111の幅が徐々に小さくなるようにテーパが施されてもよい。タブ115が本体部111の第1の端部111Aから延びている。タブ115は、第1の端部111Aの外縁部に沿った位置に中心が位置してもよい。タブ115上における、創傷/包帯プロテクタ110の上部非創傷対向側上に第1の捕捉固着面113が位置している。第1の捕捉固着面113は端部領域113A上に延びてもよい。
【００８７】
本体部111Bの第2の端部に固着ストラップ114Aが取り付けられている。固着ストラップ114Aは2つの部分で構成されている。第1のストラップ部114は、創傷/包帯プロテクタ本体部111Bの第2の端部に取り付けられており、創傷/包帯プロテクタ110の上部非創傷対向側と下部創傷対向側の両方でVelcro(登録商標)型ファスナのループ部として働くように構成することのできるスーパーストレッチ材料から作られている。第1のストラップ部114のスーパーストレッチ材料は、本体部111の引張り抵抗よりも強い引張り抵抗をもたらすことが好ましい。第1のストラップ部114は、好ましくは伸縮しないように構成される取付け領域115を介して創傷/包帯プロテクタ本体部111Bの第2の端部に取り付けられてもよい。取付け領域115は、創傷/包帯プロテクタ110の第1のストラップ部114および本体部111の材料の複合材料で構成されてもよく、パンチおよびメルトヒートシールによって取り付けられてもよい。代替として、第1のストラップ部114は、本体部111に、間に取付け領域115を介在させることなく直接取り付けられる。第2のストラップ部118は、取付け領域116を介して第1のストラップ部114に取り付けられる。取付け領域116は、第1のストラップ部114および第2のストラップ部118の材料の複合材料で構成されてもよく、パンチおよびメルトヒートシールによって取り付けられてもよい。第2のストラップ部118は、固着ストラップ114Aの下部創傷対向側上にVelcro(登録商標)フック型材料を含む部分117を有する。代替として、第2のストラップ部118は、第1のストラップ部114に、間に取付け領域116を介在させることなく直接取り付けられる。
【００８８】
ある状況では、特に、一定の動きによってガーゼを移動させることがある関節上の創傷に、粘着包帯を巻き付けることが好ましい場合がある。そのような状況では、本発明によれば、「ダイヤモンド形ガーゼ付き」粘着包帯、「三角形ガーゼ付き」粘着包帯、または「伸縮自在ガーゼ付き」粘着包帯を、当技術分野で周知の包帯に対して利点を有することが判明したときに利用するのが好ましい。「ダイヤモンド形ガーゼ付き」包帯、「三角形ガーゼ付き」包帯、または「伸縮自在ガーゼ付き」包帯の利点の1つは、特に関節上の創傷に関して、最大面積のガーゼによって創傷領域に優れた付着性および快適さをもたらすことができる点である。「ダイヤモンド形ガーゼ付き」粘着包帯、「三角形ガーゼ付き」粘着包帯、または「伸縮自在ガーゼ付き」粘着包帯を単独で使用しても、あるいは図1のスーパーストレッチチューブと一緒に使用するかまたは好ましくは図2〜図11において代替手段として示すことのできるガーゼパッドなしで図2〜図11に示すような包帯創傷/プロテクタと一緒に使用してもよい。さらに、後述の「ダイヤモンド形ガーゼ付き」構成、「三角形ガーゼ付き」構成、または「伸縮自在ガーゼ付き」構成を、別個の粘着包帯を使用せずに図2〜図11に示すような包帯創傷/プロテクタと一体化してもよい。さらに、「ダイヤモンド形ガーゼ付き」包帯および「三角形ガーゼ付き」包帯を「伸縮自在ガーゼ付き」包帯と同時に構成してもよい。「伸縮自在ガーゼ付き」包帯は、伸縮自在な本体部と、本体部の創傷対向側に固定された伸縮自在なガーゼパッドとを含む任意の包帯である。本体部は、創傷対向側の少なくとも一部上に接着剤を有しても、あるいは代替として、3M(商標)Coban(商標)Self-Adherent Wrapに使用されている不織積層体などの自着性材料を含んでもよい。
【００８９】
図66(a)〜図66(c)はそれぞれ、本発明による創傷/包帯プロテクタ660の非創傷対向側上面図、創傷対向側底面図、および側面図である。創傷/包帯プロテクタ660の例示的な実施形態は、包帯ミトン/靴下20、30の本体21、31に使用されるスーパーストレッチ材料と同様なスーパーストレッチ材料で構成することのできるラップとして構成された本体部661を有する。本体部661は、創傷/包帯プロテクタ660の下部創傷対向側と創傷/包帯プロテクタ660の上部非創傷対向側の両方でVelcro(登録商標)型ファスナのループ部として働くように構成されている。本体部661は、第1の端部661Aから第2の端部661Bまで延びる長さを有する。本体部661の伸縮自在な材料は、本体部661の長さを変化させるような伸縮能力を少なくとももたらす。代替として、本体部661の伸縮自在な材料は、本体部661の長さと本体部661の長さに垂直な本体部661の幅の両方を変化させるような伸縮能力をもたらしてもよい。
【００９０】
ガーゼポート662が、本体部661の第1の端部661Aの近位において本体部661上に位置するか、または本体部661の第1の端部661Aの近位において本体部661に組み込まれている。ガーゼポート662は、ガーゼパッド669を本体部661の創傷対向側に取り付けるかまたは着脱可能に取り付けることのできる領域である。ガーゼポート662は、伸縮不能な材料で構成されてもよく、フックVelcro(登録商標)型固着面またはループVelcro(登録商標)型固着面のいずれかを有することによってガーゼの取外しおよび取付けを繰り返すのを可能にするように構成された表面あるいはPost-it(登録商標)付箋に使用されているような再接着可能な接着剤との良好な結合を実現する表面を有してもよい。代替として、ガーゼポート662とガーゼパッド669はどちらも、低粘着性シリコーン接着剤のような低粘着性接着剤を有してもよい。低粘着性接着剤は、ガーゼパッド669の非創傷対向側全体上に位置しても、あるいはガーゼパッド669の非創傷対向側の一部上にのみ位置してもよい。ガーゼパッド669を永久的に取り付けるのを可能にする接着剤でガーゼポート662の表面を構成することも可能である。ガーゼポート662を使用して、様々なサイズのガーゼパッド669を取り付けるとともに、この実施形態に示されている創傷/包帯プロテクタ660のガーゼパッド669を定期的に交換してもよい。ガーゼポート662は、ガーゼパッド669の全体に取り付けられるか、ガーゼパッド669の大部分に取り付けられるか、またはガーゼパッド669の1つの辺など、図66(b)および図66(c)に示すような狭い部分に取り付けられるようなサイズおよび/または構成を有してもよい。
【００９１】
第1の実施形態のストリップ4の構成と同様の構成を有してもよく、ゴム引き材料の糸が露出されるように適度な摩擦織り合わせをストリップ668自体にもたらすゴム引き材料で作られた1本または複数の糸を有するストリップ668が、ガーゼポート662よりも創傷/包帯プロテクタ660の本体部661の第1の端部661Aに近接した位置に配置されている。代替として、ストリップ668は、摩擦面を形成する伸縮性ノンスリップシリコーンまたは好ましくはラテックスを含まない同様の材料で作られてもよい。ストリップ668を形成するうえでノンスリップシリコーンを連続的に塗布しても断続的に塗布してしてもよい。好ましくは、ストリップ668の摩擦面によって実現される摩擦の程度は、創傷/包帯プロテクタ660が摩耗したときに不快感を生じさせない程度であるべきである。ストリップ668は、長さ方向と幅方向の一方または両方のいずれかにおいて伸縮不能になるように構成されてもよい。ストリップ668は、創傷/包帯プロテクタ660の上部非創傷対向側および/または創傷/包帯プロテクタ660の下部創傷対向側に沿って設けられてもよい。さらに、ストリップ668は、創傷/包帯プロテクタ660の各側の周囲を、創傷/包帯プロテクタ660の上部非創傷対向側と創傷/包帯プロテクタ660の下部創傷対向側の両方に沿って延びて環状を形成してもよい。
【００９２】
第1のストラップ664Aが、本体部661の第1の端部661Aから本体部661の下側661Cに接する線に沿って延びるか、またはこの線の近位を実質的にこの線と一緒に延びている。好ましくは本体部661の遠位に位置する第1のストラップ664Aの端部まで延びるかまたはこの端部の近位まで延びる第1の取付け領域666が、第1のストラップ664Aの創傷対向側に位置している。第1の取付け領域666を本体部661の非創傷対向側の一部に固着することができる。第2のストラップ664Bが、本体部661の第2の端部661Aから本体部661の上側661Dに接する線に沿って延びるか、またはこの線の近位を実質的にこの線と一緒に延びている。好ましくは本体部661の遠位に位置する第2のストラップ664Bの端部まで延びるかまたはこの端部の近位まで延びる第2の取付け領域667が、第2のストラップ664Bの創傷対向側に位置している。第2の取付け領域667を本体部661の非創傷対向側の一部に固着することができる。創傷/包帯プロテクタ660では、第1のストラップ664Aおよび第2のストラップ664Bは本体部と同一の一体的な材料片で作られる。しかし、他の代替実施形態では、第1のストラップ664Aおよび第2のストラップ664Bを創傷/包帯プロテクタの他の例示的な実施形態におけるストラップによって本明細書で説明するように構成してもよい。第1の取付け領域666および第2の取付け領域667は、好ましくはVelcro(登録商標)型ファスナのフック部であり、本体部661の非創傷対向側は、好ましくはVelcro(登録商標)型ファスナのループ部として働く。本体部の第1の端部661Aに近接するかまたは隣接する創傷/包帯プロテクタ660の上部非創傷対向側に、第1の捕捉固着面663が位置している。第1の捕捉固着面663は、第2のストラップ664Bの反対側の部分に少なくとも沿って上側661Dと下側661Cとの間を延びており、それによって、創傷/包帯プロテクタ660が肢に巻かれたときに、第2のストラップ664Bの創傷対向側の一部を第1の捕捉固着面663に固着することができる。第1の捕捉固着面663は、好ましくはVelcro(登録商標)型ファスナのフック部であり、第2のストラップ664Bの創傷対向側は、好ましくはVelcro(登録商標)型ファスナのループ部として働く。
【００９３】
図12(a)〜図12(f)はそれぞれ、本発明による「ダイヤモンド形ガーゼ付き」包帯120の例示的な実施形態の創傷対向側底面図、非創傷対向側上面図、2つの側面図、および2つの斜視図である。「ダイヤモンド形ガーゼ付き」包帯120は、当技術分野において創傷に包帯を巻くときに使用されることが知られている任意の適切な材料、好ましくは伸縮自在で通気性を有する材料で作ることのできる、好ましくは丸い角部を有する方形の本体部121を有する。
【００９４】
ガーゼパッド122が本体部121の創傷対向側に取り付けられている。本明細書の文脈において、ガーゼまたはガーゼパッドは、創傷に対するパッドとして治療に使用することのできる任意の材料または材料の複合材料を指す。たとえば、ガーゼパッドは、綿またはポリエステルを混合した布で作られてもよい。この布は、創傷の付着を防止するかまたは最低限に抑えるTelfa(登録商標)のようなプラスチック製多孔質膜で覆われてもよい。さらに、ガーゼパッドは、体液がガーゼパッドを貫通して包帯の本体部に達するのを防止する膜で裏打ちされてもよい。
【００９５】
図25(a)〜図25(k)は、本発明による「ダイヤモンド形ガーゼ付き」包帯のいくつかの例示的なガーゼパッド構成250A、250B、250C、250D、250E、250F、250G、250H、250I、250J、250Kを示す。ガーゼパッド122は、図12(a)〜図12(f)に示すように、ガーゼパッド構成250Eと同等の方形を有する。代替として、ガーゼパッド122は、ガーゼパッド構成250Gによって例示されるようなダイヤモンド形または菱形、ガーゼパッド構成250Hによって例示されるような「凧形(別個の2対の隣接する等しい辺を有する四角形)」、ガーゼパッド構成250Iによって例示されるような矩形、またはガーゼパッド構成250Fによって例示されるような「オフセットダイヤモンド形」(互いに向かい合う辺の長さが等しく、互いに隣接する辺の長さが等しくなく、角部の角度が90度に等しくない平行四辺形)に構成されてもよい。ガーゼパッド122の1つまたは複数の角部は、ガーゼパッド構成250Dの角部によって例示されるように丸くても、あるいはガーゼパッド構成250Jおよび250Kの角部によって例示されるように切り取られてもよい。さらに、ガーゼパッド122の各辺124は直線である必要はない。たとえば、ガーゼパッド122の1つまたは複数の辺124は、それぞれガーゼパッド構成250Aおよび250Bの辺によって例示されるように凸状曲線または凹状曲線であっても、あるいはガーゼパッド構成250Cの辺によって例示されるように波線であってもよい。本明細書に示す例示的な構成のような辺角部構成の任意の組合せをガーゼパッド122に適用してもよい。しかし、「ダイヤモンド形ガーゼ付き」包帯におけるガーゼパッドのすべての可能な形状構成は、4つの「主角部」を有するべきであり、すなわち、四辺形の4つの角部、または多角形上の任意の4つの位置、つまり、多角形の幅が狭くされ、主角部同士の間のガーゼパッドの辺によって各辺が形成される四辺形を互いに近似する4つの位置を有するべきである。ある角部を切り取るかまたは丸める場合、多角形のこの角部を「主角部」にするには、この角部の幅を実質的に狭くすべきであり、すなわち、幅を狭くする割合は、50%を超えるべきであり、より好ましくは75%を超えるべきであり、さらに好ましくは85%であり、さらに好ましくは95%である。したがって、たとえば、ガーゼパッド構成250Dにおける切り取られた角部251Kの長さ251Lは、切り取られた角部251Kに隣接する互いに向かい合う2つの角部の間に引かれた平行な線251Mの長さの50%未満であるべきであるか、またはより好ましくは、切り取られた角部251Kの長さは、切り取られた角部251Kに隣接する互いに向かい合う2つの角部の間に引かれた平行な線251Mの長さの25%未満、さらに好ましくは15%未満であるべきである。同様に、丸い角部251Dの場合、一部が丸い角部251Dの弧で構成された円251Nの直径は、丸い角部251Dに隣接する互いに向かい合う2つの角部の間に引かれた線251Pの長さの50%未満であるべきであるか、またはより好ましくは、円251Nの直径は、丸い角部251Dに隣接する互いに向かい合う2つの角部の間に引かれた平行な線251Pの長さの25%未満、より好ましくは15%未満であるべきである。例示的なガーゼパッド構成250A、250B、250C、250D、250E、250F、250G、250H、250I、250J、250Kには、円によって識別された4つの主角部251があり、これらの角部は、各主角部251に関連する方向矢印によって識別されているように向きが定められている。
【００９６】
ガーゼパッド122の主角部は、ガーゼパッド122の各辺124が本体部121の縁部123に平行にならないように本体部121の角部からずらされている。ガーゼパッド122は、ガーゼパッド122の各辺124が本体部121の互いに隣接する2つの縁部123によって形成される直角二等辺三角形の斜辺に平行になるような向きに定められることが好ましい。
【００９７】
本明細書で開示する「ダイヤモンド形ガーゼ付き」包帯に関しては、本体部の長さ接線および幅接線を本体部121の縁部123のような本体部の縁部によって形成してもよい。したがって、本明細書に示すような本体部が方形または矩形である場合、長さ接線および幅接線は、本体部自体の縁部であるので明示的に定められることはない。同様に、本体部が異なる形状を有するが、1つの長さ接線または幅接線が完全にまたはほぼ完全に本体部と連続している「ダイヤモンド形ガーゼ付き」包帯の例示的な実施形態では、「ダイヤモンド形ガーゼ付き」包帯120の場合のように、この接線が明示的に定められることはない。そうでない場合、長さ接線および幅接線は、本体部縁部に接し、方形または矩形を形成する、明示的に定められた1組の接線である。本明細書の説明では、図25(l)に示すように、長さが水平軸に沿って定められ、幅が垂直軸に沿って定められる。ガーゼパッド122の各主角部は、本体部121の異なる長さ接線または幅接線の方へ向けられる。同様に、「ダイヤモンド形ガーゼ付き」包帯の他の実施形態では、各主角部が本体部の異なる長さ接線または幅接線の方へ向けられる。
【００９８】
ガーゼパッド122は、本体部121と同じ中心点を有してもよく、ならびに/またはガーゼパッド122の各主角部は、この場合、基本的に本体部121の長さ接線または幅接線に相当する1つの縁部123の中点または中央部の方へ向けられてもよい。長さ接線または幅接線の中央部は、好ましくは長さ接線または幅接線の2分の1に等しく、中心が長さ接線または幅接線の中点に位置する長さ接線または幅接線の部分である。より好ましくは、中央部は、長さ接線または幅接線の2分の1よりも小さい、長さ接線または幅接線の3分の1、4分の1、8分の1、または別の分数であってもよい。
【００９９】
図25(m)は、本発明による「ダイヤモンド形ガーゼ付き」包帯に関するガーゼパッドの向きの例示的な好ましい範囲を示す。好ましくは、「ダイヤモンド形ガーゼ付き」包帯におけるガーゼパッドのすべての主角部は、長さ接線および幅接線の中点の方へ向けられるべきである。もちろん、このことは、特定の包帯構成の様々な形状、機能、およびその他の限定要因を考慮すると、常に実際的であるとは限らない。線254は、目盛によって形成される部分長さに等しく分割された例示的な長さ接線または幅接線を表し、好ましい向きの範囲257が線254のより太い部分によって示されている。円によって示され向きが関連する矢印によって示された4つの主角部を有するガーゼパッド255は、1つの主角部が好ましい向きの範囲257の上限の方へ向けられるように位置しており、一方、ガーゼパッド255'は、1つの主角部が好ましい向きの範囲257の下限の方へ向けられるように向きを定められている。好ましい向きの範囲257は、上記で説明した通り、線254の中央部を示してもよい。代替として、ガーゼパッドの向きの好ましい範囲は、長さ接線または幅接線と主角部が向けられる方向に延びる半直線が交差することによって形成される最小角度によって定められてもよく、この場合、最小角度は、半直線が長さ接線または幅接線に対して直角を形成する点に近接する半直線の側に存在する。図25(m)において、角度258、258'は、線254とガーゼパッド255、255'の主角部が向けられる方向に延びる半直線256、256'が交差することによって形成される。この例において、線254の向きの範囲257は、角度258、258'の最小値によって定められる。この例における向きの範囲257は、必ずしも線254の中点に中心が位置するわけではない。角度258、258'は、55°の最小値から線254と半直線256、256'の直角交差点における90°の最大値までの範囲を有することが好ましい。角度258、258'は最小値が65°、75°、または85°であることがより好ましい。
【０１００】
ガーゼパッド122のサイズは、ガーゼパッド122の主角部が本体部121の縁部123に達しないようなサイズである。代替として、ガーゼパッド122は、ガーゼパッドの1つまたは複数の主角部が本体部121の縁部123に達するようなサイズ、形状、および/または位置を有してもよい。ガーゼパッド122は、本体部121の創傷対向側に4つの等しい象限を実質的に形成するようなサイズおよび位置を有してもよく、すなわち、ガーゼパッド132の各辺は、象限、すなわち、ガーゼパッド122によって覆われることのない本体部121の創傷対向側の領域のうちの1つの領域の1つの縁部の大部分を形成する。本体部121の下部創傷対向側は、当技術分野において包帯に使用されているような接着剤を有してもよく、または代替として、本体部は、3M(商標)のCoban(登録商標)Self-Adherent Wrapに使用されている不織積層体などの自着性材料を含んでもよい。接着剤は、本体部121の下部創傷対向側の全体または一部に塗布されてもよい。ガーゼパッド122は、「ダイヤモンド形ガーゼ付き」包帯120を患者に固定するのに使用されるのと同じ接着剤を介して本体部121に固定されても、そのように固定されなくてもよい。
【０１０１】
図13(a)〜図13(f)はそれぞれ、本発明による「ダイヤモンド形ガーゼ付き」包帯の例示的な実施形態130の創傷対向側底面図、非創傷対向側上面図、2つの側面図、および2つの斜視図である。「ダイヤモンド形ガーゼ付き」包帯120に対して、「ダイヤモンド形ガーゼ付き」包帯130におけるガーゼパッド132のサイズは、ガーゼパッド132の主角部が「ダイヤモンド形ガーゼ付き」包帯130の本体部131の縁部133に達するようなサイズである。ガーゼパッド132は、本体部131の創傷対向側に4つの等しい象限を形成するようなサイズおよび位置を有してもよい。例示的な代替実施形態において、ガーゼパッド132は、本体部131の創傷対向側に4つの等しい象限を実質的に形成するようなサイズおよび位置を有してもよい。他のすべての点において、「ダイヤモンド形ガーゼ付き」包帯130の構成は「ダイヤモンド形ガーゼ付き」包帯120の構成と同等である。したがって、ガーゼパッドの形状、位置、および向きと、本体部の材料、接着剤の種類および配置などの問題に関する「ダイヤモンド形ガーゼ付き」包帯120による上記の説明は、「ダイヤモンド形ガーゼ付き」包帯130と、後述の「ダイヤモンド形ガーゼ付き」包帯の例示的な実施形態を含む他の「ダイヤモンド形ガーゼ付き」包帯に当てはまる。
【０１０２】
図14(a)〜図14(e)はそれぞれ、本発明による「ダイヤモンド形ガーゼ付き」包帯の例示的な実施形態140の創傷対向側底面図、非創傷対向側上面図、2つの側面図、および1つの斜視図である。「ダイヤモンド形ガーゼ付き」包帯140において、本体部141は、好ましくは丸い角部を有する矩形を有する。ガーゼパッド142は、方形に構成され、ガーゼパッド142の各辺が本体部141の各縁部に平行にならないように本体部141に対して向きを定められている。ガーゼパッド142は、互いに向かい合う2つの主角部が本体部141の互いに向かい合う2つの縁部に接触することができ、一方、ガーゼパッド142の残りの主角部が本体部141の残りの縁部に接触しないようなサイズを有してもよい。さらに、本発明による任意の「ダイヤモンド形ガーゼ付き」包帯では、ガーゼパッドは、互いに向かい合う2つの主角部が本体部の互いに向かい合う2つの縁部に接触するのを可能にするようなサイズを有してもよい。ガーゼパッド142は、本体部141と同じ中心点を有してもよく、ならびに/またはガーゼパッド142の各主角部は、本体部141の1つの縁部の中点の方へ向けられてもよい。
【０１０３】
図18(a)〜図18(e)はそれぞれ、本発明による「ダイヤモンド形ガーゼ付き」包帯の例示的な実施形態180の創傷対向側底面図、非創傷対向側上面図、2つの側面図、および1つの斜視図である。「ダイヤモンド形ガーゼ付き」包帯180において、本体部181は、好ましくは丸い角部を有する矩形を有する。ガーゼパッド182は、ダイヤモンド形に構成されており、ガーゼパッド182の互いに向かい合う2つの主角部が、本体部181の互いに向かい合う2つの長さ縁部に接触している。他のすべての点において、「ダイヤモンド形ガーゼ付き」包帯180の構成は「ダイヤモンド形ガーゼ付き」包帯140の構成と同等である。
【０１０４】
図50(a)〜図50(e)はそれぞれ、本発明による「ダイヤモンド形ガーゼ付き」包帯の例示的な実施形態500の創傷対向側底面図、非創傷対向側上面図、2つの側面図、および1つの斜視図である。「ダイヤモンド形ガーゼ付き」包帯500において、本体部501は、好ましくは丸い角部を有する矩形を有する。ガーゼパッド502は、ダイヤモンド形に構成されており、ガーゼパッド502のすべての4つの主角部が、本体部501のすべての4つの縁部に接触している。他のすべての点において、「ダイヤモンド形ガーゼ付き」包帯500の構成は「ダイヤモンド形ガーゼ付き」包帯180の構成と同等である。さらに、本発明による任意の「ダイヤモンド形ガーゼ付き」包帯では、ガーゼパッドは、いくつかまたはすべてのガーゼパッドが本体部の縁部まで延びるようなサイズおよび位置を有してもよい。
【０１０５】
図15(a)〜図15(e)はそれぞれ、本発明による「ダイヤモンド形ガーゼ付き」包帯の別の例示的な実施形態150の創傷対向側底面図、非創傷対向側上面図、2つの側面図、および1つの斜視図である。「ダイヤモンド形ガーゼ付き」包帯150の本体部151は、いくつかの包帯用途の中で、指先または同様の付属肢に包帯を巻くのに特に有用であり得る「アーモンド」形である。ガーゼパッド152は、ガーゼパッド152の各辺が本体部151の長さ接線159A、159Cおよび幅接線159B、159Dに平行にならないように「ダイヤモンド形ガーゼ付き」包帯150の本体部151に対して向きを定められている。ガーゼパッド152は、本体部151と同じ中心点を有してもよく、ならびに/またはガーゼパッド152の各角部は、長さ接線159A、159Cまたは幅接線159B、159Dのうちの1つの中点の方へ向けられてもよい。
【０１０６】
図16(a)〜図16(e)はそれぞれ、本発明による「ダイヤモンド形ガーゼ付き」包帯の別の例示的な実施形態160の創傷対向側底面図、非創傷対向側上面図、2つの側面図、および1つの斜視図である。「ダイヤモンド形ガーゼ付き」包帯160の本体部161は、いくつかの包帯用途の中で、指先または同様の付属肢に包帯を巻くのに特に有用であり得る卵形である。ガーゼパッド162の各辺が本体部161の長さ接線169A、169Cおよび幅接線169B、169Dに平行にならないように、ガーゼパッド162が本体部161に対して向きを定められている。ガーゼパッド162は、本体部161と同じ中心点を有してもよく、ならびに/またはガーゼパッド162の各角部は、長さ接線169A、169Cまたは幅接線169B、169Dのうちの1つの中点の方へ向けられてもよい。
【０１０７】
図17(a)〜図17(e)はそれぞれ、本発明による「ダイヤモンド形ガーゼ付き」包帯の別の例示的な実施形態170の創傷対向側底面図、非創傷対向側上面図、2つの側面図、および1つの斜視図である。「ダイヤモンド形ガーゼ付き」包帯170の本体部171は、いくつかの包帯用途の中で、指先または同様の付属肢に包帯を巻くのに特に有用であり得る「ちょうネクタイ」形または「砂時計」形である。ガーゼパッド172は、ガーゼパッド172の各辺が本体部171の長さ接線179A、179Bおよび縁部179C、179Dに平行にならないように「ダイヤモンド形ガーゼ付き」包帯170の本体部171に対して向きを定められており、この例示的な実施形態において縁部179Cおよび179Dは幅接線と基本的に同等である。ガーゼパッド172は、本体部171と同じ中心点を有してもよく、ならびに/またはガーゼパッド172の各角部は、「ダイヤモンド形ガーゼ付き」包帯170の本体部171の接線179Aおよび179Bならびに縁部179Cおよび179Dのうちの1つの中点の方へ向けられてもよい。
【０１０８】
図19(a)〜図19(g)はそれぞれ、本発明による「ダイヤモンド形ガーゼ付き」包帯の別の例示的な実施形態190の創傷対向側底面図、非創傷対向側上面図、4つの側面図、および1つの斜視図である。「ダイヤモンド形ガーゼ付き」包帯190の本体部191は、いくつかの包帯用途の中で、指関節および指先または同様の付属肢に包帯を巻くのに特に有用であり得る「指関節」形である。本体部191は、ヘッド部193とテール部194とを有する。ヘッド部193は、場合によっては、ヘッド部193がテール部194に連結されるヘッド部193の第1の辺が非対称的に短くされる、先端が切り取られた卵形、ダイヤモンド形、アーモンド形、または同様の形状であってもよい。テール部194は末広がりであり、テールが、ヘッド部193と凹部を形成するヘッド部193の第1の辺から、好ましくは滑らかな曲線である本体部191の上縁部195および下縁部196に沿って長さ方向に延びるにつれて、幅が大きくなる。ガーゼパッド192は、実質的にヘッド部193内に位置しており、ガーゼパッド192の各辺が本体部191の長さ接線199A、199Cにも幅接線199B、199Dにも平行にならないように本体部191に対して向きを定められている。
【０１０９】
図24(a)〜図24(f)はそれぞれ、「ダイヤモンド形ガーゼ付き」包帯の別の例示的な実施形態の創傷対向側底面図、非創傷対向側上面図、1つの斜視図、および3つの側面図である。この「ダイヤモンド形ガーゼ付き」包帯240の本体部241は、「ダイヤモンド形ガーゼ付き」包帯190の本体部と同様な「指関節」形状を有している。ガーゼパッド242は、ガーゼパッド242の各辺が長さ接線249A、249Cおよび幅接線249B、249Dに平行になるように「指関節」形本体部241に対して向きを定められている。他のすべての点において、「ダイヤモンド形ガーゼ付き」包帯240は、「ダイヤモンド形ガーゼ付き」包帯190と同様に構成されてもよい。
【０１１０】
図26(a)〜図26(f)はそれぞれ、「ダイヤモンド形ガーゼ付き」包帯の別の例示的な実施形態の創傷対向側底面図、非創傷対向側上面図、3つの側面図、および1つの斜視図である。この「ダイヤモンド形ガーゼ付き」包帯260の本体部261は、「ダイヤモンド形ガーゼ付き」包帯190の本体部と同様な「指関節」形状を有している。ガーゼパッド262は、ガーゼパッド262の中心がヘッド部263およびテール部264によって形成される凹部に沿った位置に対応するように位置している。他のすべての点において、「ダイヤモンド形ガーゼ付き」包帯260は、「ダイヤモンド形ガーゼ付き」包帯190と同様に構成されてもよい。
【０１１１】
図20(a)〜図20(g)はそれぞれ、本発明による「ダイヤモンド形ガーゼ付き」包帯の別の例示的な実施形態200の創傷対向側底面図、非創傷対向側上面図、4つの側面図、および1つの斜視図である。「ダイヤモンド形ガーゼ付き」包帯200の本体部201は、いくつかの包帯用途の中で指ラップとして特に有用であり得る形状を有する。「ダイヤモンド形ガーゼ付き」包帯200の本体部201は、上記に「ダイヤモンド形ガーゼ付き」包帯120によって説明したように自着性材料で構成されてもよく、したがって、本体部201が指または他の付属肢に巻き付けられると、ガーゼパッドの遠位に位置する包帯の創傷対向側が本体部201の非創傷対向側に付着してラップを所定の位置に固定する。同様に、他のすべての「ダイヤモンド形ガーゼ付き」包帯は、特に付属肢に巻き付けるのに使用されるときに、そのような自着性材料を含むように作られてもよい。ガーゼパッド202の各辺が長さ接線209A、209Cおよび幅接線209B、209Dに平行にならないように、ガーゼパッド202が本体部201に対して向きを定められている。ガーゼパッド202は、幅接線209Bの近位に位置するのが好ましい。代替として、「ダイヤモンド形ガーゼ付き」包帯200は、特に、「ダイヤモンド形ガーゼ付き」包帯200が自着性材料または包帯を再シールするための他の材料を含むように構成されるときに、ダイヤモンド形として向きを定められず、包帯の長さに平行な標準的な矩形または方形の向きに定められたガーゼパッド202と一緒に使用されてもよい。
【０１１２】
図21(a)〜図21(e)はそれぞれ、本発明による「ダイヤモンド形ガーゼ付き」包帯の別の例示的な実施形態210の創傷対向側底面図、非創傷対向側上面図、2つの側面図、および1つの斜視図である。「ダイヤモンド形ガーゼ付き」包帯210の本体部211は細長い8角形である。ガーゼパッド212の各辺が長さ接線219A、219Cおよび幅接線219B、219Dに平行にならないように、ガーゼパッド212が本体部211に対して向きを定められている。ガーゼパッド212は、本体部211と同じ中心点を有してもよく、ならびに/またはガーゼパッド212の各角部は、接線219A、219Cまたは幅接線219B、219Dのうちの1つの中点の方へ向けられてもよい。代替として、本体部211は8つの等しい辺を有する8角形であってもよい。
【０１１３】
図27(a)〜図27(e)はそれぞれ、本発明による「ダイヤモンド形ガーゼ付き」包帯の別の例示的な実施形態270の創傷対向側底面図、非創傷対向側上面図、2つの側面図、および1つの斜視図である。「ダイヤモンド形ガーゼ付き」包帯270の本体部271は、図15または図16の包帯の構成と同様の中央のアーモンド形部または卵形部273と、球状辺部274、275とを有する。ガーゼパッド272の各辺が長さ接線279A、279Cおよび幅接線279B、279Dに平行にならないように、ガーゼパッド272が本体部271に対して向きを定められている。ガーゼパッド272は、本体部271と同じ中心点を有してもよく、ならびに/またはガーゼパッド272の各角部は、長さ接線279A、279Cまたは幅接線279B、279Dのうちの1つの中点の方へ向けられてもよい。中央部273の中点は、長さ接線279A、279Cの中点に対応するように位置することが好ましい。
【０１１４】
図28(a)〜図28(e)はそれぞれ、本発明による「ダイヤモンド形ガーゼ付き」包帯の別の例示的な実施形態280の創傷対向側底面図、非創傷対向側上面図、2つの側面図、および1つの斜視図である。「ダイヤモンド形ガーゼ付き」包帯280の本体部281は、幅の狭い中央部283と、幅の狭い中央部283から長さに沿って移動する際に、最初は幅が広くなり、次いで、再び直線状または実質的に直線状に幅が狭くなって丸い端部に至る側部領域284および285とを有し、すなわち、幅が広くなる側部領域284および285の部分が、丸みを付けた角度によって、幅が狭くなる側部領域284および285の部分に連結されている。本体部281は、「ちょうネクタイ」形または「砂時計」形を有する。ガーゼパッド282の各辺が長さ接線289A、289Cおよび幅接線289B、289Dに平行にならないように、ガーゼパッド282が本体部281に対して向きを定められている。ガーゼパッド282は、本体部281と同じ中心点を有してもよく、ならびに/またはガーゼパッド282の各角部は、長さ接線289A、289Cまたは幅接線289B、289Dのうちの1つの中点の方へ向けられてもよい。幅の狭い中央部283は、長さ接線289A、289Cの中点に対応するように位置することが好ましい。
【０１１５】
図29(a)〜図29(f)はそれぞれ、本発明による「ダイヤモンド形ガーゼ付き」包帯の別の例示的な実施形態290の創傷対向側底面図、非創傷対向側上面図、3つの側面図、および1つの斜視図である。「ダイヤモンド形ガーゼ付き」包帯290の本体部291は、長さ方向において、丸い端部を有する第1の辺に終端を有し、本体部291から実質的に長さ方向に延びる脚部294、295を第2の辺に有する中央部293を有し、脚部294、295は、中央部293の遠位に位置する丸い端部が終端である。本体部291は、脚部294、295の終端に凸部を形成する第3の曲線および第4の曲線によって中央部293の遠位に位置するそれぞれの近位端で連結された2つの平行な弧または放物線によって形成される「アーチ」を形成している。代替として、本体部291は、放物線ではなく直線または波線を有するように形成されてもよく、脚部294、295の端部および中央部293上の凸部の代わりに四角に切り取られた端部を含んでもよい。脚部294、295は、中央部293に互いに間隔を置いて配置され、好ましくは中央部293から発散角度に延びている。好ましくは、発散角度は、脚部294、295が、「ダイヤモンド形ガーゼ付き」包帯290が取り付けられる肢の周囲を延び、脚部294、295の下部創傷対向側を中央部293の上部非創傷対向側上にわずかに重ね合わせるのを可能にする角度であるべきである。したがって、本体部291は、いくつかの包帯用途の中で指ラップとして特に有用であり得る形状を有する。ガーゼパッド292の各辺が長さ接線299A、299Cおよび幅接線299B、299Dに平行にならないように、ガーゼパッド292が本体部291に対して向きを定められている。ガーゼパッド292は、中央本体部293と同じ中心点を有してもよく、ならびに/またはガーゼパッド292の各角部は、幅接線299B、299Dのうちの1つの中点の方へ向けられてもよい。
【０１１６】
図30(a)〜図30(e)はそれぞれ、本発明による「ダイヤモンド形ガーゼ付き」包帯の別の例示的な実施形態300の創傷対向側底面図、非創傷対向側上面図、2つの側面図、および1つの斜視図である。「ダイヤモンド形ガーゼ付き」包帯300の本体部301は、平らな上縁部306Aと平らな下縁部306Bとを有し、したがって、幅が一様であるかまたは実質的に一様である中央部303を有する。「ダイヤモンド形ガーゼ付き」包帯300の本体部301は、中央部303から長さに沿って移動する際に、直線状または実質的に直線状に幅が狭くなって丸い端部に至る側部領域304および305も有し、すなわち、中央部303は丸みを付けた角でによって側部領域304および305に遷移している。ガーゼパッド302の各辺が長さ接線309A、309Cおよび幅接線309B、309Dに平行にならないように、ガーゼパッド302が本体部301に対して向きを定められている。ガーゼパッド302は、本体部301と同じ中心点を有してもよく、ならびに/またはガーゼパッド302の各角部は、長さ接線309A、309Cまたは幅接線309B、309Dのうちの1つの中点の方へ向けられてもよい。中央部303の中点は、長さ接線309A、309Cの中点に対応するように位置することが好ましい。
【０１１７】
図31(a)〜図31(e)はそれぞれ、本発明による「ダイヤモンド形ガーゼ付き」包帯の別の例示的な実施形態310の創傷対向側底面図、非創傷対向側上面図、2つの側面図、および1つの斜視図である。「ダイヤモンド形ガーゼ付き」包帯310の本体部311は、幅の狭い中央部313と、幅の狭い中央部313から長さに沿って移動する際に、最初は幅が広く、再び直線状または実質的に直線状に幅が狭くなって丸い端部に至る側部領域314および315とを有する。「ダイヤモンド形ガーゼ付き」包帯310は、「ちょうネクタイ」形または「砂時計」形の本体部を有する。ガーゼパッド312の各辺が長さ接線319A、319Cおよび幅接線319B、319Dに平行にならないように、ガーゼパッド312が本体部311に対して向きを定められている。ガーゼパッド312は、本体部311と同じ中心点を有してもよく、ならびに/またはガーゼパッド312の各角部は、長さ接線319A、319Cまたは幅接線319B、319Dのうちの1つの中点の方へ向けられてもよい。幅の狭い中央部313は、長さ接線319A、319Cの中点に対応するように位置することが好ましい。
【０１１８】
図32(a)〜図32(e)はそれぞれ、本発明による「ダイヤモンド形ガーゼ付き」包帯の別の例示的な実施形態320の創傷対向側底面図、非創傷対向側上面図、2つの側面図、および1つの斜視図である。「ダイヤモンド形ガーゼ付き」包帯320の本体部321は、幅の狭い中央部323と、幅の狭い中央部323から長さに沿って移動する際に、最初は幅が広くなり、次いで、再び直線状または実質的に直線状に幅が狭くなって丸い端部に至る側部領域324および325とを有する。「ダイヤモンド形ガーゼ付き」包帯320は、「ちょうネクタイ」形または「砂時計」形の本体部を有する。ガーゼパッド322の各辺が長さ接線329A、329Cおよび幅接線329B、329Dに平行にならないように、ガーゼパッド322が本体部321に対して向きを定められている。ガーゼパッド322は、本体部321と同じ中心点を有してもよく、ならびに/またはガーゼパッド322の各角部は、長さ接線329A、329Cまたは幅接線329B、329Dのうちの1つの中点の方へ向けられてもよい。幅の狭い中央部323は、長さ接線329A、329Cの中点に対応するように位置することが好ましい。
【０１１９】
図33(a)〜図33(e)はそれぞれ、本発明による「ダイヤモンド形ガーゼ付き」包帯の別の例示的な実施形態330の創傷対向側底面図、非創傷対向側上面図、2つの側面図、および1つの斜視図である。「ダイヤモンド形ガーゼ付き」包帯330の本体部331は、幅の狭い中央部333と、直線状または実質的に直線状に幅が広くなって丸い端部に至る側部領域334および335とを有する。「ダイヤモンド形ガーゼ付き」包帯330は、「ちょうネクタイ」形または「砂時計」形の本体部を有する。ガーゼパッド332の各辺が長さ接線339A、339Cおよび幅接線339B、339Dに平行にならないように、ガーゼパッド332が本体部331に対して向きを定められている。ガーゼパッド332は、本体部331と同じ中心点を有してもよく、ならびに/またはガーゼパッド332の各角部は、長さ接線339A、339Cまたは幅接線339B、339Dのうちの1つの中点の方へ向けられてもよい。幅の狭い中央部333は、長さ接線339A、339Cの中点に対応するように位置することが好ましい。
【０１２０】
図34(a)〜図34(e)はそれぞれ、本発明による「ダイヤモンド形ガーゼ付き」包帯の別の例示的な実施形態340の創傷対向側底面図、非創傷対向側上面図、2つの側面図、および1つの斜視図である。「ダイヤモンド形ガーゼ付き」包帯340の本体部341は、幅の狭い中央部343と、直線状または実質的に直線状に幅が広くなって丸い端部に至る側部領域344および345とを有する。「ダイヤモンド形ガーゼ付き」包帯340は、「ちょうネクタイ」形または「砂時計」形の本体部を有する。ガーゼパッド342の各辺が長さ接線349A、349Cおよび幅接線349B、349Dに平行にならないように、ガーゼパッド342が本体部341に対して向きを定められている。ガーゼパッド342は、本体部341と同じ中心点を有してもよく、ならびに/またはガーゼパッド342の各角部は、長さ接線349A、349Cまたは幅接線349B、349Dのうちの1つの中点の方へ向けられてもよい。幅の狭い中央部343は、長さ接線349A、349Cの中点に対応するように位置することが好ましい。
【０１２１】
図35(a)〜図35(e)はそれぞれ、本発明による「ダイヤモンド形ガーゼ付き」包帯の別の例示的な実施形態350の創傷対向側底面図、非創傷対向側上面図、2つの側面図、および1つの斜視図である。「ダイヤモンド形ガーゼ付き」包帯350の本体部351は、幅の狭い中央部353と、円弧または楕円弧によって形成される側部領域354および355とを有する。「ダイヤモンド形ガーゼ付き」包帯350は、「ちょうネクタイ」形または「砂時計」形の本体部を有する。ガーゼパッド352の各辺が長さ接線359A、359Cおよび幅接線359B、359Dに平行にならないように、ガーゼパッド352が本体部351に対して向きを定められている。ガーゼパッド352は、本体部351と同じ中心点を有してもよく、ならびに/またはガーゼパッド352の各角部は、長さ接線359A、359Cまたは幅接線359B、359Dのうちの1つの中点の方へ向けられてもよい。幅の狭い中央部353は、長さ接線359A、359Cの中点に対応するように位置することが好ましい。
【０１２２】
図36(a)〜図36(e)はそれぞれ、本発明による「ダイヤモンド形ガーゼ付き」包帯の別の例示的な実施形態360の創傷対向側底面図、非創傷対向側上面図、2つの側面図、および1つの斜視図である。「ダイヤモンド形ガーゼ付き」包帯360の本体部361は、幅の狭い中央部363と、円弧または楕円弧によって形成される側部領域364および365とを有する。「ダイヤモンド形ガーゼ付き」包帯360は、「ちょうネクタイ」形または「砂時計」形の本体部を有する。ガーゼパッド362の各辺が長さ接線369A、369Cおよび幅接線369B、369Dに平行にならないように、ガーゼパッド362が本体部361に対して向きを定められている。ガーゼパッド362は、本体部361と同じ中心点を有してもよく、ならびに/またはガーゼパッド362の各角部は、長さ接線369A、369Cまたは幅接線369B、369Dのうちの1つの中点の方へ向けられてもよい。幅の狭い中央部363は、長さ接線369A、369Cの中点に対応するように位置することが好ましい。
【０１２３】
図37(a)〜図37(e)はそれぞれ、本発明による「ダイヤモンド形ガーゼ付き」包帯の別の例示的な実施形態370の創傷対向側底面図、非創傷対向側上面図、2つの側面図、および1つの斜視図である。「ダイヤモンド形ガーゼ付き」包帯370の本体部371は、幅の狭い中央部373と、直線状または実質的に直線状に幅が広くなり、丸い角部によって連結された直線状または実質的に直線状の端部に至る側部領域374および375とを有する。「ダイヤモンド形ガーゼ付き」包帯370は、平らな端部を含む「ちょうネクタイ」形または「砂時計」形の本体部を有する。ガーゼパッド372の各辺が長さ接線379A、379Cおよび幅接線379B、379Dに平行にならないように、ガーゼパッド372が本体部371に対して向きを定められている。ガーゼパッド372は、本体部371と同じ中心点を有してもよく、ならびに/またはガーゼパッド372の各角部は、長さ接線379A、379Cまたは幅接線379B、379Dのうちの1つの中点の方へ向けられてもよい。幅の狭い中央部373は、長さ接線379A、379Cの中点に対応するように位置することが好ましい。
【０１２４】
図38(a)〜図38(e)はそれぞれ、本発明による「ダイヤモンド形ガーゼ付き」包帯の別の例示的な実施形態380の創傷対向側底面図、非創傷対向側上面図、2つの側面図、および1つの斜視図である。「ダイヤモンド形ガーゼ付き」包帯380の本体部381は、幅の狭い中央部383と、直線状または実質的に直線状に幅が広くなり、丸い角部によって連結された直線状または実質的に直線状の端部に至る側部領域384および385とを有する。「ダイヤモンド形ガーゼ付き」包帯380は、平らな端部を含む「ちょうネクタイ」形または「砂時計」形の本体部を有する。ガーゼパッド382の各辺が長さ接線389A、389Cおよび幅接線389B、389Dに平行にならないように、ガーゼパッド382が本体部381に対して向きを定められている。ガーゼパッド382は、本体部381と同じ中心点を有してもよく、ならびに/またはガーゼパッド382の各角部は、長さ接線389A、389Cまたは幅接線389B、389Dのうちの1つの中点の方へ向けられてもよい。幅の狭い中央部383は、長さ接線389A、389Cの中点に対応するように位置することが好ましい。
【０１２５】
図39(a)〜図39(e)はそれぞれ、本発明による「ダイヤモンド形ガーゼ付き」包帯の別の例示的な実施形態390の創傷対向側底面図、非創傷対向側上面図、2つの側面図、および1つの斜視図である。「ダイヤモンド形ガーゼ付き」包帯390の本体部391は、幅の狭い中央部393と、曲線状に幅が広くなり、丸い角部によって連結された直線状または実質的に直線状の端部に至る側部領域394および395とを有する。「ダイヤモンド形ガーゼ付き」包帯390は、平らな端部を含む「ちょうネクタイ」形または「砂時計」形の本体部を有する。ガーゼパッド392の各辺が長さ接線399A、399Cおよび幅接線399B、399Dに平行にならないように、ガーゼパッド392が本体部391に対して向きを定められている。ガーゼパッド392は、本体部391と同じ中心点を有してもよく、ならびに/またはガーゼパッド392の各角部は、長さ接線399A、399Cまたは幅接線399B、399Dのうちの1つの中点の方へ向けられてもよい。幅の狭い中央部393は、長さ接線399A、399Cの中点に対応するように位置することが好ましい。
【０１２６】
図40(a)〜図40(e)はそれぞれ、本発明による「ダイヤモンド形ガーゼ付き」包帯の別の例示的な実施形態400の創傷対向側底面図、非創傷対向側上面図、2つの側面図、および1つの斜視図である。「ダイヤモンド形ガーゼ付き」包帯400の本体部401は、幅の狭い中央部403と、曲線状に幅が広くなり、丸い角部によって連結された直線状または実質的に直線状の端部に至る側部領域404および405とを有する。「ダイヤモンド形ガーゼ付き」包帯400は、平らな端部を含む「ちょうネクタイ」形または「砂時計」形の本体部を有する。ガーゼパッド402の各辺が長さ接線409A、409Cおよび幅接線409B、409Dに平行にならないように、ガーゼパッド402が本体部401に対して向きを定められている。ガーゼパッド402は、本体部401と同じ中心点を有してもよく、ならびに/またはガーゼパッド402の各角部は、長さ接線409A、409Cまたは幅接線409B、409Dのうちの1つの中点の方へ向けられてもよい。幅の狭い中央部403は、長さ接線409A、409Cの中点に対応するように位置することが好ましい。
【０１２７】
図41(a)〜図41(f)はそれぞれ、本発明による「ダイヤモンド形ガーゼ付き」包帯の別の例示的な実施形態410の創傷対向側底面図、分解創傷対向側底面図、非創傷対向側上面図、2つの側面図、および1つの斜視図である。「ダイヤモンド形ガーゼ付き」包帯410の本体部411は、幅の狭い中央部413と、丸い角部416A、416B、416C、416Dまで延びる際に直線状または実質的に直線状の側線415A、415B、415E、415Fによって幅が広くなる側部領域414A、414Bとを有する。丸い角部416A、416B、416C、416Dは、実質的に直線状の端部線415C、415D、415G、415H自体が変曲点417A、417Bの方へ延びる際に本体部411が先細りするかまたは長さが短くなるように向きを定められた直線状または実質的に直線状の端部線415C、415D、415G、415Hに遷移している。変曲点417A、417Bは、対応する丸い角部416A、416B、416C、416D同士の間の中点であることが好ましい。側線415A、415B、415E、415Fは、好ましくは、長さが等しく、同じく好ましくは長さが等しい端部線415H、415C、415D、415Gよりもそれぞれ長い。「ダイヤモンド形ガーゼ付き」包帯410は、「ちょうネクタイ」形または「砂時計」形の本体部を有する。ガーゼパッド412の各辺が長さ接線419A、419Cおよび幅接線419B、419Dに平行にならないように、ガーゼパッド412が本体部411に対して向きを定められている。ガーゼパッド412は、本体部411と同じ中心点を有してもよく、ならびに/またはガーゼパッド412の各角部は、長さ接線419A、419Cまたは幅接線419B、419Dのうちの1つの中点の方へ向けられてもよい。幅の狭い中央部413は、長さ接線419A、419Cの中点に対応するように位置することが好ましい。
【０１２８】
図42(a)〜図42(e)はそれぞれ、本発明による「ダイヤモンド形ガーゼ付き」包帯の別の例示的な実施形態420の創傷対向側底面図、非創傷対向側上面図、2つの側面図、および1つの斜視図である。「ダイヤモンド形ガーゼ付き」包帯420の本体部421は、幅の狭い中央部423と、幅の狭い中央部423から長さに沿って移動する際に、最初は幅が広くなり、次いで、再び直線状または実質的に直線状に幅が狭くなって丸い端部に至る側部領域424および425とを有し、すなわち、幅が広くなる側部領域424および425の部分が、丸みを付けた角度によって幅が狭くなる側部領域424および425の部分に連結されている。本体部421は、「ちょうネクタイ」形または「砂時計」形を有する。ガーゼパッド422の各辺が長さ接線429A、429Cおよび幅接線429B、429Dに平行にならないように、ガーゼパッド422が本体部421に対して向きを定められている。ガーゼパッド422は、本体部421と同じ中心点を有してもよく、ならびに/またはガーゼパッド422の各角部は、長さ接線429A、429Cまたは幅接線429B、429Dのうちの1つの中点の方へ向けられてもよい。幅の狭い中央部423は、長さ接線429A、429Cの中点に対応するように位置することが好ましい。
【０１２９】
図43(a)〜図43(e)はそれぞれ、本発明による「ダイヤモンド形ガーゼ付き」包帯の別の例示的な実施形態430の創傷対向側底面図、非創傷対向側上面図、2つの側面図、および1つの斜視図である。「ダイヤモンド形ガーゼ付き」包帯430の本体部431は、幅の狭い中央部433と、幅の狭い中央部433から長さに沿って移動する際に、最初は幅が広くなり、次いで、再び直線状または実質的に直線状に幅が狭くなって丸い端部に至る側部領域434および435とを有し、すなわち、幅が広くなる側部領域434および435の部分が、丸みを付けた角度によって幅が狭くなる側部領域434および435の部分に連結されている。本体部431は、「ちょうネクタイ」形または「砂時計」形を有する。ガーゼパッド432の各辺が長さ接線439A、439Cおよび幅接線439B、439Dに平行にならないように、ガーゼパッド432が本体部431に対して向きを定められている。ガーゼパッド432は、本体部431と同じ中心点を有してもよく、ならびに/またはガーゼパッド432の各角部は、長さ接線439A、439Cまたは幅接線439B、439Dのうちの1つの中点の方へ向けられてもよい。幅の狭い中央部433は、長さ接線439A、439Cの中点に対応するように位置することが好ましい。
【０１３０】
図44(a)〜図44(e)はそれぞれ、本発明による「ダイヤモンド形ガーゼ付き」包帯の別の例示的な実施形態440の創傷対向側底面図、非創傷対向側上面図、2つの側面図、および1つの斜視図である。「ダイヤモンド形ガーゼ付き」包帯440の本体部441は、幅の狭い中央部443と、幅の狭い中央部443から長さに沿って移動する際に、最初は幅が広くなり、次いで、再び直線状または実質的に直線状に幅が狭くなり、第1の丸みを付けた角度によって連結された直線状または実質的に直線状の端部に至る側部領域444および445とを有し、すなわち、幅が広くなる側部領域444および445の部分が、第2の丸みを付けた角度によって、幅が狭くなる側部領域444および445の部分に連結されている。本体部441は、平らな端部を含む「ちょうネクタイ」形または「砂時計」形を有する。ガーゼパッド442の各辺が長さ接線449A、449Cおよび幅接線449B、449Dに平行にならないように、ガーゼパッド442が本体部441に対して向きを定められている。ガーゼパッド442は、本体部441と同じ中心点を有してもよく、ならびに/またはガーゼパッド442の各角部は、長さ接線449A、449Cまたは幅接線449B、449Dのうちの1つの中点の方へ向けられてもよい。幅の狭い中央部443は、長さ接線449A、449Cの中点に対応するように位置することが好ましい。
【０１３１】
図45(a)〜図45(e)はそれぞれ、本発明による「ダイヤモンド形ガーゼ付き」包帯の別の例示的な実施形態450の創傷対向側底面図、非創傷対向側上面図、2つの側面図、および1つの斜視図である。「ダイヤモンド形ガーゼ付き」包帯450は、平らな上縁部456Aと平らな下縁部456Bとを有し、したがって、幅が一様であるかまたは実質的に一様である中央部453を含む本体部451を有する。卵形側部領域455Aおよび455Bが、幅の狭い部分454Aおよび454Bを介して中央部453に連結されている。幅の狭い部分454Aおよび454Bは、中央部453に連結されたより幅の広い端部から卵形側部領域455Aおよび455Bに連結されたより幅の狭い端部まで直線状または実質的に直線状に幅が狭くなることが好ましい。ガーゼパッド452の各辺が長さ接線459A、459Cおよび幅接線459B、459Dに平行にならないように、ガーゼパッド452が本体部451に対して向きを定められている。ガーゼパッド452は、本体部451と同じ中心点を有してもよく、ならびに/またはガーゼパッド452の各角部は、長さ接線459A、459Cまたは幅接線459B、459Dのうちの1つの中点の方へ向けられてもよい。中央部453は、長さ接線459A、459Cの中点に対応するように位置することが好ましい。
【０１３２】
図46(a)〜図46(e)はそれぞれ、本発明による「ダイヤモンド形ガーゼ付き」包帯の別の例示的な実施形態460の創傷対向側底面図、非創傷対向側上面図、1つの側面図、および1つの斜視図である。「ダイヤモンド形ガーゼ付き」包帯460の本体部461は、幅の狭い中央部463と側部領域464A、464Bとを有する。側部領域464Aは、幅の狭い中央部463の互いに向かい合う辺から延びて変曲点466Aの所で接触する2つの円弧または楕円弧465A、465A'によって形成される縁部を有する。側部領域464Bは、幅の狭い中央部463の互いに向かい合う辺から延びて変曲点466Bの所で接触する2つの円弧または楕円弧465B、465B'によって形成される縁部を有する。ガーゼパッド462の各辺が長さ接線469A、469Cおよび幅接線469B、469Dに平行にならないように、ガーゼパッド462が本体部461に対して向きを定められている。ガーゼパッド462は、本体部461と同じ中心点を有してもよく、ならびに/またはガーゼパッド462の各角部は、長さ接線469A、469Cまたは幅接線469B、469Dのうちの1つの中点の方へ向けられてもよい。変曲点466A、466Bは、それぞれ幅接線469A、469Bの中点に対応することが好ましい。円弧または楕円弧465A、465A'、465B、465B'は、好ましくは同等または同様のサイズを有し、かつ好ましくは隣接する弧に対して90°に向けられる。幅の狭い中央部463は、長さ接線469A、469Cの中点に対応するように位置することが好ましい。
【０１３３】
図47(a)〜図47(e)はそれぞれ、本発明による「ダイヤモンド形ガーゼ付き」包帯の例示的な実施形態470の創傷対向側底面図、非創傷対向側上面図、2つの側面図、および1つの斜視図である。「ダイヤモンド形ガーゼ付き」包帯470は、上縁部476Aおよび下縁部476Bを有する中央部473と、卵形または球状側部領域475A、475Bとを含む本体部471を有する。「ダイヤモンド形ガーゼ付き」包帯470は、上縁部476Aと下縁部476Bとの間の距離によって形成される幅を有する。上縁部476Aおよび下縁部476Bが実質的に直線状であり、したがって、中央部473の幅が一様であるかまたは実質的に一様であってもよい。代替として、上縁部476Aおよび下縁部476Bが凹状縁部であり、中央部473の中央から卵形側部領域475A、475Bまで幅が広くなってもよい。卵形側部領域475A、475Bは、中央部473の最も広い幅よりも広い幅を有する。ガーゼパッド472の各辺が長さ接線479A、479Cおよび幅接線479B、479Dに平行にならないように、ガーゼパッド472が本体部471に対して向きを定められている。ガーゼパッド472は、本体部471と同じ中心点を有してもよく、ならびに/またはガーゼパッド472の各角部は、長さ接線479A、479Cまたは幅接線479B、479Dのうちの1つの中点の方へ向けられてもよい。中央部473は、長さ接線479A、479Cの中点に対応するように位置することが好ましい。
【０１３４】
図48(a)〜図48(e)はそれぞれ、本発明による「ダイヤモンド形ガーゼ付き」包帯の別の例示的な実施形態480の創傷対向側底面図、非創傷対向側上面図、2つの側面図、および1つの斜視図である。「ダイヤモンド形ガーゼ付き」包帯480の本体部481は、平らな上縁部486Aと平らな下縁部486Bとを有し、したがって、幅が一様であるかまたは実質的に一様である中央部483を有する。本体部481は、中央部483から長さに沿って移動する際に、直線状または実質的に直線状に幅が狭くなって丸い端部に至る側部領域484および485も有し、すなわち、中央部483は鋭い角部によって側部領域484および485に遷移している。ガーゼパッド482の各辺が長さ接線489A、489Cおよび幅接線489B、489Dに平行にならないように、ガーゼパッド482が本体部481に対して向きを定められている。ガーゼパッド482は、本体部481と同じ中心点を有してもよく、ならびに/またはガーゼパッド482の各角部は、長さ接線489A、489Cまたは幅接線489B、489Dのうちの1つの中点の方へ向けられてもよい。中央部483の中点は、長さ接線489A、489Cの中点に対応するように位置することが好ましい。
【０１３５】
図49(a)〜図49(f)はそれぞれ、本発明による「ダイヤモンド形ガーゼ付き」包帯の別の例示的な実施形態490の創傷対向側底面図、分解創傷対向側底面図、非創傷対向側上面図、2つの側面図、および1つの斜視図である。「ダイヤモンド形ガーゼ付き」包帯490の本体部491は、幅の狭い中央部493と、丸い角部496A、496B、496C、496Dまで延びる際に直線状もしくは実質的に直線状の側線またはわずかに湾曲した側線495A、495B、495E、495Fによって幅が広くなる側部領域494A、494Bとを有する。丸い角部496A、496B、496C、496Dは、端部線495C、495D、495G、495H自体が変曲点497A、497Bの方へ延びる際に本体部491が先細りするかまたは長さが短くなるように向きを定められた直線状もしくは実質的に直線状の側線またはわずかに湾曲した端部線495C、495D、495G、495Hに遷移している。変曲点497A、497Bは、対応する丸い角部496A、496B、496C、496D同士の間の中点であることが好ましい。側線495A、495B、495E、495Fは、それぞれ端部線495H、495C、495D、495Gと長さおよび形状が等しいことが好ましい。ガーゼパッド492の各辺が長さ接線499A、499Cおよび幅接線499B、499Dに平行にならないように、ガーゼパッド492が本体部491に対して向きを定められている。ガーゼパッド492は、本体部491と同じ中心点を有してもよく、ならびに/またはガーゼパッド492の各角部は、長さ接線499A、499Cまたは幅接線499B、499Dのうちの1つの中点の方へ向けられてもよい。幅の狭い中央部493は、長さ接線499A、499Cの中点に対応するように位置することが好ましい。
【０１３６】
図51(a)〜図51(f)はそれぞれ、本発明による「ダイヤモンド形ガーゼ付き」包帯の別の例示的な実施形態510の創傷対向側底面図、非創傷対向側上面図、3つの側面図、および1つの斜視図である。「ダイヤモンド形ガーゼ付き」包帯510の本体部511は、幅の狭い中央部513と、幅の狭い中央部513から幅が狭くなる部分516A、516Bまで直線状または実質的に直線状に延びる幅が広くなる部分515A、515Bを有する側部領域514A、514Bとを有する。幅が狭くなる部分516A、516Bは、丸い端部まで直線状または実質的に直線状に延びている。幅が広くなる部分515A、515Bは、幅が狭くなる部分516A、516Bに丸みを付けた角度によって連結されている。本体部511は、幅が狭くなる部分516Aよりも長い幅が狭くなる部分516Bを含む「ちょうネクタイ」形または「砂時計」形を有する。ガーゼパッド512の各辺が長さ接線519A、519Cおよび幅接線519B、519Dに平行にならないように、ガーゼパッド512が本体部511に対して向きを定められている。幅接線519B、519Dの方へ向けられるガーゼパッド512の角部は、幅接線519B、519Dの中点の方へ向けられてもよい。長さ接線519A、519Cの方へ向けられるガーゼパッド512の角部は、幅が広くなる部分515A、515Bを幅が狭くなる部分516A、516Bに接続する丸みを付けた角度の間の中点の方へ向けられてもよい。側部領域514A、514B同士の長さが非対称的であるので、幅の狭い中央部513の中点は、長さ接線519A、519Cの中点に対応しない。
【０１３７】
図52(a)〜図52(f)はそれぞれ、本発明による「ダイヤモンド形ガーゼ付き」包帯の別の例示的な実施形態520の創傷対向側底面図、非創傷対向側上面図、3つの側面図、および1つの斜視図である。「ダイヤモンド形ガーゼ付き」包帯520の本体部521は、図51の本体部511の構成に類似している。「ダイヤモンド形ガーゼ付き」包帯520の本体部521は、幅の狭い中央部523と、幅の狭い中央部523から幅が狭くなる部分526A、526Bまで直線状または実質的に直線状に延びる幅が広くなる部分525A、525Bを有する側部領域524A、524Bとを有する。幅が狭くなる部分526A、526Bは、丸い端部まで直線状または実質的に直線状に延びている。幅が広くなる部分525A、525Bは、幅が狭くなる部分526A、526Bに丸みを付けた角度によって連結されている。本体部521は、幅が狭くなる部分526Aよりも長い幅が狭くなる部分526Bを含む「ちょうネクタイ」形または「砂時計」形を有する。ガーゼパッド522の各辺が長さ接線529A、529Cおよび幅接線529B、529Dに平行にならないように、ガーゼパッド522が本体部521に対して向きを定められている。幅接線529B、529Dの方へ向けられるガーゼパッド522の角部は、幅接線529B、529Dの中点の方へ向けられてもよい。側部領域524A、524B同士の長さが非対称的であるので、幅の狭い中央部523の中点は、長さ接線529A、529Cの中点に対応しない。しかし、長さ接線529A、529Cの方へ向けられるガーゼパッド522の角部は、幅が広くなる部分525A、525Bを幅が狭くなる部分526A、526Bに連結する丸みを付けた角度の間の中点の方へ向けられてもよい。各辺が等しい包帯510用のガーゼパッドの形状とは異なり、包帯520用のガーゼパッド522は「凧形」を有する。「凧形」は、側部領域524Bに対応するガーゼパッド522の辺または側部領域524B内に延びるガーゼパッド522の辺を、幅が狭くなる部分526Aの長さに対して幅が狭くなる部分526Bの長さを長くしたことに応じて長さが長くなるように「伸ばす」ように構成することによって形成されてもよい。さらに、凧形ガーゼパッドおよび/または単一の側部領域の長さの増大を上述の「ダイヤモンド形ガーゼ付き」包帯の他の例示的な実施形態のような任意の「ダイヤモンド形ガーゼ付き」包帯に適用してもよい。
【０１３８】
本発明によれば、包帯の「ダイヤモンド形ガーゼ付き」構成の代替構成として後述の「三角形ガーゼ付き」包帯がある。「三角形ガーゼ付き」構成は、「ダイヤモンド形ガーゼ付き」構成と同様の利点をもたらし、特に、最大面積のガーゼによって創傷領域に優れた付着性および快適さをもたらす。「三角形ガーゼ付き」構成は、より小さい創傷に包帯を巻くうえで特に有用である。
【０１３９】
図22(a)〜図22(g)はそれぞれ、本発明による「三角形ガーゼ付き」包帯220の例示的な実施形態の創傷対向側底面図、非創傷対向側上面図、4つの側面図、および1つの斜視図である。「三角形ガーゼ付き」包帯220は、当技術分野において包帯に使用することが知られている、任意の適切な材料、好ましくは伸縮自在で通気性を有する材料で作られた円形の本体部221を有する。ガーゼパッド222が本体部221の創傷対向側に取り付けられている。ガーゼパッド222は、三角形、好ましくは正三角形であるが、代替として、二等辺三角形、直角三角形、または他の三角形として構成されてもよく、丸い角部を有してもあるいは平らな角部を有してもよい。さらに、「ダイヤモンド形ガーゼ付き」包帯と同様に、角部を丸めてもよく、辺が直線である必要はなく、たとえば凹状曲線もしくは凸状曲線または波線であってもよい。ガーゼパッド222が本体部221と同じ中心点を有するように位置し、ガーゼパッド222の各角部が本体部221の縁部まで延びてもよい。代替として、ガーゼパッド222は、ガーゼパッド222の各角部が本体部221の縁部に達しないようなサイズを有してもよい。ガーゼパッド222は、本体部221の創傷対向側の「非ガーゼ部」上、すなわち、ガーゼパッド222によって覆われない本体部221の創傷対向側に、3つの等しい象限を実質的に形成するようなサイズおよび位置を有してもよい。「三角形ガーゼ付き」包帯220の本体部221の下部創傷対向側は、当技術分野で包帯に使用されるような接着剤を有してもよい。接着剤は、「三角形ガーゼ付き」包帯220の本体部221の下部創傷対向側の全体に塗布されてもあるいは一部に塗布されてもよい。ガーゼパッド222は、「三角形ガーゼ付き」包帯220を患者に固定するのに使用されるのと同じ接着剤を介して「三角形ガーゼ付き」包帯220の本体部221に固定されてもよくあるいはそのように固定されなくてもよい。
【０１４０】
図23(a)〜図23(g)はそれぞれ、本発明による「三角形ガーゼ付き」包帯の別の例示的な実施形態230の創傷対向側底面図、非創傷対向側上面図、4つの側面図、および1つの斜視図である。「三角形ガーゼ付き」包帯230は、好ましくは丸い角部を有する三角形の本体部231を有し、当技術分野において包帯に使用することが知られている、任意の適切な材料、好ましくは伸縮自在で通気性を有する材料で作られてもよい。ガーゼパッド232は、三角形、好ましくは正三角形であるが、代替として、二等辺三角形、直角三角形、または他の三角形として構成されてもよく、丸い角部を有してもあるいは平らな角部を有してもよい。ガーゼパッド232が本体部231と同じ中心点を有するように位置し、ガーゼパッド232の各角部が本体部231の縁部まで延びてもよい。代替として、ガーゼパッド232は、ガーゼパッド232の各角部が本体部231の縁部に達しないようなサイズを有してもよい。ガーゼパッド232は、本体部231の創傷対向側に、3つの等しい象限を実質的に形成するようなサイズおよび位置を有してもよい。「三角形ガーゼ付き」包帯230の本体部231の下部創傷対向側は、当技術分野で包帯に使用されるような接着剤を有してもよい。接着剤は、「三角形ガーゼ付き」包帯230の本体部231の下部創傷対向側の全体に塗布されてもあるいは一部に塗布されてもよい。ガーゼパッド232は、「三角形ガーゼ付き」包帯230を患者に固定するのに使用されるのと同じ接着剤を介して「三角形ガーゼ付き」包帯230の本体部231に固定されてもよくあるいはそのように固定されなくてもよい。
【０１４１】
図53(a)および図53(b)はそれぞれ、本発明による創傷ポータルを含む包帯530の例示的な実施形態の非創傷対向側上面図および線VIII-VIII'に沿った断面図である。包帯530は、開口533を含む本体部531を有する。開口533は、包帯が巻かれる創傷のサイズよりも大きいサイズを有することが好ましい。本体部531は、開口533を囲む棚部532を有することが好ましい。カバー534は、図53(b)にのみ示されているが、開口533を実質的に充填し、少なくとも一部が棚部532上に延びるようなサイズを有する。好ましくは、カバー534と棚部532を合わせた厚さは、カバー534の頂部が棚部532および開口533を囲む本体部531の部分と同一平面上に位置するかまたはその部分よりも低くなるように、概ね、棚部532のすぐ外側を囲む本体部531の厚さ以下であるべきである。カバー534は、当技術分野で知られているように包帯に適しており棚部532またはカバー534のいずれかに塗布される接着剤を介して所定の位置に保持されてもよい。接着剤は、post-it付箋に使用されるよう再使用可能な感圧接着剤であってもよい。代替として、カバー534は、Velcro(登録商標)型固着システムのような他の何らかの固着システムによって所定の位置に保持されてもよい。
【０１４２】
ガーゼパッド535を創傷を覆うように開口533内に配置してもよい。ガーゼパッド535は、post-it付箋に使用されているような再使用可能な感圧接着剤、またはVelcro(登録商標)型固着システムのような他の何らかの固着システム、または取外しがより困難な形態の固着によってカバー534に取り付けられてもよい。代替として、ガーゼパッド535は、カバー534に取り付けられなくてもよく、その代わりに、接着剤を使用せずにカバー534および/または開口533の各辺によって所定の位置に保持されてもよい。
【０１４３】
図53(c)に示すような創傷ポータルの別の代替構成において、包帯530Cは、上部層531Cと下部層531Dとで構成された本体部を有する。上部層531Cおよび下部層531Dは、互いに固定されており、下部層531Dが開口533Cの周りに棚部532Cを形成するようなサイズを有する。図53(b)に示す断面図と同様に、カバー534Cは、開口533Cを実質的に覆うようなサイズを有し、好ましくは少なくとも一部が棚部532C上に延びている。図53(b)の断面図と同様に、開口533C内に位置するガーゼパッド535Cをカバー534Cに取り付けてもよい。代替として、ガーゼパッド535Cを、カバー534Cに取り付けなくてもよく、その代わり、接着剤を使用せずにカバー534Cおよび/または開口533Cの各辺によって所定の位置に保持してもよい。
【０１４４】
図53(d)に示すような創傷ポータルのさらなる代替構成において、図53(c)に示す包帯530Cの構成と同様に、包帯530Dは、上部層531Eと下部層531Fとを備える本体部を有する。上部層531Eおよび下部層531Fは、互いに固定されており、下部層531Fが開口533Dの周りに棚部532Dを形成するようなサイズを有する。カバー534Dは、開口533Dを実質的に覆うようなサイズを有し、好ましくは少なくとも一部が棚部532D上に延びている。ガーゼポート536は、下部層531Fに取り付けられた別個の材料片であっても、あるいは下部層531Fの一体的な突起であってもよい。ガーゼポート536は、上部非創傷対向側および/または下部創傷対向側のいずれかに、ガーゼパッド535Dを取り付けるかまたは着脱可能に取り付けることのできる領域を有する。ガーゼポート536の上部非創傷対向側は、図53(d)において、カバー534Dと向かい合い、ガーゼパッド535Dが取り付けられる側である。ガーゼポート536の下部創傷対向側は反対側である。ガーゼポート536は、伸縮不能な材料で構成されてもよく、フックVelcro(登録商標)型固着面またはループVelcro(登録商標)型固着面のいずれかを有することによってガーゼの取外しおよび取付けを繰り返すのを可能にするように構成された表面あるいはPost-it(登録商標)付箋に使用されているような再接着可能な接着剤との良好な結合を実現する表面を有してもよい。代替として、ガーゼパッド535Dを永久的に取り付けるのを可能にする接着剤でガーゼポート536の表面を構成してもよい。ガーゼポート536を使用して、様々なサイズのガーゼパッド535Dを取り付けるとともに、この実施形態に示されている包帯530Dのガーゼパッド535Dを定期的に交換してもよい。ガーゼポート536は、ガーゼパッド535Dの全体に取り付けられるか、ガーゼパッド535Dの大部分に取り付けられるか、またはガーゼパッド535Dの1つの辺のような狭い部分に取り付けられるようなサイズおよび/または構成を有してもよい。
【０１４５】
図53(e)および図53(f)に示すような創傷ポータルのさらなる代替構成において、図53(c)に示す包帯530Cの構成と同様に、包帯530Eは、上部層531Gと下部層531Hとを備える本体部を有する。上部層531Gおよび下部層531Hは、互いに固定されている。下部層531Hに開口535Eが形成されており、上部層531Gは、下部層531Hの開口533Eを覆うフラップ534Eを有する。フラップ534Eは、少なくとも一部が開口533Eの周りに形成された棚部532E上に少なくとも一部が延びることが好ましい。フラップ534Eは、開口533Eにガーゼパッド535Eを配置するのを可能にするようなサイズを有する。図53(e)には、フラップ534Eが、ガーゼパッド535Eに手が届くような開放位置で示されており、図53(f)には、フラップ534Eが閉鎖位置で示されている。ガーゼポート536Bは、下部層531Hに取り付けられた別個の材料片であっても、あるいは下部層531Hの一体的な突起であってもよい。ガーゼポート536Bは、上部非創傷対向側および/または下部創傷対向側のいずれかに、ガーゼパッド535Eを取り付けるかまたは着脱可能に取り付けることのできる領域を有する。ガーゼポート536Bの上部非創傷対向側は、図53(e)および図53(f)において、カバー534Eと向かい合い、ガーゼパッド535Eが取り付けられる側である。ガーゼポート536Bの下部創傷対向側は反対側である。ガーゼポート536Bは、伸縮不能な材料で構成されてもよく、フックVelcro(登録商標)型固着面またはループVelcro(登録商標)型固着面のいずれかを有することによってガーゼの取外しおよび取付けを繰り返すのを可能にするように構成された表面あるいはPost-it(登録商標)付箋に使用されているような再接着可能な接着剤との良好な結合を実現する表面を有してもよい。代替として、ガーゼパッド535Eを永久的に取り付けるのを可能にする接着剤でガーゼポート536Bの表面を構成してもよい。ガーゼポート536Bを使用して、様々なサイズのガーゼパッド535Eを取り付けるとともに、この実施形態に示されている包帯530Eのガーゼパッド535Eを定期的に交換してもよい。ガーゼポート536Bは、ガーゼパッド535Eの全体に取り付けられるか、ガーゼパッド535Eの大部分に取り付けられるか、またはガーゼパッド535Eの1つの辺のような狭い部分に取り付けられるようなサイズおよび/または構成を有してもよい。代替として、ガーゼパッド535Eをガーゼポート536Bに取り付ける代わりに、ガーゼパッド535Eを取り付けずにカバー534Eによって所定の位置に保持するか、またはガーゼポート536Bをカバー534Eに取り付けてもよい。
【０１４６】
図54(a)および図54(b)はそれぞれ、本発明による創傷ポータルを有する包帯の別の例示的な実施形態540の、非創傷対向側上面図および線IX-IX'に沿った断面側面図である。包帯540は、開口543を含む本体部541を有する。開口543は、包帯が巻かれる創傷のサイズよりも大きいサイズを有することが好ましい。シリコーンゴムなどの材料で作られてもよい、可撓性を有するが伸縮不能であるかまたは実質的に伸縮不能なリム542が、開口543の周囲において本体部541に取り付けられている。リム542は、図54(b)に示すように本体部541の非創傷対向側に固定されても、あるいは開口543を囲んで開口543の壁(図示せず)を形成する本体部541の縁部上に固定されてもよい。リム542は、カバー544を着脱可能に取り付けるのを可能にするようなサイズおよび構成を有する。カバー544は、図54(b)にのみ示されているが、少なくとも一部がリム542上に延びて開口543を閉鎖するサイズを有する。ガーゼパッド545がカバー544の下部創傷対向側に永久的にまたは着脱可能に取り付けられてもよい。代替として、ガーゼパッド545を、カバー544に取り付けなくてもよく、その代わり、接着剤を使用せずにカバー544および/または開口543の各辺によって所定の位置に保持してもよい。カバー544は、当技術分野で知られているように包帯に適しており、リム542またはカバー544のいずれかに塗布される接着剤を介して所定の位置に保持されてもよい。接着剤は、Post-it(登録商標)付箋に使用されるような再使用可能な感圧接着剤であってもよい。代替として、カバー544をVelcro(登録商標)型固着システムのような他の何らかの固着システムによって所定の位置に保持してもよい。
【０１４７】
図55(a)および図55(b)はそれぞれ、本発明による創傷ポータルを有する包帯の別の例示的な実施形態550の、非創傷対向側上面図および線X-X'に沿った断面側面図である。包帯550は、開口553を含む本体部551を有する。開口553は、包帯が巻かれる創傷のサイズよりも大きいサイズを有することが好ましい。本体部551は、下部の開口553の周りにくぼみ556を有する。くぼみ556は、包帯550の非創傷対向側上面図では見えないが、破線によって示されている。カバー554は、図55(b)にのみ示されており、本体部551の上部非創傷対向側に固定されている。図55(b)に示すように、開口553内に位置するガーゼ555は、カバー554に取り付けられておらず、その代わりくぼみ556の上方の開口553の周りに形成された本体部551の上部からの突起によって所定の位置に保持されている。しかし、創傷ポータルを有する包帯の前述の実施形態と同様に、ガーゼ545によって説明した方法と同様な何らかの方法でガーゼ555を取り付けてもよい。
【０１４８】
図56(a)および図56(b)はそれぞれ、本発明による「ダイヤモンド形ガーゼ付き」構成を有する創傷ポータルを含む包帯560の例示的な実施形態の非創傷対向側上面図および線XI-XI'に沿った断面側面図である。包帯560が、包帯140の「ダイヤモンド形ガーゼ付き」構成と同等であり、包帯530の創傷ポータル構成を有する「ダイヤモンド形ガーゼ付き」構成を備えることに留意されたい。しかし、代替として、包帯530C、530D、530Eにおける創傷ポータル構成のような他の創傷ポータル構成を包帯560において使用してもよい。さらに、すべての「ダイヤモンド形ガーゼ付き」包帯構成および「三角形ガーゼ付き」包帯構成が、包帯530、530C、530D、および530Eに示されている構成のような構成を有する創傷ポータルを備えてもよい。
【０１４９】
包帯560は、方形の開口563を含む本体部561を有する。代替として、開口563はダイヤモンド形または菱形に構成されてもよい。開口563の各角部は、開口563の各辺が本体部561の各辺に平行にならないように本体部561の角部からずらされている。開口563は、本体部561と同じ中心点を有してもよく、ならびに/または開口563の各角部は、本体部561の辺のうちの1つの中点の方へ向けられてもよい。本体部561の下部創傷対向側は、当技術分野において包帯に使用されているような接着剤を有してもよい。開口563は、包帯が巻かれる創傷のサイズよりも大きいサイズを有することが好ましい。本体部561は、開口563を囲む棚部562を有することが好ましい。
【０１５０】
カバー564は、図56(b)にのみ示されているが、開口563を実質的に充填し、少なくとも一部が棚部562上に延びるようなサイズを有する。好ましくは、カバー564と棚部562を合わせた厚さは、カバー564の頂部が棚部562および開口563を囲む本体部561の部分と同一平面上に位置するかまたはその部分よりも低くなるように、概ね、棚部562のすぐ外側を囲む本体部561の厚さ以下であるべきである。カバー564は、当技術分野で知られているように包帯に適しており棚部562またはカバー564のいずれかに塗布される接着剤を介して所定の位置に保持されてもよい。接着剤は、Post-it(登録商標)付箋に使用されるよう再使用可能な感圧接着剤であってもよい。代替として、カバー564は、Velcro(登録商標)型固着システムのような他の何らかの固着システムによって所定の位置に保持されてもよい。
【０１５１】
ガーゼパッド565を創傷を覆うように開口563内に配置してもよい。ガーゼパッド565は、Post-it(登録商標)付箋に使用されているような再使用可能な感圧接着剤またはVelcro(登録商標)型固着システムのような他の何らかの固着システムまたはより取外しが困難な形態の固着によってカバー564に取り付けられてもよい。代替として、ガーゼパッド565を、カバー564に取り付けなくてもよく、その代わりに、接着剤を使用せずにカバー564および/または開口563の各辺によって所定の位置に保持してもよい。
【０１５２】
図57は、本発明による包帯の例示的な実施形態570の非創傷対向側上面図である。包帯570は、包帯270の創傷ポータル構成を創傷/包帯プロテクタ60に組み込んでいる。言い換えれば、包帯570は、創傷/包帯プロテクタ60と同様に構成された、ラップとして構成された本体部571、第1の捕捉固着面572、および2つの固着ストラップ573を有し、包帯570と同様に構成された開口574、棚部575、カバー(図示せず)およびガーゼパッド(図示せず)を有する。図53〜図56に示す包帯の例示的な実施形態に示されているような上述の創傷ポータル包帯構成のすべての例示的な実施形態を、図2〜図11、図61、図65、および図66に示す例示的な創傷/包帯プロテクタのいずれかに組み込んでもよく、ならびに/または図12〜図13、図26〜図52、および図64に示す例示的な「ダイヤモンド形ガーゼ付き」包帯および「三角形ガーゼ付き」包帯のいずれかと合体してもよい。さらに、図2〜図11、図61、図65、および図66に示す例示的な創傷/包帯プロテクタのいずれかを、創傷ポータル構成なしで、図12〜図23、図26〜図52に示す「ダイヤモンド形ガーゼ付き」包帯および「三角形ガーゼ付き」包帯のいずれかと組み合わせてもよい。たとえば、図64(a)〜図64(b)はそれぞれ、本発明による創傷/包帯プロテクタ60の例示的な代替構成の創傷対向側底面図および側面図を示す。この構成では、ガーゼパッド69の代わりに、ガーゼパッド649が「ダイヤモンド形ガーゼ付き」構成の本体部61の創傷対向側に取り付けられるかまたは着脱可能に取り付けられている。さらに、ガーゼポート62Aの代わりに、ガーゼポート642Aをガーゼパッド649の周囲の一部に合わせて(図示のように)「v」字形に構成してもよく、あるいはガーゼポート642Aがガーゼパッド649の全体または一部を取り付けるのを可能にする他の任意の構成を有してもよい。
【０１５３】
図58(a)および図58(b)はそれぞれ、本発明による摩擦ガーゼパッド580の例示的な実施形態の上面図および線XII-XII'に沿った側面断面図である。摩擦ガーゼパッド580は、パッド部581とフレーム582とを有する。パッド部581は、上述の摩擦ガーゼパッドと同様の材料で構成されてもよい。フレーム582は、パッド部581の縁部に取り付けられ、この縁部から延びている。フレーム582は、自着性材料またはゴム引き材料もしくは粘着性材料で構成されてもよく、上記の図6(a)におけるストリップ62と同様の構成を有してもよい。ガーゼポート、あるいは摩擦ガーゼパッド580のフレーム582と包帯との間の摩擦抵抗もしくは同様の抵抗および/または摩擦ガーゼパッド580と創傷を囲む領域との間の摩擦抵抗もしくは同様の抵抗をもたらすことによってガーゼを所定の位置に固定する同様の方法の代わりに摩擦ガーゼパッド580を使用してもよい。したがって、たとえば、創傷/包帯プロテクタ60では、ガーゼポート62Aを設ける代わりに摩擦ガーゼパッド580を使用してもよい。さらに、創傷/包帯プロテクタ60は、創傷/包帯プロテクタ60と摩擦ガーゼパッド580との間の摩擦抵抗または同様の抵抗をさらに強化するように本体部61の創傷対向側に対応する自着性材料またはゴム引き材料もしくは粘着性表面を含むようにさらに構成されてもよい。当業者には、この摩擦ガーゼパッド580を上述のすべての包帯ならびに当技術分野で周知内の他の包帯に適用してもよいことが理解されよう。
【０１５４】
図59(a)〜図59(e)は、本発明による摩擦ガーゼパッドの例示的な代替実施形態を示す。図59(a)は、パッド部591およびフレーム592を含むガーゼパッド590の上面図および/または底面図であり得る。パッド部591は、上述の摩擦ガーゼパッド290の材料と同様の材料で構成されてもよい。フレーム592は、パッド部591の上面および/または下面に固定されてもよい。代替として、フレーム592はパッド部591の縁部に固定されこの縁部から延びてもよい。フレーム592は、自着性材料またはゴム引き材料もしくは粘着性材料で構成されてもよい。図59(b)は、フレーム592と同じ構成を有し、フレーム592Bが摩擦ガーゼパッド590Bのパッド部591Bの上面に取り付けられた摩擦ガーゼパッドの別の代替実施形態590Bの側面断面図である。図59(c)は、フレーム592と同じ構成を有し、フレーム592Cが摩擦ガーゼパッド590Cのパッド部591Cの下面に取り付けられた摩擦ガーゼパッドの別の代替実施形態590Cの側面断面図である。図59(d)は、フレーム592と同じ構成を有し、フレーム592Dが摩擦ガーゼパッド590Dのパッド部591Dの上面と下面の両方に取り付けられた摩擦ガーゼパッドの別の代替実施形態590Dの側面断面図である。図59(e)は、フレーム592Eがパッド部591Eの上面全体を覆うように延ばされた摩擦ガーゼパッド別の代替実施形態590Eの側面断面図である。この実施形態は、フレーム592Cがパッド部591Cの下部に取り付けられた摩擦ガーゼパッド590Cと組み合わされてもよい。
【０１５５】
図61(a)〜図61(c)はそれぞれ、本発明による創傷/包帯プロテクタ610の例示的な実施形態の非創傷対向側上面図、創傷対向側底面図、および線XIV-XIV'に沿った断面側面図である。創傷/包帯プロテクタ610の例示的な実施形態は、ラップとして構成され、包帯ミトン/靴下20、30の本体21、31に使用されるスーパーストレッチ材料と同様のスーパーストレッチ材料で構成することのできる本体部611を有する。本体部611は、創傷/包帯プロテクタ610の下部創傷対向側と創傷/包帯プロテクタ610の上部非創傷対向側の両方でVelcro(登録商標)型ファスナのループ部として働くように構成されている。本体部611は、第1の端部611Aから第2の端部611Bまで延びており、本体部611の長さに沿って第1の端部611Aから中央領域615まで延びる第1の端部領域613Aを有し、中央領域は、本体部の長さに沿って第1の端部領域613Aから第2の端部領域613Bまで延びており、第2の端部領域は、本体部の長さに沿って中央領域615から第2の端部611Bまで延びている。本体部611の伸縮自在な材料は、本体部611の長さ、すなわち第1の端部611Aと第2の端部611Bとの間の距離を変化させるようにそのような伸縮能力を少なくとももたらす。代替として、本体部611の伸縮自在な材料は、本体部611の長さと本体部611の長さに垂直な本体部611の幅の両方を変化させるような伸縮能力をもたらしてもよい。
【０１５６】
ガーゼポート612が、本体部611の中央領域615上において第1の端部領域613Aに隣接もしくは近接して位置するか、またはそのような位置に組み込まれている。ガーゼポート612は、ガーゼパッド619の一部を本体部611の創傷対向側に取り付けるかまたは着脱可能に取り付けることのできる領域である。ガーゼポート612は、伸縮不能な材料で構成されてもよく、フックVelcro(登録商標)型固着面またはループVelcro(登録商標)型固着面のいずれかを有することによってガーゼの取外しおよび取付けを繰り返すのを可能にするように構成された表面あるいはPost-it(登録商標)付箋に使用されているような再接着可能な接着剤との良好な結合を実現する表面を、創傷/包帯プロテクタ610の少なくとも創傷対向側に有してもよい。代替として、創傷/包帯プロテクタ610の少なくとも創傷対向側のガーゼポート612の表面は、永久接着剤などによってガーゼパッド619を本体部に永久的に取り付けることができるように構成されてもよい。ガーゼポート612を使用して、様々なサイズのガーゼパッド619を取り付けるとともに、この実施形態に示されている創傷/包帯プロテクタ610のガーゼパッド619を定期的に交換してもよい。ガーゼポート612は、ガーゼパッド619の全体に取り付けられるか、ガーゼパッド619の大部分に取り付けられるか、またはガーゼパッド619の1つの辺のような狭い部分に取り付けられるようなサイズおよび/または構成を有してもよい。
【０１５７】
第1の端部領域613Aは、第1の端部611Aに向かって長さ方向に延びるにつれて本体部611の幅が徐々に小さくなるようにテーパが施されている。必ずしも第1の端部領域613A全体とは限らないが、第1の端部領域613A上に、創傷/包帯プロテクタ610の上部非創傷対向側またはその一部上で本体部611に係合させて固定することのできる固着部614が位置している。固着部614は、創傷/包帯プロテクタ610の下部創傷対向側に設けられたVelcro(登録商標)フック型材料で作られてもよい。固着部614は第1の端部611Aまで延びることが好ましい。
【０１５８】
第2の端部領域613Bは、第2の端部611Bに向かって長さ方向に延びるにつれて本体部611の幅が徐々に小さくなるようにテーパが施されている。第2の端部領域613Bの創傷対向側に、創傷/包帯プロテクタ610と皮膚、毛髪、または毛皮のような、創傷/包帯プロテクタ610が取り付けられる表面との間の運動に抵抗する摩擦部616が位置している。摩擦部616は、ゴム引き材料の糸が露出されるように適度な摩擦織り合わせを摩擦部616自体にもたらすゴム引き材料で作られた1本または複数の糸を有してもよい。代替として、摩擦部616は摩擦面を形成する材料またはコーティングで作られてもよい。好ましくは、摩擦部616の摩擦面によって実現される摩擦の程度は、創傷/包帯プロテクタ610が摩耗したときに不快感を生じさせない程度であるべきである。代替として、摩擦部616は、例示的な創傷/包帯プロテクタならびに本明細書で説明する創傷/包帯プロテクタの他の例示的な実施形態におけるストリップと同様に、ガーゼポート612と第1の端部領域613Aとの間に位置してもよい。代替として、摩擦部616は、ガーゼパッド619、ガーゼポート612、または固着部614に影響しない、創傷/包帯プロテクタ610の創傷対向側の別の部分に設けてもよい。同様に、本明細書で説明する創傷/包帯プロテクタの他の例示的な実施形態は、創傷/包帯プロテクタ610の摩擦部と同様または同等に位置決めされる摩擦部を有してもよい。さらに、創傷/包帯プロテクタ610の摩擦部616は、創傷/包帯プロテクタ610の上部非創傷対向側および/または創傷/包帯プロテクタ610の下部創傷対向側に沿って設けられてもよい。
【０１５９】
第2の端部領域613B上に、創傷/包帯プロテクタ610の非創傷対向側の第1の捕捉固着面613が位置している。第1の捕捉固着面613は第2の端部611Bまで延びることが好ましい。第1の捕捉固着面613は、Velcro(登録商標)フック型材料で作られてもよく、それによって、創傷/包帯プロテクタ610を固定するときに第1の捕捉固着面613を本体部611の創傷対向側の一部にしっかりと固着することができる。したがって、第1の捕捉固着面613は、本明細書に開示する創傷/包帯プロテクタの例示的な実施形態すべてと同様に、初めに創傷/包帯プロテクタ610を肢の周囲に固定し、次いで、固着部614を本体部611の非創傷対向側の一部に固着させることによって、創傷/包帯プロテクタ610をさらに引き締めることおよび/または固定させることを可能にする。
【０１６０】
図65(a)〜図65(c)は、創傷/包帯プロテクタ610の代替構成である創傷/包帯プロテクタ650の、非創傷対向側上面図、創傷対向側底面図、および線XVII-XVII'に沿った断面側面図である。この代替構成では、すべての部材および構造上の制限が同じである。ただし、摩擦部326は、ガーゼポート322と第1の端部321Aとの間、好ましくは第1の端部領域323A内において創傷/包帯プロテクタ650の下部創傷対向側に位置し、第1の捕捉固着面313が、創傷/包帯プロテクタ610の非創傷対向側の第1の端部領域323A内に位置しており、一方、固着部324は、創傷/包帯プロテクタ610の創傷対向側の第2の端部領域323B内に位置している。さらに、摩擦部326の一部はガーゼポート322の必要な機能性を提供してもよい。
【０１６１】
図62(a)〜図62(c)はそれぞれ、本発明による例示的な包帯ラッププロテクタ/ホルダ620の非創傷対向側上面図、創傷対向側底面図、および線XV-XV'に沿った断面側面図である。包帯ラッププロテクタ/ホルダ620の例示的な実施形態は、包帯ミトン/靴下20、30の本体21、31に使用されているスーパーストレッチ材料と同様のスーパーストレッチ材料で構成されることが好ましい本体部621を有する。包帯ラッププロテクタ/ホルダ620が主として包帯ホルダとして使用されるものである場合、本体部621のスーパーストレッチ材料は比較的大きい弾性係数を有する。包帯ラッププロテクタ/ホルダ620が主として包帯プロテクタとして使用されるものである場合、本体部621のスーパーストレッチ材料は比較的小さい弾性係数を有してもよい。例示的な実施形態において、本体部621は、包帯ラッププロテクタ/ホルダ620の下部創傷対向側と包帯ラッププロテクタ/ホルダ620の上部非創傷対向側の両方でVelcro(登録商標)型ファスナのループ部として働くように構成される。代替として、包帯ラッププロテクタ/ホルダ620は、包帯ラッププロテクタ/ホルダ620の上部非創傷対向側でのみVelcro(登録商標)型ファスナのループ部として働くように構成されても、あるいはVelcro(登録商標)型ファスナのループ部として働くように構成されなくてもよい。本体部621は、第1の端部621Aから第2の端部621Bまで延びる長さを有し、本体部621の長さに沿って第1の端部621Aから中央領域625まで延びる第1の端部領域623Aを有し、中央領域625は、本体部の長さに沿って第1の端部領域623Aから第2の端部領域623Bまで延びており、第2の端部領域は、本体部の長さに沿って中央領域625から第2の端部621Bまで延びている。本体部621の伸縮自在な材料は、本体部621の長さを変化させるようにそのような伸縮能力を少なくとももたらす。代替として、本体部621の伸縮自在な材料は、本体部621の長さと本体部621の長さに垂直な本体部621の幅の両方を変化させるような伸縮能力をもたらしてもよい。第1の端部領域623Aおよび第2の端部領域623Bが中央領域625から長さ方向に延びるにつれて本体部621の幅が徐々に小さくなるように第1の端部領域623Aと第2の端部領域623Bの両方にテーパを施すことが好ましい。包帯ラッププロテクタ/ホルダ620の創傷対向側において、第1の端部領域623Aと第2の端部領域623Bはどちらも、Velcro(登録商標)型ファスナのフック部として構成された固着部624A、624Bを有する。固着部624A、624Bはそれぞれ、第1の端部621Aおよび第2の端部621Bまで延びることが好ましい。
【０１６２】
例示的な包帯ラッププロテクタ/ホルダ620をいくつかの方法で使用することができる。第1に、包帯ラッププロテクタ/ホルダ620を包帯ホルダとして使用してもよい。たとえば、包帯材料ラップの非創傷/肢対向側でVelcro(登録商標)型ファスナのループ部として働くことのできる(通常のAce型包帯と同様の)包帯材料ラップが巻き付けられた創傷を有する肢を、包帯ラッププロテクタ/ホルダ620によって密閉しておいてもよい。(本明細書で説明するすべての例示的な実施形態に関して、他の種類のファスナを実施してもよく、したがって、包帯ラッププロテクタ/ホルダ620用にどんな種類のファスナが実施されようとも、包帯材料ラップでは補完的なファスナが実施される。)そのような場合、一方の固着部624A、624Bによって包帯ラッププロテクタ/ホルダ620を包帯材料ラップの非創傷/肢対向側に固定するかまたは包帯材料ラップの外側端部/露出端部の近くに固定してもよい。次いで、ラッププロテクタ/ホルダ620を包帯材料ラップの周囲に、肢に包帯材料ラップを巻いたときと同じ方向に回転させながら延ばし、次いで、他方の固着部624A、624Bを包帯材料ラップの別の外側部分/露出部に固定してもよい。代替として、ラッププロテクタ/ホルダ620を肢の円周全体の周囲に延ばしてもよく、次いで、他方の固着部624A、624Bをラッププロテクタ/ホルダ620の本体部621の非創傷対向側に固定してもよい。この場合、本体部621は、包帯材料ラップを完全に覆い保護するように包帯材料ラップの幅よりも大きい幅を有することが好ましい。この場合、ラッププロテクタ/ホルダ620の本体部621が通気性および水力抵抗を有する材料で構成されることも好ましい。
【０１６３】
代替として、ラッププロテクタ/ホルダ620は、一方の固着部624A、624Bを包帯材料ラップの内側端部/被覆端部上またはこの端部の近くで包帯材料ラップの創傷/肢対向側に固定することによって、包帯材料ラップ用の第1の捕捉ファスナ/ホルダとして使用されてもよい。次いで、包帯材料ラップを、まず長さ方向において本体部621から離れる方向に延ばし、他方の固着部624A、624Bを介してラッププロテクタ/ホルダ620に取り付けることによって、肢の円周に巻き付けてもよい。
【０１６４】
さらに、ラッププロテクタ/ホルダ620を1つまたは複数の固着ベースと一緒に使用して創傷/包帯を覆ってもよい。図63(a)〜図63(c)はそれぞれ、本発明による固着ベース630の例示的な実施形態の非創傷/肢対向側、創傷/肢対向側、および線XVI-XVI'に沿った断面側面図である。本体部631の非創傷/肢対向側において、固着ベース630の本体部631の全体または一部がVelcro(登録商標)型ファスナのループ部として働くように構成されている。本体部631の創傷/肢対向側において、固着ベース630の本体部631の全体または一部が皮膚、毛髪、毛皮などに付着させるための包帯の分野で周知の接着剤632を有する。固着ベース630を、たとえば付着させることによって肢に取り付け、接着剤632を介して肢上の創傷/包帯から離れた位置に位置させてもよい。次いで、ラッププロテクタ/ホルダ620の一方の固着部624A、624Bを固着ベース630の非創傷対向側に固着し、次いでラッププロテクタ/ホルダ620の本体部621を創傷の上方に延ばし、次いで、創傷の他方の側で他方の固着部624A、624Bを固着ベース630に固着することによって、ラッププロテクタ/ホルダ620を固着ベース630に結合してもよい。それによって、ラッププロテクタ/ホルダ620と固着ベース630は一緒に肢の円周全体を覆う。代替として、2つの固着ベースを、付着させることによって肢に取り付け、固着ベースの創傷/肢対向側で接着剤を介して創傷/包帯の両側に位置させて、一方の固着部624A、624Bが一方の固着ベースに取り付けられ、他方の固着部624A、624Bが第2の固着ベースに取り付けられ、ラッププロテクタ/ホルダ620の本体部621が、肢の円周全体を覆う必要なしに創傷/包帯の上方を延びるように、プロテクタ/ホルダ620を肢に固着するのを可能にしてもよい。
【０１６５】
本明細書で説明する本発明の実施形態は例示的なものであり、したがって、本発明の趣旨および範囲は、上述のものに制限されることはなく、また、本発明のあらゆる考えられる実施形態を表すものである。たとえば、Velcroに言及する場合、フック部はループ部であってもよく、ループ部はフック部であってもよく、あるいは再使用可能な接着ファスナもしくは磁気ファスナ、または自着性材料表面、スナップ、ボタンにうまく付着することのできる表面を有する再使用可能な接着剤のようなまったく異なる種類の固着システムであってもよい。さらに、再使用可能な接着剤に言及する場合、任意の他の形態の固着または剥離可能な固着であってもよく、永久的な固着が可能である場合、ヒートアンドパンチ、無線周波数シール、超音波シール、またはボンディングもしくはソーイングのような他の取付け方法を使用してもよい。ガーゼパッドが方形または矩形である必要はなく、特定の創傷を治療するのに十分な任意の形状であってもよい。創傷/包帯プロテクタは、第1の捕捉タブを有するように構成されてもあるいはそのように構成されなくてもよく、タブはファスナまたは固着面を有するように構成されてもあるいはそのように構成されなくてもよい。同様に、創傷/包帯プロテクタまたは靴下/ミトンまたは包帯または粘着包帯の例示的な一実施形態によって説明した構造上の制限を創傷/包帯プロテクタまたは靴下/ミトンまたは包帯または粘着包帯の例示的な他の実施形態に適用してもよい。
【符号の説明】
【０１６６】
1  スーパーストレッチチューブ
2  本体部
3  内面
4  ストリップ
5  シーム
6  開放端部
7  長さ
8  第2の開放端部
9  外側
20  創傷/包帯プロテクタ
20D  創傷/包帯プロテクタ
21  本体
21A  第1の端部
21B  第2の端部
21C  ストリップ
21D  本体
21DA  第1の端部
21DB  第2の端部
22  パネル
23  第1のストラップ部
23D  ストラップ
23A、33A  固着ストラップ
24  第1の取付け領域
24D  スリット
25  第2の取付け領域
27  第2のストラップ部
28  保護シース
28A、38A  本体
28B、38B  第1の端部
28C、38C  第2の端部
29  スリット
30  創傷/包帯プロテクタ
31  本体
31A  第1の端部
31B  第2の端部
32  パネル
33A  固着ストラップ
34  第1の取付け領域
35  第2の取付け領域
37  第2のストラップ部
38  保護シース
39  長穴
40  創傷/包帯プロテクタ
41  本体
41A  第1の端部
41B  第2の端部
43  第1のストラップ部
43A  固着ストラップ
47  第2のストラップ部
50  創傷/包帯プロテクタ
51A  第1の端部
51B  第2の端部
53  第1のストラップ部
53A  固着ストラップ
54  第1の取付け領域
56  フック部
57  第2のストラップ部
60  創傷/包帯プロテクタ
61  本体部
61A  第1の端部
61B  第2の端部
62A  ガーゼポート
62B、62C、62D  ストリップ
63A  端部領域
64  第1のストラップ部
64A  固着ストラップ
64B  間隔
65  取付け領域
65B、65C、65D  デッドゾーン
66  取付け領域
68  第2のストラップ部
69  ガーゼパッド
70  創傷/包帯プロテクタ
71  本体部
71A  第1の端部
71B  第2の端部
72  ストリップ
72A  ガーゼポート
73  第1の捕捉固着面
73A  端部領域
74  固着ストラップ
74A  固着ストラップ
75  タブ
77  端部
79  ガーゼパッド
80  創傷/包帯プロテクタ
81  本体部
81A  第1の端部
81B  第2の端部
82A  ガーゼポート
83  第1の捕捉固着面
83A  端部領域
84  固着部
85  タブ
88  端部領域
89  ガーゼパッド
90  創傷/包帯プロテクタ
91  本体部
91A  第1の端部
91B  第2の端部
92A  ガーゼパネル
93  第1の捕捉固着面
93A  端部領域
94  固着部
95  タブ
98  第2の端部領域
100  創傷/包帯プロテクタ
101  本体部
101A  第1の端部
101B  第2の端部
102A  ガーゼパネル
103  第1の捕捉固着面
103A  端部領域
104  第1のストラップ部
104A  固着ストラップ
105  タブ
108  第2のストラップ部
110  創傷/包帯プロテクタ
111  本体部
111A  第1の端部
111B  第2の端部
112A  ガーゼポート
113  第1の捕捉固着面
113A  端部領域
114  第1のストラップ部
114A  固着ストラップ
115  タブ
116  取付け領域
118  第2のストラップ部
120  「ダイヤモンド形ガーゼ付き」包帯
121  本体部
122  ガーゼパッド
123  縁部
124  辺
130  「ダイヤモンド形ガーゼ付き」包帯
131  本体部
132  ガーゼパッド
140  「ダイヤモンド形ガーゼ付き」包帯
141  本体部
142  ガーゼパッド
150  「ダイヤモンド形ガーゼ付き」包帯
151  本体部
152  ガーゼパッド
159A、159C  長さ接線
169B、169D  幅接線
160  「ダイヤモンド形ガーゼ付き」包帯
161  本体部
162  ガーゼパッド
169A、169C  長さ接線
169B、169D  幅接線
170  「ダイヤモンド形ガーゼ付き」包帯
171  本体部
172  ガーゼパッド
179A、179C  長さ接線
179B、179D  幅接線
180  「ダイヤモンド形ガーゼ付き」包帯
181  本体部
182  ガーゼパッド
190  「ダイヤモンド形ガーゼ付き」包帯
191  本体部
192  ガーゼパッド
193  ヘッド部
194  テール部
195  上縁部
196  下縁部
199A、199C  長さ接線
199B、199D  幅接線
200  「ダイヤモンド形ガーゼ付き」包帯
201  本体部
202  ガーゼパッド
209A、209C  長さ接線
209B、209D  幅接線
210  「ダイヤモンド形ガーゼ付き」包帯
211  本体部
212  ガーゼパッド
219A、219C  長さ接線
219B、219D  幅接線
220  「三角形ガーゼ付き」包帯
221  本体部
222  ガーゼパッド
230  「三角形ガーゼ付き」包帯
231  本体部
232  ガーゼパッド
240  「ダイヤモンド形ガーゼ付き」包帯
241  本体部
242  ガーゼパッド
249A、249C  長さ接線
249B、249D  幅接線
250A、250B、250C、250D、250E、250F、250G、250H、250I、250J、250K  ガーゼパッド構成
251K  切り取られた角部
251M  平行な線
251L  長さ
251N  円
251D  丸い角部
254  線
255、255'  ガーゼパッド
256、256'  半直線
257  好ましい向きの範囲
258、258'  角度
260  「ダイヤモンド形ガーゼ付き」包帯
261  本体部
262  ガーゼパッド
263  ヘッド部
264  テール部
270  「ダイヤモンド形ガーゼ付き」包帯
271  本体部
272  ガーゼパッド
273  卵形部分
274、275  球状側部
279A、279C  長さ接線
279B、279D  幅接線
280  「ダイヤモンド形ガーゼ付き」包帯
281  本体部
282  ガーゼパッド
283  幅の狭い中央部
284、285  側部領域
289A、289C  長さ接線
289B、289D  幅接線
290  「ダイヤモンド形ガーゼ付き」包帯
291  本体部
292  ガーゼパッド
293  中央部
294、295  脚部
299A、299C  長さ接線
299B、299D  幅接線
300  「ダイヤモンド形ガーゼ付き」包帯
301  本体部
302  ガーゼパッド
303  中央部
304、305  側部領域
306A  上縁部
306B  下縁部
309A、309C  長さ接線
309B、309D  幅接線
310  「ダイヤモンド形ガーゼ付き」包帯
311  本体部
312  ガーゼパッド
313  幅の狭い中央部
314、315  側部領域
319A、319C  長さ接線
319B、319D  幅接線
320  「ダイヤモンド形ガーゼ付き」包帯
321  本体部
322  ガーゼパッド
323  幅の狭い中央部
324、325  側部領域
329A、329C  長さ接線
329B、329D  幅接線
330  「ダイヤモンド形ガーゼ付き」包帯
331  本体部
332  ガーゼパッド
333  幅の狭い中央部
334、335  側部領域
339A、339C  長さ接線
339B、339D  幅接線
340  「ダイヤモンド形ガーゼ付き」包帯
341  本体部
342  ガーゼパッド
343  幅の狭い中央部
344、345  側部領域
349A、349C  長さ接線
349B、349D  幅接線
350  「ダイヤモンド形ガーゼ付き」包帯
351  本体部
352  ガーゼパッド
353  幅の狭い中央部
354、355  側部領域
359A、359C  長さ接線
359B、359D  幅接線
360  「ダイヤモンド形ガーゼ付き」包帯
361  本体部
362  ガーゼパッド
363  幅の狭い中央部
364、365  側部領域
369A、369C  長さ接線
369B、369D  幅接線
370  「ダイヤモンド形ガーゼ付き」包帯
371  本体部
372  ガーゼパッド
373  幅の狭い中央部
374、375  側部領域
379A、379C  長さ接線
379B、379D  幅接線
380  「ダイヤモンド形ガーゼ付き」包帯
381  本体部
382  ガーゼパッド
383  幅の狭い中央部
384、385  側部領域
389A、389C  長さ接線
389B、389D  幅接線
390  「ダイヤモンド形ガーゼ付き」包帯
391  本体部
392  ガーゼパッド
393  幅の狭い中央部
394、395  側部領域
399A、399C  長さ接線
399B、399D  幅接線
400  「ダイヤモンド形ガーゼ付き」包帯
401  本体部
402  ガーゼパッド
403  幅の狭い中央部
404、405  側部領域
409A、409C  長さ接線
409B、409D  幅接線
410  「ダイヤモンド形ガーゼ付き」包帯
411  本体部
412  ガーゼパッド
413  幅の狭い中央部
414A、414B  側部領域
415A、415B、415E、415F  側線
415C、415D、415G、415H  端部線
416A、416B、416C、416D  丸い角部
417A、417B  変曲点
419A、419C  長さ接線
419B、419D  幅接線
420  「ダイヤモンド形ガーゼ付き」包帯
421  本体部
422  ガーゼパッド
423  幅の狭い中央部
424、425  側部領域
429A、429C  長さ接線
429B、429D  幅接線
430  「ダイヤモンド形ガーゼ付き」包帯
431  本体部
432  ガーゼパッド
433  幅の狭い中央部
434、435  側部領域
439A、439C  長さ接線
439B、439D  幅接線
440  「ダイヤモンド形ガーゼ付き」包帯
441  本体部
442  ガーゼパッド
443  幅の狭い中央部
444、445  側部領域
449A、449C  長さ接線
449B、449D  幅接線
450  「ダイヤモンド形ガーゼ付き」包帯
451  本体部
452  ガーゼパッド
453  幅の狭い中央部
454A、454B  幅の狭い部分
455A、455B  側部領域
459A、459C  長さ接線
459B、459D  幅接線
460  「ダイヤモンド形ガーゼ付き」包帯
461  本体部
462  ガーゼパッド
463  幅の狭い中央部
464A、464B  側部領域
465A、465A'、465B、465B'  円弧または楕円弧
466B  変曲点
469A、469C  長さ接線
469B、469D  幅接線
470  「ダイヤモンド形ガーゼ付き」包帯
471  本体部
472  ガーゼパッド
473  中央部
475A、475B  側部領域
476A  上縁部
476B  下縁部
479A、479C  長さ接線
479B、479D  幅接線
480  「ダイヤモンド形ガーゼ付き」包帯
481  本体部
482  ガーゼパッド
483  中央部
484、485  側部領域
489A、489C  長さ接線
489B、489D  幅接線
490  「ダイヤモンド形ガーゼ付き」包帯
491  本体部
492  ガーゼパッド
493  幅の狭い中央部
494A、494B  側部領域
495A、495B、495E、495F  側線
496A、496B、496C、496D  丸い角部
497A、497B  変曲点
499A、499C  長さ接線
499B、499D  幅接線
500  「ダイヤモンド形ガーゼ付き」包帯
501  本体部
502  ガーゼパッド
510  「ダイヤモンド形ガーゼ付き」包帯
511  本体部
512  ガーゼパッド
513  幅の狭い中央部
514A、514B  側部領域
515A、515B  幅が広くなる部分
516A、516B  幅が狭くなる部分
517A、517B  変曲点
519A、519C  長さ接線
519B、519D  幅接線
520  「ダイヤモンド形ガーゼ付き」包帯
521  本体部
522  ガーゼパッド
523  幅の狭い中央部
524A、524B  側部領域
525A、525B  幅が広くなる部分
526A、526B  幅が狭くなる部分
529A、529C  長さ接線
529B、529D  幅接線
530  包帯
530C  包帯
531  本体部
531C  上縁部
531D  下縁部
531E  上部層
531F  下部層
531G  上部層
531H  下部層
532  棚部
532C  棚部
532D  棚部
532E  棚部
531G  上部層
521H  下部層
533  開口
533C  開口
534  カバー
534C  カバー
534D  カバー
534E  フラップ
534E  フラップ
535  ガーゼパッド
535D  ガーゼパッド
535E  ガーゼパッド
536  ガーゼポート
536B  ガーゼポート
540  包帯
541  本体部
542  リム
543  開口
544  カバー
545  ガーゼパッド
550  包帯
551  本体部
552  リム
553  開口
554  カバー
555  ガーゼパッド
556  くぼみ
560  包帯
561  本体部
562  棚部
563  開口
564  カバー
564C  カバー
565  ガーゼパッド
570  包帯
571  本体部
572  第1の捕捉固着面
573  固着ストラップ
574  開口
575  棚部
580  摩擦ガーゼパッド
581  パッド部
582  フレーム
590  摩擦ガーゼパッド
590B  摩擦ガーゼパッド
590C  摩擦ガーゼパッド
590D  摩擦ガーゼパッド
591  パッド部
591B  パッド部
591C  パッド部
591D  パッド部
592  フレーム
592B  フレーム
592C  フレーム
592D  フレーム
592E  フレーム
610  創傷/包帯プロテクタ
611  本体部
611A  第1の端部
611B  第2の端部
612  ガーゼポート
613A  第1の端部領域
613B  第2の端部領域
614  固着部
615  中央領域
616  摩擦部
619  ガーゼパッド
620  包帯ラッププロテクタ/ホルダ
621  本体部
621A  第1の端部
621B  第2の端部
623A  第1の端部領域
623B  第2の端部領域
624  固着部
624A、624B  固着部
625  中央領域
626  摩擦部
629  ガーゼパッド
630  固着ベース
631  本体部
632  接着剤
642A  ガーゼポート
649  ガーゼパッド
650  創傷/包帯プロテクタ
660  創傷/包帯プロテクタ
661  本体部
661A  第1の端部
661B  第2の端部
662  ガーゼポート
663  第1の捕捉固着面
664A  第1のストラップ
664B  第2のストラップ
665  タブ
666  第1の取付け領域
667  第2の取付け領域
668  ストリップ
669  ガーゼパッド
【図１（ａ）】
2013535238.tif 000003
【図１（ｂ）】
2013535238.tif 000004
【図２（ａ）】
2013535238.tif 000005
【図２（ｂ）】
2013535238.tif 000006
【図２（ｃ）】
2013535238.tif 000007
【図２（ｄ）】
2013535238.tif 000008
【図２（ｅ）】
2013535238.tif 000009
【図２（ｆ）】
2013535238.tif 000010
【図３（ａ）】
2013535238.tif 000011
【図３（ｂ）】
2013535238.tif 000012
【図４】
2013535238.tif 000013
【図５】
2013535238.tif 000014
【図６（ａ）】
2013535238.tif 000015
【図６（ｂ）】
2013535238.tif 000016
【図６（ｃ）】
2013535238.tif 000017
【図７（ａ）】
2013535238.tif 000018
【図７（ｂ）】
2013535238.tif 000019
【図７（ｃ）】
2013535238.tif 000020
【図８（ａ）】
2013535238.tif 000021
【図８（ｂ）】
2013535238.tif 000022
【図８（ｃ）】
2013535238.tif 000023
【図９（ａ）】
2013535238.tif 000024
【図９（ｂ）】
2013535238.tif 000025
【図９（ｃ）】
2013535238.tif 000026
【図１０（ａ）】
2013535238.tif 000027
【図１０（ｂ）】
2013535238.tif 000028
【図１０（ｃ）】
2013535238.tif 000029
【図１１（ａ）】
2013535238.tif 000030
【図１１（ｂ）】
2013535238.tif 000031
【図１１（ｃ）】
2013535238.tif 000032
【図１２（ａ）】
2013535238.tif 000033
【図１２（ｂ）】
2013535238.tif 000034
【図１２（ｃ）】
2013535238.tif 000035
【図１２（ｄ）】
2013535238.tif 000036
【図１２（ｅ）】
2013535238.tif 000037
【図１２（ｆ）】
2013535238.tif 000038
【図１３（ａ）】
2013535238.tif 000039
【図１３（ｂ）】
2013535238.tif 000040
【図１３（ｃ）】
2013535238.tif 000041
【図１３（ｄ）】
2013535238.tif 000042
【図１３（ｅ）】
2013535238.tif 000043
【図１３（ｆ）】
2013535238.tif 000044
【図１４（ａ）】
2013535238.tif 000045
【図１４（ｂ）】
2013535238.tif 000046
【図１４（ｃ）】
2013535238.tif 000047
【図１４（ｄ）】
2013535238.tif 000048
【図１４（ｅ）】
2013535238.tif 000049
【図１５（ａ）】
2013535238.tif 000050
【図１５（ｂ）】
2013535238.tif 000051
【図１５（ｃ）】
2013535238.tif 000052
【図１５（ｄ）】
2013535238.tif 000053
【図１５（ｅ）】
2013535238.tif 000054
【図１６（ａ）】
2013535238.tif 000055
【図１６（ｂ）】
2013535238.tif 000056
【図１６（ｃ）】
2013535238.tif 000057
【図１６（ｄ）】
2013535238.tif 000058
【図１６（ｅ）】
2013535238.tif 000059
【図１７（ａ）】
2013535238.tif 000060
【図１７（ｂ）】
2013535238.tif 000061
【図１７（ｃ）】
2013535238.tif 000062
【図１７（ｄ）】
2013535238.tif 000063
【図１７（ｅ）】
2013535238.tif 000064
【図１８（ａ）】
2013535238.tif 000065
【図１８（ｂ）】
2013535238.tif 000066
【図１８（ｃ）】
2013535238.tif 000067
【図１８（ｄ）】
2013535238.tif 000068
【図１８（ｅ）】
2013535238.tif 000069
【図１９（ａ）】
2013535238.tif 000070
【図１９（ｂ）】
2013535238.tif 000071
【図１９（ｃ）】
2013535238.tif 000072
【図１９（ｄ）】
2013535238.tif 000073
【図１９（ｅ）】
2013535238.tif 000074
【図１９（ｆ）】
2013535238.tif 000075
【図１９（ｇ）】
2013535238.tif 000076
【図２０（ａ）】
2013535238.tif 000077
【図２０（ｂ）】
2013535238.tif 000078
【図２０（ｃ）】
2013535238.tif 000079
【図２０（ｄ）】
2013535238.tif 000080
【図２０（ｅ）】
2013535238.tif 000081
【図２０（ｆ）】
2013535238.tif 000082
【図２０（ｇ）】
2013535238.tif 000083
【図２１（ａ）】
2013535238.tif 000084
【図２１（ｂ）】
2013535238.tif 000085
【図２１（ｃ）】
2013535238.tif 000086
【図２１（ｄ）】
2013535238.tif 000087
【図２１（ｅ）】
2013535238.tif 000088
【図２２（ａ）】
2013535238.tif 000089
【図２２（ｂ）】
2013535238.tif 000090
【図２２（ｃ）】
2013535238.tif 000091
【図２２（ｄ）】
2013535238.tif 000092
【図２２（ｅ）】
2013535238.tif 000093
【図２２（ｆ）】
2013535238.tif 000094
【図２２（ｇ）】
2013535238.tif 000095
【図２３（ａ）】
2013535238.tif 000096
【図２３（ｂ）】
2013535238.tif 000097
【図２３（ｃ）】
2013535238.tif 000098
【図２３（ｄ）】
2013535238.tif 000099
【図２３（ｅ）】
2013535238.tif 000100
【図２３（ｆ）】
2013535238.tif 000101
【図２３（ｇ）】
2013535238.tif 000102
【図２４（ａ）】
2013535238.tif 000103
【図２４（ｂ）】
2013535238.tif 000104
【図２４（ｃ）】
2013535238.tif 000105
【図２４（ｄ）】
2013535238.tif 000106
【図２４（ｅ）】
2013535238.tif 000107
【図２４（ｆ）】
2013535238.tif 000108
【図２５（ａ）】
2013535238.tif 000109
【図２５（ｂ）】
2013535238.tif 000110
【図２５（ｃ）】
2013535238.tif 000111
【図２５（ｄ）】
2013535238.tif 000112
【図２５（ｅ）】
2013535238.tif 000113
【図２５（ｆ）】
2013535238.tif 000114
【図２５（ｇ）】
2013535238.tif 000115
【図２５（ｈ）】
2013535238.tif 000116
【図２５（ｉ）】
2013535238.tif 000117
【図２５（ｊ）】
2013535238.tif 000118
【図２５（ｋ）】
2013535238.tif 000119
【図２５（ｌ）】
2013535238.tif 000120
【図２５（ｍ）】
2013535238.tif 000121
【図２６（ａ）】
2013535238.tif 000122
【図２６（ｂ）】
2013535238.tif 000123
【図２６（ｃ）】
2013535238.tif 000124
【図２６（ｄ）】
2013535238.tif 000125
【図２６（ｅ）】
2013535238.tif 000126
【図２６（ｆ）】
2013535238.tif 000127
【図２７（ａ）】
2013535238.tif 000128
【図２７（ｂ）】
2013535238.tif 000129
【図２７（ｃ）】
2013535238.tif 000130
【図２７（ｄ）】
2013535238.tif 000131
【図２７（ｅ）】
2013535238.tif 000132
【図２８（ａ）】
2013535238.tif 000133
【図２８（ｂ）】
2013535238.tif 000134
【図２８（ｃ）】
2013535238.tif 000135
【図２８（ｄ）】
2013535238.tif 000136
【図２８（ｅ）】
2013535238.tif 000137
【図２９（ａ）】
2013535238.tif 000138
【図２９（ｂ）】
2013535238.tif 000139
【図２９（ｃ）】
2013535238.tif 000140
【図２９（ｄ）】
2013535238.tif 000141
【図２９（ｅ）】
2013535238.tif 000142
【図２９（ｆ）】
2013535238.tif 000143
【図３０（ａ）】
2013535238.tif 000144
【図３０（ｂ）】
2013535238.tif 000145
【図３０（ｃ）】
2013535238.tif 000146
【図３０（ｄ）】
2013535238.tif 000147
【図３０（ｅ）】
2013535238.tif 000148
【図３１（ａ）】
2013535238.tif 000149
【図３１（ｂ）】
2013535238.tif 000150
【図３１（ｃ）】
2013535238.tif 000151
【図３１（ｄ）】
2013535238.tif 000152
【図３１（ｅ）】
2013535238.tif 000153
【図３２（ａ）】
2013535238.tif 000154
【図３２（ｂ）】
2013535238.tif 000155
【図３２（ｃ）】
2013535238.tif 000156
【図３２（ｄ）】
2013535238.tif 000157
【図３２（ｅ）】
2013535238.tif 000158
【図３３（ａ）】
2013535238.tif 000159
2013535238.tif 000160
【図３３（ｃ）】
2013535238.tif 000161
【図３３（ｄ）】
2013535238.tif 000162
【図３３（ｅ）】
2013535238.tif 000163
【図３４（ａ）】
2013535238.tif 000164
【図３４（ｂ）】
2013535238.tif 000165
【図３４（ｃ）】
2013535238.tif 000166
【図３４（ｄ）】
2013535238.tif 000167
【図３４（ｅ）】
2013535238.tif 000168
【図３５（ａ）】
2013535238.tif 000169
【図３５（ｂ）】
2013535238.tif 000170
【図３５（ｃ）】
2013535238.tif 000171
【図３５（ｄ）】
2013535238.tif 000172
【図３５（ｅ）】
2013535238.tif 000173
【図３６（ａ）】
2013535238.tif 000174
【図３６（ｂ）】
2013535238.tif 000175
【図３６（ｃ）】
2013535238.tif 000176
【図３６（ｄ）】
2013535238.tif 000177
【図３６（ｅ）】
2013535238.tif 000178
【図３７（ａ）】
2013535238.tif 000179
【図３７（ｂ）】
2013535238.tif 000180
【図３７（ｃ）】
2013535238.tif 000181
【図３７（ｄ）】
2013535238.tif 000182
【図３７（ｅ）】
2013535238.tif 000183
【図３８（ａ）】
2013535238.tif 000184
【図３８（ｂ）】
2013535238.tif 000185
【図３８（ｃ）】
2013535238.tif 000186
【図３８（ｄ）】
2013535238.tif 000187
【図３８（ｅ）】
2013535238.tif 000188
【図３９（ａ）】
2013535238.tif 000189
【図３９（ｂ）】
2013535238.tif 000190
【図３９（ｃ）】
2013535238.tif 000191
【図３９（ｄ）】
2013535238.tif 000192
【図３９（ｅ）】
2013535238.tif 000193
【図４０（ａ）】
2013535238.tif 000194
【図４０（ｂ）】
2013535238.tif 000195
【図４０（ｃ）】
2013535238.tif 000196
【図４０（ｄ）】
2013535238.tif 000197
【図４０（ｅ）】
2013535238.tif 000198
【図４１（ａ）】
2013535238.tif 000199
【図４１（ｂ）】
2013535238.tif 000200
【図４１（ｃ）】
2013535238.tif 000201
【図４１（ｄ）】
2013535238.tif 000202
【図４１（ｅ）】
2013535238.tif 000203
【図４１（ｆ）】
2013535238.tif 000204
【図４２（ａ）】
2013535238.tif 000205
【図４２（ｂ）】
2013535238.tif 000206
【図４２（ｃ）】
2013535238.tif 000207
【図４２（ｄ）】
2013535238.tif 000208
【図４２（ｅ）】
2013535238.tif 000209
【図４３（ａ）】
2013535238.tif 000210
【図４３（ｂ）】
2013535238.tif 000211
【図４３（ｃ）】
2013535238.tif 000212
【図４３（ｄ）】
2013535238.tif 000213
【図４３（ｅ）】
2013535238.tif 000214
【図４４（ａ）】
2013535238.tif 000215
【図４４（ｂ）】
2013535238.tif 000216
【図４４（ｃ）】
2013535238.tif 000217
【図４４（ｄ）】
2013535238.tif 000218
【図４４（ｅ）】
2013535238.tif 000219
【図４５（ａ）】
2013535238.tif 000220
【図４５（ｂ）】
2013535238.tif 000221
【図４５（ｃ）】
2013535238.tif 000222
【図４５（ｄ）】
2013535238.tif 000223
【図４５（ｅ）】
2013535238.tif 000224
【図４６（ａ）】
2013535238.tif 000225
【図４６（ｂ）】
2013535238.tif 000226
【図４６（ｃ）】
2013535238.tif 000227
【図４６（ｄ）】
2013535238.tif 000228
【図４７（ａ）】
2013535238.tif 000229
【図４７（ｂ）】
2013535238.tif 000230
【図４７（ｃ）】
2013535238.tif 000231
【図４７（ｄ）】
2013535238.tif 000232
【図４７（ｅ）】
2013535238.tif 000233
【図４８（ａ）】
2013535238.tif 000234
【図４８（ｂ）】
2013535238.tif 000235
【図４８（ｃ）】
2013535238.tif 000236
【図４８（ｄ）】
2013535238.tif 000237
【図４８（ｅ）】
2013535238.tif 000238
【図４９（ａ）】
2013535238.tif 000239
【図４９（ｂ）】
2013535238.tif 000240
【図４９（ｃ）】
2013535238.tif 000241
【図４９（ｄ）】
2013535238.tif 000242
【図４９（ｅ）】
2013535238.tif 000243
【図５０（ａ）】
2013535238.tif 000244
【図５０（ｂ）】
2013535238.tif 000245
【図５０（ｃ）】
2013535238.tif 000246
【図５０（ｄ）】
2013535238.tif 000247
【図５０（ｅ）】
2013535238.tif 000248
【図５１（ａ）】
2013535238.tif 000249
【図５１（ｂ）】
2013535238.tif 000250
【図５１（ｃ）】
2013535238.tif 000251
【図５１（ｄ）】
2013535238.tif 000252
【図５１（ｅ）】
2013535238.tif 000253
【図５１（ｆ）】
2013535238.tif 000254
【図５２（ａ）】
2013535238.tif 000255
【図５２（ｂ）】
2013535238.tif 000256
【図５２（ｃ）】
2013535238.tif 000257
【図５２（ｄ）】
2013535238.tif 000258
【図５２（ｅ）】
2013535238.tif 000259
【図５２（ｆ）】
2013535238.tif 000260
【図５３（ａ）】
2013535238.tif 000261
【図５３（ｂ）】
2013535238.tif 000262
【図５３（ｃ）】
2013535238.tif 000263
【図５３（ｄ）】
2013535238.tif 000264
【図５３（ｅ）】
2013535238.tif 000265
【図５３（ｆ）】
2013535238.tif 000266
【図５４（ａ）】
2013535238.tif 000267
【図５４（ｂ）】
2013535238.tif 000268
【図５５（ａ）】
2013535238.tif 000269
【図５５（ｂ）】
2013535238.tif 000270
【図５６（ａ）】
2013535238.tif 000271
【図５６（ｂ）】
2013535238.tif 000272
【図５７】
2013535238.tif 000273
【図５８（ａ）】
2013535238.tif 000274
【図５８（ｂ）】
2013535238.tif 000275
【図５９（ａ）】
2013535238.tif 000276
【図５９（ｂ）】
2013535238.tif 000277
【図５９（ｃ）】
2013535238.tif 000278
【図５９（ｄ）】
2013535238.tif 000279
【図５９（ｅ）】
2013535238.tif 000280
【図６０】
2013535238.tif 000281
【図６１（ａ）】
2013535238.tif 000282
【図６１（ｂ）】
2013535238.tif 000283
【図６１（ｃ）】
2013535238.tif 000284
【図６２（ａ）】
2013535238.tif 000285
【図６２（ｂ）】
2013535238.tif 000286
【図６２（ｃ）】
2013535238.tif 000287
【図６３（ａ）】
2013535238.tif 000288
【図６３（ｂ）】
2013535238.tif 000289
【図６３（ｃ）】
2013535238.tif 000290
【図６４（ａ）】
2013535238.tif 000291
【図６４（ｂ）】
2013535238.tif 000292
【図６５（ａ）】
2013535238.tif 000293
【図６５（ｂ）】
2013535238.tif 000294
【図６５（ｃ）】
2013535238.tif 000295
【図６６（ａ）】
2013535238.tif 000296
【図６６（ｂ）】
2013535238.tif 000297
【図６６（ｃ）】
2013535238.tif 000298
【国際調査報告】
2013535238.tif 000299
2013535238.tif 000300
2013535238.tif 000301
2013535238.tif 000302